(57)【要約】【課題】複数の異なる仕様に容易に対応しながら、各処理において媒体を円滑に搬送し得るようにする。【解決手段】現金自動預払機１の紙幣入出金機１０は、鑑別部１４を通過する基幹搬送路ＷＰの上側及び下側に上環状搬送路ＷＣＵ及び下環状搬送路ＷＣＬをそれぞれ形成した。また紙幣入出金機１０では、下環状搬送路ＷＣＬに対して３ウェイの切替部６３を介して紙幣収納庫２２Ｃと接続すると共に、３ウェイの切替部６６を介して紙幣収納庫２２Ｄと接続した。これにより紙幣入出金機１０では、入金処理、収納処理及び出金処理を何れも円滑に行いえると共に、紙幣移動処理において紙幣収納庫２２同士の間で鑑別部１４を通過する経路に沿って紙幣を直接移動させ得る。この結果、紙幣入出金機１０では、入金処理等の各処理において、紙幣の搬送距離や搬送回数を必要最小限に抑え、効率良く搬送して短時間で完了することができる。【選択図】図６
2018124644.tif 000002
【特許請求の範囲】
【請求項１】
紙葉状の媒体を複数収容する収容器を内部に有し、使用者により前記収容器に投入された前記媒体を取り込む取込口と、前記使用者に引き渡すべき前記媒体を該収容器内へ放出する放出口とを有する媒体入出部と、
所定の基幹搬送路に沿って搬送される前記媒体を鑑別する鑑別部と、
前記取込口と前記基幹搬送路と前記放出口とを結んだ第１搬送路と、
前記基幹搬送路と共に、環状の搬送路を形成する第２搬送路と、
前記基幹搬送路の両端にそれぞれ設けられ、該基幹搬送路の接続先を前記第１搬送路又は前記第２搬送路にそれぞれ切り替える第１基幹切替部及び第２基幹切替部と、
前記媒体を一時的に収納する一時保留部と、
前記第１搬送路上における前記第２基幹切替部と前記媒体入出部の前記放出口との間に配置され、前記第２基幹切替部、前記放出口及び前記一時保留部のうち何れか２箇所を接続するように前記媒体の搬送経路を切り替える一時保留切替部と、
前記媒体をそれぞれ収納する複数の収納庫と、
前記第２搬送路上に形成され、複数の切替部を介して複数の前記収納庫を該第２搬送路とそれぞれ接続する振分搬送路と、
前記振分搬送路と前記第１基幹切替部との間に設けられる第１接続口と、
前記振分搬送路と前記第２基幹切替部との間に設けられる第２接続口と、
複数の前記収納庫にそれぞれ収納される前記媒体と区別して前記媒体を収納する区別収納庫と、
前記第２搬送路上における前記第２基幹切替部及び前記第２接続口の間に配置され、前記第２基幹切替部、前記第２接続口及び前記区別収納庫のうち何れか２箇所を接続するように前記媒体の搬送経路を切り替える区別収納切替部と
を具えることを特徴とする媒体処理装置。
【請求項２】
前記振分搬送路における前記第２接続口側の端部において前記第２搬送路から分岐された分岐搬送路と、
前記分岐搬送路に接続され前記収納庫の一部である分岐収納庫と、前記第１接続口と、前記第２接続口とのうち何れか２箇所を接続するように前記媒体の搬送経路を切り替える振分切替部と
をさらに具え、
前記振分搬送路には、他の前記収納庫が接続されている
ことを特徴とする請求項１に記載の媒体処理装置。
【請求項３】
前記振分搬送路上に設けられ、一の前記収納庫である双方向収納庫と、前記第１接続口と、前記振分切替部とのうち何れか２箇所を接続するように前記媒体の搬送経路を切り替える双方向収納切替部と
をさらに具えることを特徴とする請求項２に記載の媒体処理装置。
【請求項４】
前記振分搬送路上における前記双方向収納切替部よりも前記第１接続口側にそれぞれ設けられ、該第１接続口及び前記第２接続口を接続する搬送経路と該第１接続口及び一の前記収納庫を接続する搬送経路とをそれぞれ切り替える１個以上の収納切替部
をさらに具えることを特徴とする請求項３に記載の媒体処理装置。
【請求項５】
複数の前記切替部における前記媒体の搬送経路をそれぞれ切り替えさせるよう制御する制御部をさらに具え、
前記制御部は、前記分岐収納庫から順次繰り出された前記媒体を前記分岐搬送路に沿って前記振分切替部へ搬送させ、前記第２搬送路に沿って前記第２接続口、前記区別収納切替部及び前記第２基幹切替部を介して前記鑑別部へ搬送させ、該鑑別部において正常と鑑別された前記媒体を引き続き前記第２搬送路に沿って前記第１基幹切替部、前記第１接続口を介して前記振分搬送路に接続された前記収納庫へ順次搬送して収納させる一方、該鑑別部において前記媒体が異常と鑑別された場合、前記分岐収納庫からの前記媒体の繰出を一時停止させ、異常と鑑別された前記媒体を引き続き前記第２搬送路に沿って前記第１基幹切替部、前記第１接続口、前記振分搬送路、前記振分切替部、前記第２接続口及び前記区別収納切替部を介し前記区別収納庫へ搬送して収納させた後、前記分岐収納庫からの前記媒体の繰出を再開させるよう制御する
ことを特徴とする請求項２に記載の媒体処理装置。
【請求項６】
前記分岐収納庫は、他の前記収納庫から回収された前記媒体又は他の前記収納庫へ補充すべき前記媒体を収納する補充回収庫である
ことを特徴とする請求項２に記載の媒体処理装置。
【請求項７】
前記振分搬送路上にそれぞれ設けられ、該第１接続口及び前記第２接続口を接続する搬送経路と該第１接続口及び一の前記収納庫を接続する搬送経路とをそれぞれ切り替える１個以上の収納切替部
をさらに具えることを特徴とする請求項６に記載の媒体処理装置。
【請求項８】
前記補充回収庫から繰り出された補充用の前記媒体のうち他と区別すべきものを収納する補充区別収納庫と、
前記振分搬送路上に設けられ、該第１接続口及び前記第２接続口を接続する搬送経路と、該第１接続口及び前記補充区別収納庫を接続する搬送経路とを切り替える補充区別収納切替部と
をさらに具えることを特徴とする請求項６に記載の媒体処理装置。
【請求項９】
複数の前記収納庫が装填される第１装填部と、
前記第１装填部に対し近接する方向又は離隔する方向へ移動可能であり、前記補充回収庫が装填される第２装填部と
をさらに具えることを特徴とする請求項６に記載の媒体処理装置。
【請求項１０】
前記分岐搬送路に接続され、複数の前記収納庫及び前記区別収納庫にそれぞれ収納される前記媒体からさらに区別して所定の前記媒体を収納し、前記第２装填部に装填される第２区別収納庫
をさらに具えることを特徴とする請求項９に記載の媒体処理装置。
【請求項１１】
前記補充回収庫から繰り出された補充用の前記媒体のうち他と区別すべきものを収納する補充区別収納庫と、
前記振分搬送路上において前記振分切替部に隣接する箇所に設けられ、該第１接続口及び前記第２接続口を接続し又は該第１接続口及び前記補充区別収納庫を接続するように前記媒体の搬送経路をそれぞれ切り替える補充区別収納切替部と
をさらに具え、
前記補充回収庫は、前記第２装填部に対し前記補充区別収納庫と一体化された状態で装填される
ことを特徴とする請求項９に記載の媒体処理装置。
【請求項１２】
前記分岐搬送路上に配置された所定の切替部に接続され、複数の前記収納庫及び前記区別収納庫にそれぞれ収納される前記媒体からさらに区別して所定の前記媒体を収納する第２区別収納庫
をさらに具えることを特徴とする請求項２に記載の媒体処理装置。
【請求項１３】
複数の前記切替部における前記媒体の搬送経路をそれぞれ切り替えさせるよう制御する制御部をさらに具え、
前記制御部は、前記鑑別部において再利用すべきでないと鑑別された前記媒体を前記第２区別収納庫へ搬送して収納させ、前記媒体入出部の前記収容器から前記使用者が取り忘れた前記媒体を前記区別収納庫へ搬送して収納させる
ことを特徴とする請求項１２に記載の媒体処理装置。
【請求項１４】
複数の前記切替部における前記媒体の搬送経路をそれぞれ切り替えさせるよう制御する制御部をさらに具え、
前記制御部は、前記一時保留部に収納されていた前記媒体を前記一時保留切替部へ搬送させ、前記第１搬送路に沿って前記第２基幹切替部を介して前記鑑別部へ搬送させ、該鑑別部において正常と鑑別された前記媒体を前記第２搬送路に沿って前記第１基幹切替部、前記第１接続口を介して前記振分搬送路に接続された前記収納庫へ搬送して収納させる一方、該鑑別部において異常と鑑別された前記媒体を、前記第２搬送路に沿って前記第１基幹切替部、前記第１接続口、前記振分搬送路、前記第２接続口及び前記区別収納切替部を介し前記区別収納庫へ搬送して収納させるよう制御する
ことを特徴とする請求項１に記載の媒体処理装置。
【請求項１５】
前記媒体を束状に集積して施封する施封ユニットと、
前記一時保留切替部と前記一時保留部とを結ぶ搬送路上に設けられ、該一時保留切替部と接続された搬送路を、前記一時保留部に接続された搬送路又は前記施封ユニットに接続された搬送路と繋ぐように切り替える施封切替部と
を具えることを特徴とする請求項１に記載の媒体処理装置。
【請求項１６】
複数の前記切替部における前記媒体の搬送経路をそれぞれ切り替えさせるよう制御する制御部をさらに具え、
前記媒体は、表面及び裏面がそれぞれ規定され、
前記媒体入出部は、前記媒体を前記放出口から前記収容器内へ放出する場合の進行方向と、該媒体を前記収容器内から前記取込口により取り込む場合の進行方向とを反転させ、
前記制御部は、前記施封ユニットへ搬送すべき前記媒体を前記第１基幹切替部側から前記鑑別部へ搬送し、該鑑別部において前記表面が所定の基準方向を向いていた前記媒体を前記第１搬送路に沿って前記第２基幹切替部を介して前記一時保留切替部へ搬送し、さらに前記施封切替部を介して前記施封ユニットへ搬送させる一方、前記鑑別部において前記裏面が基準方向を向いていた前記媒体を、前記入出部を介して、前記第１搬送路に沿って１周搬送させることにより前記鑑別部において前記表面を基準方向に向けさせてから、前記第１搬送路に沿って前記第２基幹切替部を介して前記一時保留切替部へ搬送し、さらに前記施封切替部を介して前記施封ユニットへ搬送させるよう制御する
ことを特徴とする請求項１５に記載の媒体処理装置。
【請求項１７】
使用者との間で取引される紙葉状の媒体を複数収容する収容器を内部に有し、前記使用者により前記収容器に投入された前記媒体を取り込む取込口と、前記使用者に引き渡すべき前記媒体を該収容器内へ放出する放出口とを有する媒体入出部と、
所定の基幹搬送路に沿って搬送される前記媒体を鑑別する鑑別部と、
前記取込口と前記基幹搬送路と前記放出口とを結んだ第１搬送路と、
前記基幹搬送路と共に、環状の搬送路を形成する第２搬送路と、
前記基幹搬送路の両端にそれぞれ設けられ、該基幹搬送路の接続先を前記第１搬送路又は前記第２搬送路にそれぞれ切り替える第１基幹切替部及び第２基幹切替部と、
前記媒体を一時的に収納する一時保留部と、
前記第１搬送路上における前記第２基幹切替部と前記媒体入出部の前記放出口との間に配置され、前記第２基幹切替部、前記放出口及び前記一時保留部のうち何れか２箇所を接続するように前記媒体の搬送経路を切り替える一時保留切替部と、
前記媒体をそれぞれ収納する複数の収納庫と、
前記第２搬送路上に形成され、複数の切替部を介して複数の前記収納庫を該第２搬送路とそれぞれ接続する振分搬送路と、
前記振分搬送路と前記第１基幹切替部との間に設けられる第１接続口と、
前記振分搬送路と前記第２基幹切替部との間に設けられる第２接続口と、
複数の前記収納庫にそれぞれ収納される前記媒体と区別して前記媒体を収納する区別収納庫と、
前記第２搬送路上における前記第２基幹切替部及び前記第２接続口の間に配置され、前記第２基幹切替部、前記第２接続口及び前記区別収納庫のうち何れか２箇所を接続するように前記媒体の搬送経路を切り替える区別収納切替部と
を具えることを特徴とする媒体取引装置。
【発明の詳細な説明】
【技術分野】
【０００１】
本発明は媒体処理装置及び媒体取引装置に関し、例えば紙幣のような紙葉状の媒体を投入して所望の取引を行う現金自動預払機（ＡＴＭ：Automatic Teller Machine）等に適用して好適なものである。
【背景技術】
【０００２】
従来、金融機関等で使用される現金自動預払機においては、使用者（金融機関の顧客等）との取引内容に応じて、例えば該使用者に紙幣や硬貨等の現金を入金させる入金取引や、使用者へ現金を出金する出金取引等の各種取引を行うようになっている。また現金自動預払機の種類として、ある取引において使用者から入金された紙幣を次回以降の取引において再利用して他の使用者へ出金する、いわゆるリサイクル型（又は環流型）と呼ばれるものがある。
【０００３】
このようなリサイクル型の現金自動預払機として、例えば紙幣の入出金に関する処理を行う紙幣入出金機を搭載したものがある（例えば、特許文献１参照）。この紙幣入出金機は、例えば使用者との間で紙幣の授受を行う接客部と、紙幣を搬送する搬送部と、投入された紙幣の金種及び真偽等を鑑別する鑑別部と、投入された紙幣を一時的に保留する一時保留部とを有している。また紙幣入出金機は、再利用可能な紙幣を金種ごとに分けて収納する紙幣収納庫と、再利用すべきでない紙幣を収納するリジェクト庫とを有している。
【先行技術文献】
【特許文献】
【０００４】
【特許文献１】特開２０１３−２５４３８号公報（図２）
【発明の概要】
【発明が解決しようとする課題】
【０００５】
ところで、かかる構成の紙幣入出金機では、紙幣収納庫における収納枚数の増大化や装置構成の小型化、或いは設置場所ごとに相違する仕様に応じた構成変更の容易さ等、様々な要求に応じて、内部における紙幣収納庫やリジェクト庫等の配置が決定されている。
【０００６】
しかしながら紙幣入出金機では、複数の仕様の間で極力多くの部分を共通化した結果、一部の仕様に対応する構成において、紙幣を所定の搬送元から所定の搬送先へ直接搬送できなくなる場合がある。このような場合、紙幣入出金機では、例えば搬送元から繰り出した紙幣を一時保留部に収納し、その後に当該一時保留部から繰り出した紙幣を搬送先へ搬送する、といった搬送処理を行う必要があり、直接搬送する場合と比較して、この搬送処理に多大な時間を要する、という問題があった。
【０００７】
本発明は以上の点を考慮してなされたもので、複数の異なる仕様に容易に対応しながら、各処理において媒体を円滑に搬送し得る媒体処理装置及び媒体取引装置を提案しようとするものである。
【課題を解決するための手段】
【０００８】
かかる課題を解決するため本発明の媒体処理装置においては、紙葉状の媒体を複数収容する収容器を内部に有し、使用者により収容器に投入された媒体を取り込む取込口と、使用者に引き渡すべき媒体を該収容器内へ放出する放出口とを有する媒体入出部と、所定の基幹搬送路に沿って搬送される媒体を鑑別する鑑別部と、取込口と基幹搬送路と放出口とを結んだ第１搬送路と、基幹搬送路と共に、環状の搬送路を形成する第２搬送路と、基幹搬送路の両端にそれぞれ設けられ、該基幹搬送路の接続先を第１搬送路又は第２搬送路にそれぞれ切り替える第１基幹切替部及び第２基幹切替部と、媒体を一時的に収納する一時保留部と、第１搬送路上における第２基幹切替部と媒体入出部の放出口との間に配置され、第２基幹切替部、放出口及び一時保留部のうち何れか２箇所を接続するように媒体の搬送経路を切り替える一時保留切替部と、媒体をそれぞれ収納する複数の収納庫と、第２搬送路上に形成され、複数の切替部を介して複数の収納庫を該第２搬送路とそれぞれ接続する振分搬送路と、振分搬送路と第１基幹切替部との間に設けられる第１接続口と、振分搬送路と第２基幹切替部との間に設けられる第２接続口と、複数の収納庫にそれぞれ収納される媒体と区別して媒体を収納する区別収納庫と、第２搬送路上における第２基幹切替部及び第２接続口の間に配置され、第２基幹切替部、第２接続口及び区別収納庫のうち何れか２箇所を接続するように媒体の搬送経路を切り替える区別収納切替部とを設けるようにした。
【０００９】
また本発明の媒体取引装置においては、使用者との間で取引される紙葉状の媒体を複数収容する収容器を内部に有し、使用者により収容器に投入された媒体を取り込む取込口と、使用者に引き渡すべき媒体を該収容器内へ放出する放出口とを有する媒体入出部と、所定の基幹搬送路に沿って搬送される媒体を鑑別する鑑別部と、取込口と基幹搬送路と放出口とを結んだ第１搬送路と、基幹搬送路と共に、環状の搬送路を形成する第２搬送路と、基幹搬送路の両端にそれぞれ設けられ、該基幹搬送路の接続先を第１搬送路又は第２搬送路にそれぞれ切り替える第１基幹切替部及び第２基幹切替部と、媒体を一時的に収納する一時保留部と、第１搬送路上における第２基幹切替部と媒体入出部の放出口との間に配置され、第２基幹切替部、放出口及び一時保留部のうち何れか２箇所を接続するように媒体の搬送経路を切り替える一時保留切替部と、媒体をそれぞれ収納する複数の収納庫と、第２搬送路上に形成され、複数の切替部を介して複数の収納庫を該第２搬送路とそれぞれ接続する振分搬送路と、振分搬送路と第１基幹切替部との間に設けられる第１接続口と、振分搬送路と第２基幹切替部との間に設けられる第２接続口と、複数の収納庫にそれぞれ収納される媒体と区別して媒体を収納する区別収納庫と、第２搬送路上における第２基幹切替部及び第２接続口の間に配置され、第２基幹切替部、第２接続口及び区別収納庫のうち何れか２箇所を接続するように媒体の搬送経路を切り替える区別収納切替部とを設けるようにした。
【００１０】
本発明は、鑑別部が配置された基幹搬送路において第１搬送路及び第２搬送路を互いに重ねた構成とし、さらに該基幹搬送路の両端に配置した第１基幹切替部及び第２基幹切替部により、該基幹搬送路を、第１搬送路又は第２搬送路に切り替えて接続し得るようにした。これにより本発明では、仕様に応じて第１搬送路又は第２搬送路に追加の収納庫等を接続した場合であっても、基幹搬送路を通る搬送経路を形成することにより、追加の収納庫等と、第１搬送路又は第２搬送路に接続された各収納庫等との間で紙幣を円滑に搬送することができる。また本発明では、区別切替部において３通りの搬送経路を切り替えることができるので、第１搬送路又は第２搬送路の何れに接続された各収納庫等からであっても、区別収納庫へ搬送して収納させることができる。
【発明の効果】
【００１１】
本発明によれば、複数の異なる仕様に容易に対応しながら、各処理において媒体を円滑に搬送し得る媒体処理装置及び媒体取引装置を提案しようとするものである。
を実現できる。
【図面の簡単な説明】
【００１２】
【図１】現金自動預払機の外観構成を示す略線的斜視図である。
【図２】第１の実施の形態による紙幣入出金機の構成を示す略線図である。
【図３】紙幣入出金機における上部ユニット及び下部ユニットの引出を示す略線図である。
【図４】第１の実施の形態による上部ユニットの構成を示す略線図である。
【図５】第１の実施の形態による下部ユニットの構成を示す略線図である。
【図６】第１の実施の形態による模式化された紙幣入出金機の構成を示す略線図である。
【図７】第１の実施の形態による入金処理及び収納処理における紙幣の搬送を示す略線図である。
【図８】第１の実施の形態による出金処理における紙幣の搬送を示す略線図である。
【図９】第１の実施の形態による後方紙幣移動処理における紙幣の搬送を示す略線図である。
【図１０】第１の実施の形態による前方紙幣移動処理における紙幣の搬送を示す略線図である。
【図１１】第１の実施の形態による区別取込処理における紙幣の搬送を示す略線図である。
【図１２】第１の実施の形態による再利用取込処理における紙幣の搬送を示す略線図である。
【図１３】第２の実施の形態による紙幣入出金機の構成を示す略線図である。
【図１４】第２の実施の形態による上後搬送部の構成を示す略線図である。
【図１５】第２の実施の形態による模式化された紙幣入出金機の構成を示す略線図である。
【図１６】第２の実施の形態による束出金処理における紙幣の搬送を示す略線図である。
【図１７】第２の実施の形態による整理施封処理における紙幣の搬送を示す略線図である。
【図１８】第３の実施の形態による紙幣入出金機の構成を示す略線図である。
【図１９】第３の実施の形態による上部ユニットの構成を示す略線図である。
【図２０】第３の実施の形態による下部ユニットの構成を示す略線図である。
【図２１】第３の実施の形態による補充回収カセットの構成を示す略線的斜視図である。
【図２２】第３の実施の形態による模式化された紙幣入出金機の構成を示す略線図である。
【図２３】第３の実施の形態による収納処理における紙幣の搬送を示す略線図である。
【図２４】第３の実施の形態による出金処理における紙幣の搬送を示す略線図である。
【図２５】第３の実施の形態による補充処理における紙幣の搬送を示す略線図である。
【図２６】第３の実施の形態による回収処理における紙幣の搬送を示す略線図である。
【図２７】第３の実施の形態による紙幣移動処理における紙幣の搬送を示す略線図である。
【図２８】第３の実施の形態による区別取込処理における紙幣の搬送を示す略線図である。
【図２９】第３の実施の形態による再利用取込処理における紙幣の搬送を示す略線図である。
【図３０】第４の実施の形態による紙幣入出金機の構成を示す略線図である。
【図３１】第４の実施の形態による上部ユニットの構成を示す略線図である。
【図３２】第４の実施の形態による下部ユニットの構成を示す略線図である。
【図３３】第４の実施の形態による下部ユニットの構成を示す略線的斜視図である。
【図３４】第４の実施の形態による模式化された紙幣入出金機の構成を示す略線図である。
【図３５】第４の実施の形態による入金処理及び収納処理における紙幣の搬送を示す略線図である。
【図３６】第４の実施の形態による出金処理における紙幣の搬送を示す略線図である。
【図３７】第４の実施の形態による補充処理における紙幣の搬送を示す略線図である。
【図３８】第４の実施の形態による回収処理における紙幣の搬送を示す略線図である。
【図３９】第４の実施の形態による後フレーム引出状態での収納処理における紙幣の搬送を示す略線図である。
【図４０】第４の実施の形態による後フレーム引出状態での出金処理における紙幣の搬送を示す略線図である。
【図４１】第４の実施の形態による紙幣移動処理における紙幣の搬送を示す略線図である。
【図４２】第４の実施の形態による区別取込処理における紙幣の搬送を示す略線図である。
【図４３】第４の実施の形態による再利用取込処理における紙幣の搬送を示す略線図である。
【発明を実施するための形態】
【００１３】
以下、発明を実施するための形態（以下実施の形態とする）について、図面を用いて説明する。
【００１４】
［１．第１の実施の形態］
［１−１．現金自動預払機の全体構成］
図１に外観を示すように、媒体取引装置としての現金自動預払機１は、箱状の筐体２を中心に構成されており、例えば金融機関や各種商業施設等に設置され、使用者（すなわち金融機関や商業施設の顧客等）との間で、入金処理や出金処理等の現金に関する取引を行う。
【００１５】
筐体２は、その前側に使用者が対峙した状態で紙幣の投入やタッチパネルによる操作等をしやすい箇所に応対部３が設けられている。応対部３は、使用者との間で例えば現金やカード等を直接やり取りすると共に、取引に関する情報の通知や操作指示の受付を行うようになされており、カード入出口４、入出金口５、操作表示部６、テンキー７、及びレシート発行口８が設けられている。
【００１６】
カード入出口４は、キャッシュカード等の各種カードが挿入または排出される部分である。カード入出口４の奥側には、各種カードに磁気記録された口座番号等の読み取りを行うカード処理部（図示せず）が設けられている。入出金口５は、使用者によって入金される紙幣が投入されると共に、使用者へ出金する紙幣が排出される部分である。また入出金口５は、シャッタを駆動することにより開放又は閉塞するようになっている。因みに紙幣は、例えば長方形の紙により、紙葉状に構成されている。
【００１７】
操作表示部６は、取引に際して操作画面を表示するＬＣＤ（Liquid Crystal Display）と、取引の種類の選択、暗証番号や取引金額等を入力するタッチセンサとが一体化されたタッチパネルとなっている。テンキー７は、「０」〜「９」の数字等の入力を受け付ける物理キーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部（図示せず）が設けられている。
【００１８】
以下では、現金自動預払機１のうち使用者が対峙する側を前側とし、その反対を後側とし、当該前側に対峙した使用者から見て左及び右をそれぞれ左側及び右側とし、さらに上側及び下側を定義して説明する。
【００１９】
筐体２の内部には、現金自動預払機１全体を統括制御する主制御部９や、紙幣に関する種々の処理を行う紙幣入出金機１０等が設けられている。主制御部９は、図示しないＣＰＵ（Central Processing Unit）を中心に構成されており、図示しないＲＯＭ（Read Only Memory）やフラッシュメモリ等から所定のプログラムを読み出して実行することにより、入金処理や出金処理等の種々の処理を行う。また主制御部９は、内部にＲＡＭ（Random Access Memory）、ハードディスクドライブやフラッシュメモリ等でなる記憶部を有しており、この記憶部に種々の情報を記憶させる。
【００２０】
［１−２．紙幣入出金機の構成］
紙幣入出金機１０は、図２に側面図を示すように、内部に媒体としての紙幣に関する種々の処理を行う複数の部分が組み込まれている。この紙幣は、例えば紙や樹脂等の材料により、薄い長方形の紙葉状に形成されている。
【００２１】
紙幣入出金機１０は、大きく分けて、全体の外側部分を構成する紙幣入出金機フレーム１０Ｆと、該紙幣入出金機フレーム１０Ｆにおける上下方向のほぼ中央よりも上側部分を占める上部ユニット１０Ｕと、その下側部分を占める下部ユニット１０Ｌとにより構成されている。
【００２２】
紙幣入出金機フレーム１０Ｆは、筐体２（図１）の内部に取り付けられている。上部ユニット１０Ｕ及び下部ユニット１０Ｌは、この紙幣入出金機フレーム１０Ｆに対し、それぞれ前後方向に沿ったスライドレール（図示せず）を介して取り付けられている。このため紙幣入出金機１０では、筐体２の前扉が開放された状態において、図３（Ａ）及び（Ｂ）に示すように、紙幣入出金機フレーム１０Ｆに対し上部ユニット１０Ｕ及び下部ユニット１０Ｌをそれぞれ前方へ引き出すことができる。また紙幣入出金機１０では、上部ユニット１０Ｕ及び下部ユニット１０Ｌを後方へ押し込むことにより、図２に示したように、紙幣入出金機フレーム１０Ｆ内にそれぞれ格納することができる。
【００２３】
［１−３．上部ユニットの構成］
図２の一部を拡大した図４（Ａ）に示すように、上部ユニット１０Ｕには、全体を統括制御する紙幣制御部１１、接客部１２、上前搬送部１３、鑑別部１４、上後搬送部１５、一時保留部１６及びリジェクト庫１７が設けられている。
【００２４】
制御部としての紙幣制御部１１は、主制御部９と同様、図示しないＣＰＵを中心に構成されており、図示しないＲＯＭやフラッシュメモリ等から所定のプログラムを読み出して実行することにより、紙幣の搬送先を決定する処理や各部の動作を制御する処理等、種々の処理を行う。また紙幣制御部１１は、内部にＲＡＭ及びフラッシュメモリ等でなる記憶部を有しており、この記憶部に種々の情報を記憶させる。
【００２５】
［１−３−１．接客部の構成］
接客部１２は、使用者（すなわち金融機関の顧客等）との間で紙幣を受け渡す（授受する）ことにより、該使用者に紙幣を入金させ、又は該使用者に紙幣を出金する。この接客部１２は、上部ユニット１０Ｕの内部における前上部であり、現金自動預払機１（図１）内において使用者と対峙する位置に配置されている。
【００２６】
また接客部１２は、外側部分を構成する接客部フレーム３０の内部に、紙幣を収容する収容器３１を有している。収容器３１は、上側が開放された中空の直方体状に構成されており、例えば最大で２００枚の紙幣を、それぞれの紙面を前後方向に向けて前後方向に沿って整列させた状態、すなわち集積した状態で収容できる。因みに収容器３１の内部には、前後方向へ移動可能な板状の仕切板（図示せず）が設けられている。この仕切板は、収容器３１内の空間を前後方向に仕切り、また収容されている紙幣を前方向へ押し付けることにより、後述する紙幣の放出や分離を補助するようになっている。
【００２７】
また接客部フレーム３０における収容器３１の上側部分には、上下方向に貫通した孔部が形成されており、この孔部を可動式のシャッタ３２により開放又は閉塞し得るようになっている。因みにシャッタ３２は、筐体２の入出金口５（図１）に設けられたシャッタと連動するようになっている。このため接客部１２は、シャッタ３２を入出金口５のシャッタと共に開放した場合には、使用者に収容器３１内へ紙幣を投入させ、或いは該収容器３１内から紙幣を取り出させることができる。また接客部１２は、シャッタ３２を入出金口５のシャッタと共に閉塞した場合には、収容器３１内に収容されている紙幣を保護することができる。
【００２８】
収容器３１の前下側には、収容器３１内に収容されている紙幣を１枚ずつに分離して下方へ搬送する分離部３１Ｓが設けられている。分離部３１Ｓの下側には、紙幣を案内する搬送ガイドや回転する搬送ローラ等により、概ね上下方向に沿った搬送路３３が形成されている。接客部１２は、分離部３１Ｓにより分離された紙幣を搬送路３３に沿って下方へ搬送し、下側に位置する上前搬送部１３に引き渡す。
【００２９】
また収容器３１の後下側には、紙幣を収容器３１内へ放出する放出部３１Ｅが設けられている。放出部３１Ｅの下側には、後側に配置された上後搬送部１５との間に、複数の搬送ガイド及び搬送ローラ等により、後下側と前上側とを結ぶ搬送路３４が形成されている。この搬送路３４における前後方向の中程には、集積搬送部３５が設けられている。集積搬送部３５は、搬送路３４の上側に配置された上部搬送ベルト３６と、その下側に配置された下部搬送ベルト３７とにより構成されている。
【００３０】
上部搬送ベルト３６は、前後方向に離れた位置にそれぞれ配置されたプーリの周囲を周回するようにベルトが張架された構成となっており、該ベルトの下面を搬送路３４に沿わせるように設置されている。下部搬送ベルト３７は、概ね上部搬送ベルト３６と同様に構成されており、前側のプーリの上端近傍を上部搬送ベルト３６における前側のプーリの下端近傍に当接させている。その一方で下部搬送ベルト３７には、後側のプーリを主に上下方向へ移動させる移動機構が組み込まれており、この後側のプーリにおける上端近傍を、上部搬送ベルト３６における後側のプーリの下端近傍に当接させ、若しくはこの下端近傍から引き離し得るようになっている。
【００３１】
かかる構成により集積搬送部３５は、下部搬送ベルト３７における後側のプーリを上方に位置させてその上端近傍を上部搬送ベルト３６における後側のプーリの下端近傍に当接させた場合、下部搬送ベルト３７におけるベルトの上面を上部搬送ベルト３６におけるベルトの下面とほぼ当接させ、搬送路３４に沿わせた搬送状態となる。この搬送状態において集積搬送部３５は、後方から紙幣が搬送されてくると、各プーリを適宜回転させて各ベルトを走行させることにより、紙幣を搬送路３４に沿って前方へ搬送し、やがて放出部３１Ｅに到達させて収容器３１内へ放出させる。
【００３２】
一方、集積搬送部３５は、下部搬送ベルト３７における後側のプーリを下方に位置させて上部搬送ベルト３６における後側のプーリから十分に引き離した場合、上部搬送ベルト３６におけるベルトの下面と下部搬送ベルト３７におけるベルトの上面との間に十分な大きさの集積空間を形成した集積状態となる。この集積状態において集積搬送部３５は、後方から紙幣が搬送されてくると、ベルトを静止した状態とすることにより、この紙幣を集積空間内へ順次放出し、下部搬送ベルト３７の上側に集積させて紙幣の束を形成していく。
【００３３】
その後、集積搬送部３５は、下部搬送ベルト３７における後側のプーリを上方へ移動させてその上端近傍を上部搬送ベルト３６における後側のプーリの下端近傍に寄せて搬送状態とし、上部搬送ベルト３６におけるベルトの下面と下部搬送ベルト３７におけるベルトの上面との間に紙幣の束を挟持する。その上で集積搬送部３５は、各プーリを適宜回転させて各ベルトを走行させることにより、紙幣の束を搬送路３４に沿って前方へ搬送し、やがて束状のまま放出部３１Ｅに到達させて収容器３１内へ放出させることができる。
【００３４】
因みに接客部１２では、放出部３１Ｅから収容器３１内へ放出された紙幣は、搬送路３４において先頭側であった辺を上方に向け、且つ末尾側であった辺を下方に向けた姿勢で該収容器３１内に収容される。一方、分離部３１Ｓは、収容器３１内において下側に位置する辺を先頭側として取り込み、搬送路３３に沿って搬送させる。すなわち接客部１２は、搬送路３４により搬送されてきた紙幣を一度収容器３１内に収容した後、分離部３１Ｓにより再び分離して搬送路３３に引き渡す場合、この紙幣における先頭側及び末尾側を入れ替えることになる。
【００３５】
［１−３−２．上前搬送部の構成］
上前搬送部１３は、上部ユニット１０Ｕの内部における前下側に位置しており、接客部１２の下側部分のうち前側の約１／３の範囲を占めている。この上前搬送部１３には、その内部における中央付近に上前切替部４１が配置されており、その周囲に複数の搬送ローラ対及び複数の搬送ガイドにより３本の搬送路が形成されている。
【００３６】
上前切替部４１は、ブレードと呼ばれる部材（図中三角形で示す）及びその周囲に配置された複数のローラにより構成されている。ブレードは、左右方向に長く、且つ左右方向から見て楔形に形成されており、回転して傾斜方向を変化させることで、紙幣の搬送方向を２通りに切り替える。各ローラは、紙幣の搬送路を挟んで互いに対向するように配置されている。上前切替部４１は、紙幣制御部１１の制御に従い、各紙幣の搬送先に応じてブレードの姿勢（すなわち紙幣を案内する面の傾斜角度）を変化させると共に各ローラを所定の回転方向へ回転させることにより、紙幣の搬送経路を２通りに切り替えて所望の搬送先へ搬送することができる。このため以下では、上前切替部４１のように紙幣の搬送経路を２通りに切り替える切替部を２ウェイの切替部とも呼ぶ。
【００３７】
上前切替部４１の周囲には、前上方へ向かい接客部１２の搬送路３３と接続された搬送路４２、後方へ向かい鑑別部１４と接続された搬送路４３、及び下方へ向かう搬送路４４が形成されている。因みに搬送路４４の下端は、上部ユニット前受渡口Ｔ１１となっており、後述するように、下部ユニット１０Ｌとの間で紙幣を受け渡すことができる。また上前切替部４１の前上側には、搬送路４２を挟む位置に、紙幣に駆動力を伝達する搬送ローラ対４５が設けられている。
【００３８】
この上前切替部４１は、紙幣制御部１１の制御に基づき、前上側の搬送路４２及び後側の搬送路４３を接続する搬送経路と、下側の搬送路４４及び後側の搬送路４３を接続する搬送経路とを切り替えることができる。
【００３９】
このため上前搬送部１３は、例えば接客部１２の搬送路３３から紙幣が搬送されてきた場合、この紙幣を搬送路４２及び４３に沿って進行させ、後側の鑑別部１４に引き渡すことができる。また上前搬送部１３は、例えば鑑別部１４から紙幣が搬送されてきた場合、この紙幣を搬送路４３及び４４に沿って進行させ、下側の下部ユニット１０Ｌ（図２）に引き渡すことができる。さらに上前搬送部１３は、例えば下側の下部ユニット１０Ｌ（図２）から紙幣が搬送されてきた場合、この紙幣を搬送路４４及び４３に沿って進行させ、後側の鑑別部１４に引き渡すことができる。
【００４０】
［１−３−３．鑑別部の構成］
鑑別部１４は、上部ユニット１０Ｕにおける下側部分のうち中央付近に位置しており、接客部１２の下側であって、且つ上前搬送部１３の後側に位置している。この鑑別部１４は、その内部において、複数の搬送ガイドや搬送ローラ対等により、前後方向に貫通するような直線状の鑑別搬送路４８が形成されている。そのうえで鑑別部１４は、この鑑別搬送路４８に沿って磁気センサ、真偽センサ４９Ａ、イメージセンサ４９Ｂ及び走行センサ４９Ｃといった複数種類のセンサ４９が順次配置されている。
【００４１】
真偽センサ４９Ａは、例えば磁気センサでなり、搬送経路上を搬送される紙幣の磁気を検知し、その検知結果を紙幣制御部１１へ送出する。紙幣制御部１１は、真偽センサ４９Ａから供給された検知結果を基に、紙幣が真正なもの（いわゆる真券）又は偽造されたもの（いわゆる偽券）の何れであるかを判断する。
【００４２】
イメージセンサ４９Ｂは、鑑別搬送路４８を挟んで対向する２個の撮像素子を有している。この撮像素子は、鑑別搬送路４８に沿って搬送される紙幣の両面をそれぞれ撮像して画像データを生成し、これらを紙幣制御部１１へ送出する。紙幣制御部１１は、予め記憶している金種ごとの画像データと供給された画像データとを比較することにより、各紙幣の金種や損傷の程度等を認識し、さらに各紙幣に記されている個別の記番号を認識することができる。また紙幣制御部１１は、鑑別部１４内において紙幣の表面及び裏面のうちいずれが所定の基準方向（例えば下方向）を向いているかを認識することもできる。
【００４３】
走行センサ４９Ｃは、例えば厚みセンサ及び光学センサを有している。厚みセンサは、鑑別搬送路４８に沿って搬送される紙幣の厚みを検知し、その検知結果を紙幣制御部１１へ供給する。紙幣制御部１１は、厚みセンサから供給された検知結果を基に、搬送されている紙幣の厚みが１枚分又は２枚以上の何れに相当するかを判断する。光学センサは、例えば光を発光する発光素子とこの光を受光する受光素子とが鑑別搬送路４８を挟んで対向するように配置され、当該鑑別搬送路４８に沿って搬送される紙幣により光が遮光されたか否かを検知し、その検知結果を紙幣制御部１１へ送出する。
【００４４】
紙幣制御部１１は、走行センサ４９Ｃから得られる検知結果を基に、紙幣同士の間隔、搬送方向に対する紙幣の傾き（いわゆるスキュー）の有無、及び紙幣同士の重なり（いわゆる重送や連鎖）の有無等といった紙幣の搬送状態を認識する。
【００４５】
このように鑑別部１４は、各センサ４９（真偽センサ４９Ａ、イメージセンサ４９Ｂ及び走行センサ４９Ｃ）により、鑑別搬送路４８に沿って搬送される紙幣からそれぞれ得られる検知結果を鑑別結果として紙幣制御部１１へ送出する。これに応じて紙幣制御部１１は、この鑑別結果を基に紙幣の金種、真偽、正損（損傷しているか否か）等を判断すると共に搬送状態を認識し、得られた結果を基に該紙幣の搬送先を決定することができる。因みに鑑別部１４は、認識部とも呼ばれる。
【００４６】
［１−３−４．上後搬送部の構成］
上後搬送部１５は、上部ユニット１０Ｕにおける中央よりもやや後側の約１／４の範囲を占めており、接客部１２及び鑑別部１４の後側に位置している。この上後搬送部１５は図４（Ｂ）に模式的な拡大図を示すように、その内部における中央付近に上後切替部５１が配置され、その前上側に一時保留切替部５２が配置され、その後側に区別切替部５３が配置され、さらに各切替部に対して搬送路が３本ずつ接続されている。
【００４７】
因みに上後搬送部１５では、上前搬送部１３等と同様、紙幣を案内する搬送ガイド及び紙幣に駆動力を伝達する搬送ローラ対が適宜配置されており、上述した搬送路に沿って紙幣を搬送するようになっている。また図４（Ｂ）では、説明の都合上、搬送ローラを省略し、搬送路を実線により表している。
【００４８】
上後切替部５１は、上前切替部４１と同様に２ウェイとして構成され、前下側の搬送路５４、前上側の搬送路５５及び後側の搬送路５６と接続されている。すなわち上後切替部５１は、前下側の搬送路５４及び前上側の搬送路５５を接続する搬送経路と、前下側の搬送路５４及び後側の搬送路５６を接続する搬送経路とを切り替えることができる。
【００４９】
このため上後搬送部１５は、例えば鑑別部１４から紙幣が搬送されてきた場合、この紙幣を搬送路５４及び５５に沿って進行させ、前上側の一時保留切替部５２に引き渡すことができ、或いは搬送路５４及び５６に沿って進行させ、後側の区別切替部５３に引き渡すこともできる。さらに上後搬送部１５は、搬送路５５又は搬送路５６から搬送されてきた紙幣を搬送路５４に沿って前下方へ進行させ、鑑別部１４へ引き渡すこともできる。
【００５０】
一時保留切替部５２は、上述した上後切替部５１と同様に、中心に位置するブレードを回転させて姿勢を変化させるものの、該上後切替部５１等と異なり、紙幣の搬送経路を３通りに切り替える、いわゆる３ウェイの切替部となっている。
【００５１】
一時保留切替部５２は、後下側の搬送路５５により上後切替部５１と接続され、前側の搬送路５７により接客部１２の搬送路３４（図４（Ａ））と接続され、且つ上側の搬送路５８により一時保留部１６と接続されている。この一時保留切替部５２は、紙幣制御部１１の制御に基づき、後下側の搬送路５５及び前側の搬送路５７を接続する搬送経路と、後下側の搬送路５５及び上側の搬送路５８を接続する搬送経路と、前側の搬送路５７及び上側の搬送路５８を接続する搬送経路とを切り替えることができる。
【００５２】
すなわち一時保留切替部５２は、上後切替部５１から搬送路５５に沿って搬送されてきた紙幣を、搬送路５７に沿って搬送させ接客部１２の搬送路３４に引き渡すこと、又は搬送路５８に沿って搬送させ一時保留部１６へ引き渡すことができる。また一時保留切替部５２は、一時保留部１６から搬送路５８に沿って搬送されてきた紙幣を、搬送路５７に沿って搬送させ接客部１２の搬送路３４に引き渡すこと、又は搬送路５５に沿って搬送させ上後切替部５１に引き渡すことができる。換言すれば、一時保留切替部５２は、上後切替部５１、接客部１２及び一時保留部１６のうち何れか２箇所を接続することができる。
【００５３】
区別切替部５３は、上述した一時保留切替部５２と同様に構成されており、紙幣の搬送経路を３通りに切り替える３ウェイの切替部となっている。区別切替部５３には、前側の搬送路５６により上後切替部５１と接続され、下側の搬送路５９により上部ユニット後受渡口Ｔ１２と接続され、且つ上側の搬送路６０によりリジェクト庫１７と接続されている。この区別切替部５３は、紙幣制御部１１の制御に基づき、前側の搬送路５６及び下側の搬送路５９を接続する搬送経路と、前側の搬送路５６及び上側の搬送路６０を接続する搬送経路と、下側の搬送路５９及び上側の搬送路６０を接続する搬送経路とを切り替えることができる。
【００５４】
すなわち区別切替部５３は、上後切替部５１から搬送路５６に沿って搬送されてきた紙幣を、搬送路５９に沿って搬送させ上部ユニット後受渡口Ｔ１２から下部ユニット１０Ｌに引き渡すこと、又は搬送路６０に沿って搬送させリジェクト庫１７へ引き渡すことができる。また区別切替部５３は、下部ユニット１０Ｌから搬送路５９に沿って搬送されてきた紙幣を、搬送路５６に沿って搬送させ上後切替部５１に引き渡すこと、又は搬送路６０に沿って搬送させリジェクト庫１７に引き渡すことができる。
【００５５】
かかる構成により上後搬送部１５は、前下側の鑑別部１４から紙幣が搬送されてきた場合、これを前上側の接客部１２、後上側の一時保留部１６、後下側のリジェクト庫１７、又は下側の下部ユニット１０Ｌ（図２）に引き渡すことができる。また上後搬送部１５は、後上側の一時保留部１６から紙幣が搬送されてきた場合、これを前下側の鑑別部１４又は前上側の接客部１２に引き渡すことができる。さらに上後搬送部１５は、下側の下部ユニット１０Ｌから紙幣が搬送されてきた場合、これを前下側の鑑別部１４又は後下側のリジェクト庫１７に引き渡すことができる。
【００５６】
［１−３−５．一時保留部及びリジェクト庫の構成］
一時保留部１６（図２）は、いわゆるテープエスクロ方式を採用しており、円筒状に形成され回転するドラムや、このドラムの周側面に一端が固定されたテープ、このテープを他端側から巻き取るリール、及び紙幣を搬送する搬送ローラ等を有している。
【００５７】
この一時保留部１６は、上後搬送部１５から紙幣を受け取ると、この紙幣をドラムの周側面近傍まで搬送し、該ドラムを回転させることにより、紙幣をテープと共に周側面に巻き付けて収納する。また一時保留部１６は、紙幣を繰り出す場合、リールを回転させると共にドラムを収納時と反対方向に回転させることにより、該ドラムの周側面からテープと共に紙幣を引き剥がし、これを搬送して上後搬送部１５に順次引き渡す。
【００５８】
リジェクト庫１７は、内部に紙幣を収納する収納空間を有すると共に、この収納空間内へ紙幣を放出する放出機構を有している。このリジェクト庫１７は、上後搬送部１５から紙幣を受け取ると、この紙幣を放出機構により収納空間内へ放出し、集積した状態で収納する。
【００５９】
因みにリジェクト庫１７には、例えば損傷の程度が大きく出金すべきで無いと判断された紙幣（以下これをリジェクト紙幣と呼ぶ）が搬送され、収納される。すなわちリジェクト庫１７は、再利用が可能である正常な紙幣と区別して、このリジェクト紙幣を内部に収納することができる。このため以下では、このリジェクト庫１７を区別収納庫とも呼ぶ。
【００６０】
またリジェクト庫１７は、上部ユニット１０Ｕが紙幣入出金機フレーム１０Ｆから前方に引き出された状態（図３（Ａ））において、該上部ユニット１０Ｕに対して着脱可能となっている。このリジェクト庫１７は、リジェクト紙幣が収納されると、定期的な保守作業等の機会に、金融機関の職員等により上部ユニット１０Ｕから取り外されて所定の場所へ運搬された後、その内部に収納されていた紙幣が取り出される。その後、リジェクト庫１７は、内部に紙幣を収納していない状態、すなわち空の状態で再び上部ユニット１０Ｕに装着される。
【００６１】
［１−４．下部ユニットの構成］
図２の一部を拡大した図５に示すように、下部ユニット１０Ｌにおける上端部分には、概ね前後方向に沿って紙幣を搬送する下搬送部２１が配置されている。該下搬送部２１の下側には、下部フレーム２０が設けられている。下部フレーム２０は、中空の直方体状に形成されており、その上側が開放されると共に、内部の空間が前後方向に沿って３枚の仕切板（図示せず）により４個の空間に区分されている（以下、区分された各空間を装填空間とも呼ぶ）。
【００６２】
この下部フレーム２０における各装填空間には、前側から後側へ向けて、再利用（リサイクル）が可能な紙幣を収納する４個の紙幣収納庫２２（２２Ａ、２２Ｂ、２２Ｃ及び２２Ｄ）が前後方向に沿って配置されている。
【００６３】
因みに下部フレーム２０における右上端近傍には、図示しない蝶番が設けられており、この蝶番により、上側の下搬送部２１を回動可能に支持している。換言すれば、下部フレーム２０は、この蝶番を回動中心として下搬送部２１が回動されることにより、上側を閉塞又は開放することができる。このため下部ユニット１０Ｌでは、紙幣入出金機フレーム１０Ｆから前方に引き出された状態（図３（Ｂ））において、下搬送部２１が右方向へ回動されて下部フレーム２０の上側が開放された状態にされると、各紙幣収納庫２２を各装填空間から取り出させ、又は各紙幣収納庫２２を各装填空間に装填させることができる。
【００６４】
［１−４−１．紙幣収納庫の構成］
紙幣収納庫２２（２２Ａ、２２Ｂ、２２Ｃ及び２２Ｄ）は、何れも同様に構成されており、上下方向に長い直方体状に形成されている。紙幣収納庫２２の内部には、紙幣を集積して収納する収納空間、該収納空間の上側に配置され紙幣の分離処理及び放出処理を行う分離放出部、及び該分離放出部と紙幣収納庫２２の上端との間で紙幣を搬送する収納庫搬送部等が設けられている。また各紙幣収納庫２２は、それぞれ収納すべき紙幣の金種が予め設定されている。
【００６５】
紙幣収納庫２２は、紙幣を収納する収納処理を行う場合、上側の下搬送部２１から紙幣を受け取ると、この紙幣を収納庫搬送部により分離放出部へ搬送して収納空間内へ放出し、該収納空間内に集積した状態で収納する。また紙幣収納庫２２は、紙幣を繰り出す繰出処理を行う場合、収納空間内に集積された紙幣を分離放出部により１枚ずつに分離し、これを収納庫搬送部により上方へ搬送して上側の下搬送部２１に引き渡すことにより繰り出す。因みに紙幣収納庫２２は、紙幣制御部１１の制御により、繰出処理のみを行う出金庫として動作することや、収納処理のみを行う入金庫として動作することもできる。
【００６６】
各紙幣収納庫２２は、下部フレーム２０の装填空間から取り外された場合、金融機関の職員等により所定の場所へ運搬された後、その内部に収納されていた紙幣が取り出され、或いは紙幣が収納される。このとき収納される紙幣は、所定の紙幣処理装置等により金種、真偽、損傷の程度等が鑑別された、再利用が可能なものであり、出金処理において使用者へ出金し得るような良好な状態となっている。
【００６７】
［１−４−２．下搬送部の構成］
下搬送部２１（図５）には、その内部における前端近傍であって、紙幣収納庫２２Ａのほぼ真上となる位置に、切替部６１が配置されている。また下搬送部２１には、切替部６１の後方であって紙幣収納庫２２Ｂ及び２２Ｃのほぼ真上となるそれぞれの箇所に、切替部６２及び６３がそれぞれ配置されている。さらに切替部６３の後側には、切替部６６が配置されている。
【００６８】
収納切替部としての切替部６１及び６２は、何れも上部ユニット１０Ｕ（図４（Ａ））の上前切替部４１等と同様に２ウェイとして構成されている。また切替部６１及び６２の周囲には、上前切替部４１等の場合と同様に、複数の搬送ローラ及び複数の搬送ガイド等により搬送路が３本ずつ形成されている。
【００６９】
切替部６１の周囲には、上方へ向かう搬送路７１、下方へ向かい紙幣収納庫２２Ａと接続された搬送路７２、及び後方へ向かい切替部６２と接続された搬送路７３が設けられている。この切替部６１は、上側の搬送路７１及び下側の搬送路７２を接続する搬送経路と、上側の搬送路７１及び後側の搬送路７３を接続する搬送経路とを切り替えることができる。因みに搬送路７１の上端は、下部ユニット前受渡口Ｔ２１となっており、上述した上部ユニット１０Ｕの上部ユニット前受渡口Ｔ１１（図４（Ａ））との間で紙幣を相互に受け渡すことができる。
【００７０】
切替部６２の周囲には、搬送路７３に加えて、下方へ向かい紙幣収納庫２２Ｂと接続された搬送路７４、及び後方へ向かい切替部６３に接続された搬送路７５が設けられている。この切替部６２は、前側の搬送路７３及び下側の搬送路７４を接続する搬送経路と、前側の搬送路７３及び後側の搬送路７５を接続する搬送経路とを切り替えることができる。
【００７１】
切替部６３及び６６は、何れも上部ユニット１０Ｕ（図４（Ａ））の一時保留切替部５２等と同様に３ウェイとして構成されており、紙幣制御部１１の制御に基づいてブレードの傾斜方向を変化させ、紙幣の搬送経路を３通りに切り替えることができる。また切替部６３及び６６の周囲には、複数の搬送ローラ及び複数の搬送ガイド等により搬送路が３本ずつ形成されている。
【００７２】
双方向収納切替部としての切替部６３の周囲には、搬送路７５に加えて、下方へ向かい双方向収納庫としての紙幣収納庫２２Ｃと接続された搬送路７６、及び後方へ向かい切替部６６と接続された搬送路７７が設けられている。この切替部６３は、前側の搬送路７５及び下側の搬送路７６を接続する搬送経路と、前側の搬送路７５及び後側の搬送路７７を接続する搬送経路と、後側の搬送路７７及び下側の搬送路７６を接続する搬送経路とを切り替えることができる。
【００７３】
振分切替部としての切替部６６の周囲には、搬送路７７に加えて、後方ないし下方へ向かい紙幣収納庫２２Ｄと接続された搬送路７８、及び上方へ向かう搬送路７９が設けられている。この切替部６６は、前側の搬送路７７及び後側の搬送路７８を接続する搬送経路と、前側の搬送路７７及び上側の搬送路７９を接続する搬送経路と、後側の搬送路７８及び上側の搬送路７９を接続する搬送経路とを切り替えることができる。因みに搬送路７９の上端は、下部ユニット後受渡口Ｔ２２となっており、上述した上部ユニット１０Ｕの上部ユニット後受渡口Ｔ１２（図４（Ａ））との間で紙幣を相互に受け渡すことができる。
【００７４】
かかる構成により下搬送部２１は、例えば上部ユニット１０Ｕ（図４（Ａ））から下部ユニット前受渡口Ｔ２１を介して紙幣が搬送されてきた場合、この紙幣を紙幣収納庫２２Ａ〜２２Ｄへ搬送して収納させること、或いは下部ユニット後受渡口Ｔ２２から上部ユニット１０Ｕへ戻すことができる。また下搬送部２１は、紙幣収納庫２２Ａ〜２２Ｄから紙幣を受け取った場合、これを下部ユニット前受渡口Ｔ２１へ搬送して上部ユニット１０Ｕに引き渡すこともできる。
【００７５】
さらに下搬送部２１は、例えば上部ユニット１０Ｕから下部ユニット後受渡口Ｔ２２を介して紙幣が搬送されてきた場合、この紙幣を紙幣収納庫２２Ｃ又は２２Ｄへ搬送して収納させることができる。また下搬送部２１は、紙幣収納庫２２Ｃ又は２２Ｄから紙幣を受け取った場合、これを下部ユニット後受渡口Ｔ２２へ搬送して上部ユニット１０Ｕに引き渡すこともできる。
【００７６】
すなわち下搬送部２１は、上部ユニット１０Ｕから搬送されてきた紙幣を適宜振り分けて各紙幣収納庫２２（２２Ａ〜２２Ｄ）へ搬送して収納させることができる。このため以下では、下搬送部２１を振分搬送部とも呼ぶ。
【００７７】
［１−５．紙幣入出金機における各種処理］
次に、図６に示すように紙幣入出金機１０（図２、図４及び図５）を模式化した上で、該紙幣入出金機１０における紙幣の搬送を伴う種々の処理、すなわち入金処理及び出金処理等について、それぞれ詳細に説明する。
【００７８】
紙幣入出金機１０は、紙幣入出金機フレーム１０Ｆ（図２）に上部ユニット１０Ｕ及び下部ユニット１０Ｌが格納されることにより、その前端近傍において上部ユニット前受渡口Ｔ１１（図４（Ａ））及び下部ユニット前受渡口Ｔ２１（図５）を接続し、これにより両者の間で紙幣を受け渡す前接続口Ｃ１（図２、図６）を形成している。またこのとき紙幣入出金機１０は、その後端近傍において、上部ユニット後受渡口Ｔ１２（図４（Ａ））及び下部ユニット後受渡口Ｔ２２（図５）を接続し、これにより両者の間で紙幣を受け渡す後接続口Ｃ２（図２、図６）を形成している。
【００７９】
図６では、接客部１２、鑑別部１４、一時保留部１６、リジェクト庫１７及び紙幣収納庫２２（２２Ａ〜２２Ｄ）を、それぞれ単純な長方形により表している。また以下では、これらを単にモジュールとも呼ぶ。さらに図６では、上前搬送部１３の上前切替部４１、上後搬送部１５の上後切替部５１、一時保留切替部５２及び区別切替部５３、並びに下搬送部２１の切替部６１、６２、６３及び６４を、それぞれ単純な三角形により表している。また以下では、これらを単に切替部とも呼ぶ。
【００８０】
さらに図６では、各モジュール及び各切替部をそれぞれ結ぶ搬送路を線分（すなわち直線、曲線又はこれらの組合せ）により表している。ただしこの図６では、一部において、各モジュールや各搬送部を互いに接続する複数の搬送路をまとめて１つの搬送路としている。
【００８１】
このうち基幹搬送路ＷＰは、上前搬送部１３の搬送路４３、鑑別部１４の鑑別搬送路４８及び上後搬送部１５の搬送路５４に相当する。すなわちこの基幹搬送路ＷＰは、上前切替部４１及び上後切替部５１を結んで鑑別部１４内を貫通する、概ね前後方向に沿った搬送路となっている。
【００８２】
搬送路Ｗ１は、接客部１２の搬送路３３及び上前搬送部１３の搬送路４２に相当する。搬送路Ｗ２は、上後搬送部１５の搬送路５５に相当する。搬送路Ｗ３は、上後搬送部１５の搬送路５８に相当する。搬送路Ｗ４は、上後搬送部１５の搬送路５７及び接客部１２の搬送路３４に相当する。搬送路Ｗ５は、上前搬送部１３の搬送路４４及び下搬送部２１の搬送路７１に相当する。
【００８３】
搬送路Ｗ６Ａ、Ｗ６Ｂ、Ｗ６Ｃ及びＷ６Ｄは、それぞれ下搬送部２１の搬送路７２、７４、７６及び７８に相当する。またこの搬送路Ｗ６Ａ、Ｗ６Ｂ、Ｗ６Ｃ及びＷ６Ｄをまとめて搬送路Ｗ６とも呼ぶ。搬送路Ｗ７Ａ、Ｗ７Ｂ及びＷ７Ｃは、それぞれ下搬送部２１の搬送路７３、７５及び７７に相当する。またこの搬送路Ｗ７Ａ、Ｗ７Ｂ及びＷ７Ｃをまとめて搬送路Ｗ７とも呼ぶ。説明の都合上、以下では搬送路Ｗ７を振分搬送路とも呼ぶ。
【００８４】
搬送路Ｗ８は、下搬送部２１の搬送路７９及び上後搬送部１５の搬送路５９に相当する。搬送路Ｗ９は、上後搬送部１５の搬送路６０に相当する。搬送路Ｗ１０は、上後搬送部１５の搬送路５６に相当する。これに加えて接客部１２の収容器３１では、放出部３１Ｅから放出された紙幣を分離部３１Ｓから再び取り込んで搬送路Ｗ１へ搬送することができる。そこで以下では、この収容器３１内に放出部３１Ｅ及び分離部３１Ｓを結ぶ仮想的な搬送路Ｗ１１が形成されているものと見なす。
【００８５】
ここで図６を改めて見ると、紙幣入出金機１０では、鑑別部１４の上側及び下側に、それぞれ環状の搬送路が形成されていることが分かる。すなわち鑑別部１４の上側には、上前切替部４１から時計回りに、基幹搬送路ＷＰ並びに搬送路Ｗ２、Ｗ４、Ｗ１１及びＷ１１によって環状の搬送路が形成されている。以下では、この環状の搬送路を上環状搬送路ＷＣＵ又は第１搬送路と呼ぶ。
【００８６】
また鑑別部１４の下側には、上前切替部４１から時計回りに、搬送路Ｗ５、Ｗ７、Ｗ８及びＷ１０並びに基幹搬送路ＷＰによって環状の搬送路が形成されている。以下では、この環状の搬送路を下環状搬送路ＷＣＬ又は第２搬送路と呼ぶ。また以下では、この下環状搬送路ＷＣＬから分岐された搬送路Ｗ６Ｄを分岐搬送路と呼び、さらに紙幣収納庫２２Ｄを分岐収納庫とも呼ぶ。
【００８７】
［１−５−１．入金処理及び収納処理］
まず、現金自動預払機１（図１）において使用者（すなわち金融機関の顧客等）との間で入金取引が行われる場合について説明する。この場合、紙幣入出金機１０は、前段の入金処理（入金計数処理又は受入処理とも呼ばれる）により、使用者に入金された紙幣の金種等を鑑別しながら枚数を計数し、これに続く後段の収納処理（入金収納処理とも呼ばれる）により、各紙幣を適切な収納箇所へ搬送して収納するようになっている。
【００８８】
具体的に紙幣入出金機１０の紙幣制御部１１は、現金自動預払機１の主制御部９（図１）と連携することにより、操作表示部６（図１）を介して使用者から入金取引を開始する旨の操作入力を受け付けると、入金処理を開始する。このとき紙幣入出金機１０は、まず接客部１２のシャッタ３２（図４）等を開いて使用者に収容器３１内へ紙幣を投入させる。次に紙幣制御部１１は、使用者から操作表示部６（図１）を介して紙幣の取り込みを開始する操作入力を受け付けると、接客部１２のシャッタ３２等を閉塞した上で、分離部３１Ｓにより当該収容器３１内の紙幣を１枚ずつに分離し、その下流側に位置する搬送路Ｗ１に順次引き渡す。
【００８９】
さらに紙幣入出金機１０は、図７（Ａ）に示す矢印Ｒ１のように、紙幣を搬送路Ｗ１及び基幹搬送路ＷＰに沿って搬送することにより、鑑別部１４において該紙幣を鑑別し、得られた鑑別結果を紙幣制御部１１へ供給する。これに応じて紙幣制御部１１は、取得した鑑別結果を基に、まず各紙幣における損傷の程度や金種、或いは真偽を判断する。次に紙幣制御部１１は、各紙幣について、正常な紙幣として認識でき以降の処理を継続できる入金受入紙幣であるか、或いは正常な紙幣として認識できないため使用者に返却すべき入金リジェクト紙幣であるかを判断する。また紙幣制御部１１は、発生した入金リジェクト紙幣の枚数を計数し、記憶しておく。
【００９０】
紙幣入出金機１０は、紙幣制御部１１の制御に基づき、紙幣ごとの鑑別結果に応じて搬送経路を切り替えながら紙幣を搬送する。具体的に紙幣入出金機１０は、入金受入紙幣については、矢印Ｒ２として示すように、引き続き基幹搬送路ＷＰに沿って搬送し、さらに搬送路Ｗ２及びＷ３に沿って搬送して一時保留部１６に順次引き渡し、順次収納させる。
【００９１】
一方、紙幣入出金機１０は、入金リジェクト紙幣については、一時保留切替部５２まで入金受入紙幣と同様に搬送した後、矢印Ｒ３として示すように、搬送路Ｗ４に沿って搬送し、接客部１２内へ進行させていく。このとき接客部１２は、予め集積搬送部３５を集積状態としておくことにより、搬送されてくる入金リジェクト紙幣を該集積搬送部３５の集積空間内に順次放出し、束状に集積させていく。
【００９２】
やがて紙幣入出金機１０は、接客部１２の収容器３１内から紙幣を全て繰り出し終えると、集積搬送部３５に１枚以上の紙幣（すなわち入金リジェクト紙幣）を収納している場合、該集積搬送部３５を搬送状態に遷移させ、集積されている入金リジェクト紙幣を束状のまま搬送路Ｗ４に沿って放出部３１Ｅへ搬送し、該収容器３１内へ放出させる。なお、このとき紙幣入出金機１０は、この入金リジェクト紙幣について、分離部３１Ｓから再び取り込んで鑑別部１４により鑑別する処理を所定の上限回数以内で繰り返し、最終的に入金リジェクト紙幣と判断された紙幣を収容器３１に収容し、シャッタ３２（図４）等を開放して使用者に返却するようにしても良い。
【００９３】
一方、紙幣入出金機１０は、集積搬送部３５に紙幣を収納していなければ、入金処理を完了する。このとき紙幣入出金機１０は、紙幣制御部１１において、接客部１２から取り込んだ紙幣の金種及び枚数の集計結果を基に入金額を算出すると共に、所定の操作指示画面を操作表示部６（図１）に表示させ、使用者にこの入金額を提示すると共に入金取引を継続するか否かを選択させる。
【００９４】
ここで紙幣入出金機１０は、使用者により入金取引の中止が指示された場合、一時保留部１６に保留している全ての紙幣を搬送路Ｗ３及びＷ４沿って順次搬送し、接客部１２の収容器３１内に放出してから、シャッタ３２（図４）等を解放して使用者に返却する。
【００９５】
一方、紙幣入出金機１０は、使用者により入金取引の継続が指示された場合、図７（Ｂ）に示すように、収納処理を開始する。具体的に紙幣制御部１１は、一時保留部１６に収納している紙幣（入金受入紙幣）を順次繰り出し、矢印Ｒ４として示すように、搬送路Ｗ３及びＷ２並びに基幹搬送路ＷＰに沿って鑑別部１４へ搬送し、順次鑑別させる。このとき紙幣制御部１１は、鑑別部１４から得られる鑑別結果を基に、損傷の程度が大きいリジェクト紙幣についてはリジェクト庫１７を、正常であり再利用可能な紙幣については金種ごとの各紙幣収納庫２２（２２Ａ〜２２Ｄ）を、それぞれ搬送先として決定する。
【００９６】
続いて紙幣入出金機１０は、正常な紙幣を、矢印Ｒ５として示すように、引き続き基幹搬送路ＷＰに沿って搬送し、さらに搬送路Ｗ５、Ｗ６及びＷ７の一部に沿って搬送することにより、それぞれの金種に応じた搬送先である各紙幣収納庫２２（２２Ａ〜２２Ｄ）へ搬送して収納させる。また紙幣入出金機１０は、リジェクト紙幣を、矢印Ｒ５に沿って切替部６６まで搬送した後、矢印Ｒ６のように搬送路Ｗ８及びＷ９に沿ってリジェクト庫１７へ搬送し、収納させる。
【００９７】
かくして紙幣入出金機１０は、再利用すべき通常の紙幣を金種ごとに分類して各紙幣収納庫２２に収納でき、また再利用すべきで無いリジェクト紙幣をリジェクト庫１７に収納できる。やがて紙幣入出金機１０は、一時保留部１６に収納された全ての紙幣をそれぞれの搬送先へ搬送し終えると、この収納処理を終了する。
【００９８】
［１−５−２．リジェクト転用モードにおける収納処理］
ところで紙幣入出金機１０では、リジェクト庫１７に収納可能な紙幣の枚数が比較的少ない一方、紙幣収納庫２２に収納可能な紙幣の枚数が極めて多くなっている。そこで紙幣入出金機１０では、例えば設置される地域や場所により、リジェクト紙幣が多く発生することが判明しており、このリジェクト紙幣をリジェクト庫１７に収納しきれない恐れがある場合等に、最も後側に位置する紙幣収納庫２２Ｄを、リジェクト紙幣を収納するための収納庫（すなわちリジェクト庫）に転用する。説明の都合上、以下では、紙幣収納庫２２Ｄをリジェクト庫に転用した動作モードを、リジェクト転用モードと呼ぶ。またこの場合、紙幣収納庫２２Ｄを転用リジェクト庫２２Ｄとも呼ぶ。
【００９９】
例えば紙幣入出金機１０は、リジェクト転用モードで収納処理を行う場合、図７（Ｂ）と対応する図７（Ｃ）に示すように、まず矢印Ｒ４に沿って鑑別部１４まで紙幣を搬送し、得られた鑑別結果に応じて紙幣の搬送先を決定する。このとき紙幣制御部１１は、鑑別部１４から得られる鑑別結果を基に、損傷の程度が大きいリジェクト紙幣については転用リジェクト庫２２Ｄを、正常であり再利用可能な紙幣については金種ごとの各紙幣収納庫２２（２２Ａ〜２２Ｃ）を、それぞれ搬送先として決定する。
【０１００】
続いて紙幣入出金機１０は、正常な紙幣を、矢印Ｒ７として示すように、基幹搬送路ＷＰ並びに搬送路Ｗ５、Ｗ６及びＷ７の一部に沿って搬送することにより、それぞれの金種に応じた搬送先である各紙幣収納庫２２（２２Ａ〜２２Ｃ）へ搬送して収納させる。また紙幣入出金機１０は、リジェクト紙幣を、矢印Ｒ７に沿って切替部６３まで搬送した後、矢印Ｒ８のように搬送路Ｗ７Ｃ及びＷ６Ｄに沿って転用リジェクト庫２２Ｄへ搬送し、収納させる。
【０１０１】
かくして紙幣入出金機１０は、リジェクト転用モードにおいても、再利用すべき通常の紙幣を金種ごとに分類して各紙幣収納庫２２（２２Ａ〜２２Ｃ）に収納できると共に、再利用すべきで無いリジェクト紙幣を転用リジェクト庫２２Ｄに区別して収納することができる。
【０１０２】
［１−５−３．出金処理］
次に、現金自動預払機１（図１）において使用者との間で出金取引が行われる場合について説明する。この場合、紙幣入出金機１０は、使用者に指定された金額に応じた金種及び枚数の紙幣を出金する出金処理を行うようになっている。この出金処理は、紙幣入出金機１０内の紙幣を外部へ排出する排出処理となっている。
【０１０３】
具体的に紙幣入出金機１０の紙幣制御部１１は、現金自動預払機１の主制御部９（図１）と連携することにより、操作表示部６（図１）を介して使用者から出金取引を開始する旨や出金額の操作入力を受け付けると、出金処理を開始する。このとき紙幣制御部１１は、まず出金額に応じた紙幣の金種及び枚数を決定する。続いて紙幣入出金機１０は、決定した金種及び枚数に応じて、各紙幣収納庫２２の内部に収納されている紙幣を１枚ずつに分離しながら繰り出し、下流の搬送路Ｗ６に順次引き渡す。
【０１０４】
続いて紙幣入出金機１０は、図８（Ａ）に示す矢印Ｒ９のように、紙幣を搬送路Ｗ６、Ｗ７及びＷ５並びに基幹搬送路ＷＰに沿って搬送し、鑑別部１４を通過する際に鑑別させる。ここで紙幣制御部１１は、鑑別部１４から得られる鑑別結果のうち主に走行状態を基に、正常な紙幣の搬送先を接客部１２に決定する一方、例えば重送されている等、走行状態に問題があるリジェクト紙幣の搬送先をリジェクト庫１７に決定する。
【０１０５】
紙幣入出金機１０は、正常な紙幣を、矢印Ｒ１０として示すように、基幹搬送路ＷＰ並びに搬送路Ｗ２及びＷ４に沿って下流の接客部１２へ搬送し、収容器３１の内部に放出して集積させる。因みに接客部１２は、このとき集積搬送部３５を搬送状態として、紙幣を該集積搬送部３５に集積せずに直接収容器３１内へ放出して集積させる。その後、紙幣入出金機１０は、接客部１２のシャッタ３２（図４）等を開放することにより、収容器３１内の紙幣を使用者に取り出させて出金する。また紙幣制御部１１は、リジェクト紙幣を、矢印Ｒ１０に沿って上後切替部５１まで搬送した後、矢印Ｒ１１として示すように、搬送路Ｗ１０及びＷ９に沿ってリジェクト庫１７へ搬送し、その内部に収納させる。
【０１０６】
因みに紙幣入出金機１０は、出金処理において複数枚の紙幣が重なる等して枚数が不明のリジェクト紙幣が発生した場合、これらの紙幣を一時保留部１６へ搬送して収納させる。この場合、一時保留部１６は、テープエスクロ方式であるために、複数枚のリジェクト紙幣が重複した状態のまま、ドラムに巻き付けて収納することができる。その後、紙幣入出金機１０は、出金処理の終了後に、一時保留部１６からリジェクト紙幣を繰り出させ、元の紙幣収納庫２２へ搬送して収納させる。これにより紙幣入出金機１０は、紙幣収納庫２２に収納している紙幣の枚数、いわゆる有高が不確定となる可能性を低減することができる。
【０１０７】
［１−５−４．リジェクト転用モードにおける出金処理］
紙幣入出金機１０は、リジェクト転用モードで出金処理を行う場合、図８（Ａ）と対応する図８（Ｂ）に示すように、まず矢印Ｒ９と対応する矢印Ｒ１２に沿って、紙幣を紙幣収納庫２２（２２Ａ〜２２Ｃ）から鑑別部１４まで紙幣を搬送させる。ここで紙幣制御部１１は、鑑別部１４から得られる鑑別結果のうち主に走行状態を基に、正常な紙幣の搬送先を接客部１２に決定する一方、走行状態に問題があるリジェクト紙幣の搬送先を転用リジェクト庫２２Ｄに決定する。
【０１０８】
紙幣入出金機１０は、正常な紙幣を、通常の動作モードと同様、矢印Ｒ１０に沿って紙幣を接客部１２へ搬送し、収容器３１の内部に放出して集積させ、リジェクト紙幣を、矢印Ｒ１０に沿って上後切替部５１へ搬送した後、矢印Ｒ１３として示すように、搬送路Ｗ１０、Ｗ７及びＷ６Ｄに沿って転用リジェクト庫２２Ｄへ搬送して収納させる。
【０１０９】
［１−５−５．後方紙幣移動処理］
次に、紙幣入出金機１０において紙幣収納庫２２同士の間で紙幣を移動させる紙幣移動処理について説明する。ここでは、まず前側の紙幣収納庫２２（２２Ａ又は２２Ｂ）を移動元とし、後側の紙幣収納庫２２（２２Ｃ又は２２Ｄ）を移動先として紙幣を概ね後方へ移動させる場合について説明する。以下、この処理を後方紙幣移動処理と呼ぶ。
【０１１０】
具体的に紙幣入出金機１０は、金融機関の職員等により操作表示部６（図１）を介して移動元及び移動先の紙幣収納庫２２、並びに移動する紙幣の枚数等の指示を受け付けると、紙幣移動処理を開始する。紙幣入出金機１０は、移動元として指定された紙幣収納庫２２Ａ又は２２Ｂから、出金処理（図８）の場合と同様に、内部に収納されている紙幣を１枚ずつに分離しながら繰り出し、下流の搬送路Ｗ６Ａ又はＷ６Ｂに順次引き渡す。
【０１１１】
続いて紙幣入出金機１０は、図９に示す矢印Ｒ１４のように、紙幣を搬送路Ｗ６（Ｗ６Ａ又はＷ６Ｂ）、Ｗ７Ａ、Ｗ５並びに基幹搬送路ＷＰに沿って搬送し、鑑別部１４を通過する際に鑑別させる。ここで紙幣制御部１１は、鑑別結果を基に紙幣の走行状態を判断し、正常な紙幣の搬送先を移動先である紙幣収納庫２２に決定する一方、走行状態に問題があるリジェクト紙幣の搬送先をリジェクト庫１７に決定する。
【０１１２】
紙幣入出金機１０は、正常な紙幣を、矢印Ｒ１５として示すように、基幹搬送路ＷＰ並びに搬送路Ｗ１０、Ｗ９、Ｗ７Ｃ及びＷ６Ｃ又はＷ６Ｄに沿って移動先である紙幣収納庫２２Ｃ又は２２Ｄへ搬送して収納させる。また紙幣入出金機１０は、リジェクト紙幣を、矢印Ｒ１５に沿って区別切替部５３まで搬送した後、矢印Ｒ１６として示すように、搬送路Ｗ１０に沿ってリジェクト庫１７へ搬送して収納させる。
【０１１３】
［１−５−６．前方紙幣移動処理］
次に、紙幣入出金機１０における紙幣移動処理のうち、後側の紙幣収納庫２２（２２Ｃ又は２２Ｄ）を移動元とし、前側の紙幣収納庫２２（２２Ａ又は２２Ｂ）を移動先として紙幣を概ね前方へ移動させる場合について説明する。以下、この処理を前方紙幣移動処理と呼ぶ。
【０１１４】
具体的に紙幣入出金機１０は、金融機関の職員等により操作表示部６（図１）を介して移動元及び移動先の紙幣収納庫２２、並びに移動する紙幣の枚数等の指示を受け付けると、紙幣移動処理を開始する。紙幣入出金機１０は、移動元として指定された紙幣収納庫２２Ｃ又は２２Ｄから、出金処理（図８）の場合と同様に、内部に収納されている紙幣を１枚ずつに分離しながら繰り出し、下流の搬送路Ｗ６Ｃ又はＷ６Ｄに順次引き渡す。
【０１１５】
続いて紙幣入出金機１０は、図１０に示す矢印Ｒ１７のように、紙幣を搬送路Ｗ６Ｃ又はＷ６Ｄ、Ｗ７Ｃ、Ｗ８及びＷ１０並びに基幹搬送路ＷＰに沿って搬送し、鑑別部１４を通過する際に鑑別させる。ここで紙幣制御部１１は、鑑別結果を基に紙幣の走行状態を判断し、正常な紙幣の搬送先を移動先である紙幣収納庫２２に決定する一方、走行状態に問題があるリジェクト紙幣の搬送先をリジェクト庫１７に決定する。
【０１１６】
紙幣入出金機１０は、正常な紙幣を、矢印Ｒ１８として示すように、基幹搬送路ＷＰ並びに搬送路Ｗ５、Ｗ７Ａ並びにＷ６Ａ又はＷ６Ｂに沿って移動先である紙幣収納庫２２Ａ又は２２Ｂへ搬送し、収納させる。また紙幣入出金機１０は、リジェクト紙幣を、矢印Ｒ１８に沿って切替部６２まで搬送した後、矢印Ｒ１９として示すように、搬送路Ｗ７の一部、並びに搬送路Ｗ８及びＷ９に沿ってリジェクト庫１７へ搬送して収納させる。
【０１１７】
因みに紙幣入出金機１０は、搬送路Ｗ８及び紙幣収納庫２２Ｃを移動元とする場合の搬送路Ｗ７Ｃにおいて、矢印Ｒ１７及び矢印Ｒ１９を重畳させている。このため紙幣入出金機１０は、リジェクト紙幣が発生した場合、まず移動元である紙幣収納庫２２Ｃ又は２２Ｄからの新たな紙幣の繰出を一時停止させ、次にリジェクト紙幣を矢印Ｒ１９に沿ってリジェクト庫１７へ搬送した後、移動元である紙幣収納庫２２Ｃ又は２２Ｄからの紙幣の繰出を再開するようになっている。
【０１１８】
このとき紙幣入出金機１０は、リジェクト紙幣が発生した時点で既に紙幣収納庫２２Ｃ等から繰り出されたものの鑑別部１４に到達していない紙幣、すなわち正常である可能性がある紙幣についても、リジェクト紙幣と共にリジェクト庫１７へ搬送し、その後に紙幣収納庫２２Ｃ等から新たな紙幣の繰出を再開する。
【０１１９】
因みに紙幣入出金機１０は、リジェクト紙幣が発生した時点で既に紙幣収納庫２２Ｃ等から繰り出されたものの鑑別部１４に到達していない紙幣について、鑑別部１４によりそれぞれ鑑別し、正常な紙幣を移動先の紙幣収納庫２２へ搬送し、リジェクト紙幣のみをリジェクト庫１７へ搬送するようにしても良い。また紙幣入出金機１０は、リジェクト紙幣が発生した時点で紙幣収納庫２２Ｃ等からの紙幣の繰出及び紙幣の搬送を何れも停止し、いわゆるスイッチバックを行っても良い。具体的に紙幣入出金機１０は、リジェクト紙幣を下環状搬送路ＷＣＬに沿って逆送させて搬送路Ｗ８に到達させた後、区別収納庫切替部５３を切り替え、該リジェクト紙幣を搬送路Ｗ８から搬送路Ｗ９を介してリジェクト庫１７へ搬送して収納させれば良い。
【０１２０】
［１−５−７．取込処理］
ところで紙幣入出金機１０は、上述した出金処理において、出金額の紙幣を接客部１２における収容器３１の内部に集積し終えると、シャッタ３２（図４）等を開放して使用者に紙幣が取り出されるのを待ち受ける。このとき紙幣入出金機１０は、図示しないセンサを用いて紙幣が取り出されたか否かを監視しており、シャッタ３２等を開放してから所定時間（例えば３０秒間）以内に紙幣が取り出されなかった場合、使用者が紙幣を取り忘れて立ち去ったものと判断する。以下、このとき収容器３１内に残された紙幣を取忘紙幣と呼ぶ。この取忘紙幣は、本来的に使用者の所有物であり、最終的には使用者に引き渡されるべきものである。
【０１２１】
そこで紙幣入出金機１０では、この取忘紙幣に関して、リジェクト庫１７に収納することにより紙幣収納庫２２の紙幣とは区別する区別取込処理と、紙幣収納庫２２に収納して以降の出金処理等において再利用する再利用取込処理とを行い得るようになっている。
【０１２２】
紙幣入出金機１０は、区別取込処理を行う場合、取忘紙幣をリジェクト庫１７へ搬送して収納することにより、紙幣収納庫２２に収納されている紙幣、すなわち金融機関等が所有している他の紙幣とは区別するようになっている。具体的に紙幣入出金機１０は、区別取込処理において、図１１に示す矢印Ｒ２０のように、搬送路Ｗ１、基幹搬送路ＷＰ、並びに搬送路Ｗ１０及びＷ９に沿って紙幣をリジェクト庫１７へ搬送して収納させる。
【０１２３】
因みに紙幣入出金機１０は、鑑別部１４から得られる鑑別結果を基に、各紙幣に一意に付された記番号を取得しており、取忘紙幣の記番号を記憶している。これにより紙幣入出金機１０では、リジェクト庫１７において既存のリジェクト紙幣及び取忘紙幣が混在することになるものの、後から記番号を基に両者を仕分けることが可能となっている。
【０１２４】
ところで紙幣入出金機１０では、出金処理において取忘紙幣が発生した場合、出金取引を行った使用者の口座番号が判明しており、また鑑別部１４において取忘紙幣を鑑別することにより、その金種及び枚数、すなわち合計金額も認識することができる。そこで紙幣入出金機１０では、再利用取込処理を行う場合、例えば取忘紙幣の合計金額を使用者の出金取引における出金額から差し引く、或いは例えば取忘紙幣の合計金額が新たに使用者の口座に入金されたものとする等の処理を行うと共に、該取忘紙幣を紙幣収納庫２２へ搬送して収納するようになっている。
【０１２５】
具体的に紙幣入出金機１０は、図１２に示す矢印Ｒ２１のように、紙幣を搬送路Ｗ１及び基幹搬送路ＷＰに沿って搬送することにより、鑑別部１４において該紙幣を鑑別する。紙幣制御部１１は、鑑別部１４から取得した鑑別結果を基に、正常であり再利用が可能な紙幣については、搬送先を一時保留部１６に決定し、重送等の搬送異常が発生した紙幣については、リジェクト紙幣と見なし、搬送先をリジェクト庫１７に決定する。
【０１２６】
紙幣入出金機１０は、リジェクト紙幣を、矢印Ｒ２１に沿って上後切替部５１まで搬送した後、矢印Ｒ２３のように搬送路Ｗ１０及びＷ９に沿ってリジェクト庫１７へ搬送して収納させる。また紙幣入出金機１０は、正常な紙幣を、矢印Ｒ２２のように基幹搬送路ＷＰ、搬送路Ｗ２及びＷ３に沿って一時保留部１６へ搬送して収納させる。
【０１２７】
さらに紙幣入出金機１０は、入金取引における収納処理（図７（Ｂ））と同様に、一時保留部１６内の紙幣を矢印Ｒ４に沿って鑑別部１４へ搬送した後、正常な紙幣を矢印Ｒ５に沿って紙幣収納庫２２へ搬送して収納させ、このとき発生したリジェクト紙幣を矢印Ｒ６に沿ってリジェクト庫１７へ搬送して収納させる。このようにして紙幣収納庫２２に収納された取忘紙幣は、以降の出金処理等において、正常な紙幣として出金される。
【０１２８】
［１−６．効果等］
以上の構成において、第１の実施の形態による現金自動預払機１の紙幣入出金機１０は、上部ユニット１０Ｕにおける上前切替部４１及び上後切替部５１を結び鑑別部１４を通過する搬送路を基幹搬送路ＷＰとした（図６）。これと共に紙幣入出金機１０は、基幹搬送路ＷＰの上側に、接客部１２の収容器３１内における仮想的な搬送路Ｗ１１及び該基幹搬送路ＷＰを一部とする環状の上環状搬送路ＷＣＵを形成し、且つ該基幹搬送路ＷＰの下側に、該基幹搬送路ＷＰを一部とする環状の下環状搬送路ＷＣＬを形成した。換言すれば、紙幣入出金機１０は、上環状搬送路ＷＣＵ及び下環状搬送路ＷＣＬにおいて、基幹搬送路ＷＰを共有するようにした。
【０１２９】
さらに紙幣入出金機１０では、上環状搬送路ＷＣＵに対して３ウェイの切替部である一時保留切替部５２を介して一時保留部１６を接続すると共に、上環状搬送路ＷＣＵに対して３ウェイの切替部である区別切替部５３を介してリジェクト庫１７を接続した。
【０１３０】
これにより紙幣入出金機１０では、入金処理（図７（Ａ））、収納処理（図７（Ｂ））及び出金処理（図８（Ａ））といった基本的な各処理において、紙幣をそれぞれの搬送先へ円滑に搬送することができる。これと共に紙幣入出金機１０は、リジェクト紙幣が発生した場合には、これを下環状搬送路ＷＣＬに沿って適宜搬送した後、区別切替部５３を介してリジェクト庫１７へ搬送して収納させることができる。
【０１３１】
すなわち紙幣入出金機１０では、収納処理（図７（Ｂ））のように鑑別部１４を前方向へ進行する紙幣がリジェクト紙幣であった場合、下環状搬送路ＷＣＬをそのまま図の時計回りに進行させて区別切替部５３の下側からリジェクト庫１７へ搬送できる。その一方で紙幣入出金機１０では、出金処理（図８（Ａ））のように鑑別部１４を後方向へ進行する紙幣がリジェクト紙幣であった場合、下環状搬送路ＷＣＬをそのまま図の反時計回りに進行させて区別切替部５３の前側からリジェクト庫１７へ搬送できる。
【０１３２】
ところで紙幣入出金機１０では、例えば出金取引の頻度が高く、紙幣収納庫２２に収納されている紙幣の枚数が減少してきた場合等に、紙幣を補充する目的で、前側の２個の紙幣収納庫２２（２２Ａ及び２２Ｂ）を、予め多数の紙幣が収納された２個の交換用の紙幣収納庫２２と交換することがある。このとき紙幣入出金機１０では、紙幣収納庫２２Ａ及び２２Ｂに紙幣が残っており、且つ紙幣収納庫２２Ｃ及び２２Ｄにこれらを収納する空き容量があれば、これらの紙幣を紙幣収納庫２２Ｃ及び２２Ｄに移動させることにより、出金処理等における出金用の紙幣として使用することができる。
【０１３３】
ここで紙幣入出金機１０は、仮に移動元の紙幣収納庫２２から一時保留部１６へ紙幣を搬送し、その後に該一時保留部１６から移動先の紙幣収納庫２２へ搬送する、といった手順による移動処理を行う場合、直接搬送する場合と比較して、その完了までに長い時間を要する。また一時保留部１６は、紙幣収納庫２２と比較して紙幣の収納可能枚数が極めて少ないため、移動する紙幣の枚数が多い場合には、この搬送処理を繰り返す必要がある。さらに紙幣入出金機１０は、この移動処理の途中で使用者から入金取引の開始が指示された場合、一時保留部１６に収納している紙幣を全て紙幣収納庫２２へ搬送して空の状態にしてから入金処理を開始する必要があるため、使用者を長時間待たせる恐れがある。
【０１３４】
この点において紙幣入出金機１０では、下搬送部２１において紙幣収納庫２２Ｃの真上に位置する切替部６３を３ウェイとした。すなわち切替部６３は、搬送路Ｗ７に沿って紙幣を前後方向へ搬送できると共に、紙幣収納庫２２Ｃから繰り出された紙幣を搬送路Ｗ７に沿って前側及び後側の何れへも進行させることができ、また搬送路Ｗ７に沿って前側及び後側の何れから搬送されてくる紙幣であっても紙幣収納庫２２Ｃへ搬送して収納させることができる。
【０１３５】
また紙幣入出金機１０では、下搬送部２１における最も後側の切替部６６を３ウェイの切替部とした。すなわち切替部６６は、紙幣収納庫２２Ｄから繰り出された紙幣を搬送路Ｗ７に沿って前方へ進行させること及び搬送路Ｗ８に沿って上方へ進行させることができ、また搬送路Ｗ７に沿って前方から搬送されてくる紙幣及び搬送路Ｗ８に沿って上方から搬送されてくる紙幣を後方の搬送路Ｗ６Ｄへ搬送して紙幣収納庫２２Ｄに収納させることができる。さらに切替部６６は、前方の搬送路Ｗ７と上方の搬送路Ｗ８との間で紙幣を相互に搬送することもできる。
【０１３６】
これらにより紙幣入出金機１０は、上述した収納処理や出金処理に加えて、紙幣移動処理（後方紙幣移動処理及び前方紙幣移動処理）として、前側の紙幣収納庫２２（２２Ａ及び２２Ｂ）と後側の紙幣収納庫２２（２２Ｃ及び２２Ｄ）との間で、鑑別部１４を通る搬送経路に沿って紙幣を直接搬送することができる（図９及び図１０）。すなわち紙幣入出金機１０は、一時保留部１６等を使用しながら紙幣を移動させる場合と比較して、所要時間を格段に短縮できる。また紙幣入出金機１０は、仮に移動処理の途中で使用者が入金取引の開始を指示した場合、その時点で搬送路上を搬送されている紙幣を移動先の紙幣収納庫２２へ搬送し終えた時点で、入金処理を開始することができるので、この使用者をほとんど待たせずに済む。
【０１３７】
さらに紙幣入出金機１０は、上部ユニット１０Ｕ（図４）において接客部１２の搬送路３４や上後搬送部１５の一時保留切替部５２を、上下方向に関して中央付近に配置した。このため紙幣入出金機１０は、特許文献１の図２における鑑別部２の後側部分のように、該鑑別部２の後側から筐体内の上端近傍まで立ち上がるような搬送路を形成する場合と比較して、搬送経路長を短く抑えることができるので、部品点数を削減できると共に、搬送中における障害（詰まり等）の発生頻度を低減できる。
【０１３８】
以上の構成によれば、第１の実施の形態による現金自動預払機１の紙幣入出金機１０は、鑑別部１４を通過する基幹搬送路ＷＰを共有するように上環状搬送路ＷＣＵ及び下環状搬送路ＷＣＬをそれぞれ形成した。また紙幣入出金機１０では、下環状搬送路ＷＣＬに対して３ウェイの切替部６３を介して紙幣収納庫２２Ｃと接続すると共に、３ウェイの切替部６６を介して紙幣収納庫２２Ｄと接続した。これにより紙幣入出金機１０では、入金処理、収納処理及び出金処理を何れも円滑に行いえると共に、紙幣移動処理において紙幣収納庫２２同士の間で鑑別部１４を通過する経路に沿って紙幣を直接移動させることができる。この結果、紙幣入出金機１０では、入金処理等の各処理において、紙幣の搬送距離や搬送回数を必要最小限に抑え、効率良く搬送して短時間で完了することができる。
【０１３９】
［２．第２の実施の形態］
第２の実施の形態による現金自動預払機１０１（図１）は、第１の実施の形態による現金自動預払機１と比較して、紙幣入出金機１０に代わる紙幣入出金機１１０を有する点において相違するものの、他の点については同様に構成されている。因みに現金自動預払機１０１は、例えば金融機関内における職員以外の立ち入りが制限された場所に設置されており、該金融機関の職員等が使用者となって種々の操作を行うことが想定されている。
【０１４０】
紙幣入出金機１１０は、図２と対応する図１３に示すように、第１の実施の形態による紙幣入出金機１０と比較して、紙幣入出金機フレーム１０Ｆ及び上部ユニット１０Ｕに代わる紙幣入出金機フレーム１１０Ｆ及び上部ユニット１１０Ｕを有する点、及びこの上部ユニット１１０Ｕの上側に施封ユニット１１０Ｓを有する点において相違する。その一方で紙幣入出金機１１０は、第１の実施の形態による紙幣入出金機１０と同様の下部ユニット１０Ｌを有している。
【０１４１】
上部ユニット１１０Ｕは、第１の実施の形態による上部ユニット１０Ｕと比較して、紙幣制御部１１及び上後搬送部１５に代わる紙幣制御部１１１及び上後搬送部１１５を有する点において相違するものの、他の点については同様に構成されている。紙幣制御部１１１は、紙幣制御部１１と同様、図示しないＣＰＵやＲＯＭ、ＲＡＭ及びフラッシュメモリを有しており、紙幣の搬送先を決定する処理や各部の動作を制御する処理等、種々の処理を行い、また種々の情報を記憶する。
【０１４２】
図４（Ｂ）と対応する図１４に示すように、上後搬送部１１５は、第１の実施の形態による上後搬送部１５と比較して、一時保留切替部５２の上側に施封切替部１５１が設けられ、搬送路５８に代わる搬送路１５２及び１５３が設けられ、さらに搬送路１５４が設けられている点において相違するものの、他の点については同様に構成されている。
【０１４３】
施封切替部１５１は、２ウェイの切替部として構成されており、紙幣制御部１１１の制御に基づき、下側の搬送路１５２及び上後側の搬送路１５３を接続する搬送経路と、下側の搬送路１５２及び後側の搬送路１５４を接続する搬送経路とを切り替えることができる。搬送路１５２の下端は、一時保留切替部５２に接続されている。搬送路１５３の後端は、一時保留部１６と接続されている。搬送路１５４の上端は、施封ユニット１１０Ｓと接続されている。
【０１４４】
このため上後搬送部１１５は、例えば紙幣が搬送路５５から一時保留切替部５２を介して搬送路１５２へ搬送されてきた場合、この紙幣を搬送路１５３に沿って進行させ、後側の一時保留部１６へ引き渡して収納させることができる。これと反対に上後搬送部１１５は、例えば紙幣が一時保留部１６から搬送路１５３に引き渡された場合、これを該搬送路１５３及び搬送路１５２に沿って進行させ、一時保留切替部５２を介して前側の搬送路５７又は後下側の搬送路５５へ進行させることができる。
【０１４５】
さらに上後搬送部１１５は、例えば紙幣が搬送路５５から一時保留切替部５２を介して搬送路１５２へ搬送されてきた場合、この紙幣を搬送路１５４に沿って進行させ、上側の施封ユニット１１０Ｓへ引き渡すこともできる。施封ユニット１１０Ｓは、上後搬送部１１５及び一時保留部１６の上側に配置されており、上後搬送部１１５の搬送路１５４から搬送されてくる紙幣を所定の枚数（例えば１００枚）ずつ集積し、帯封を巻き付けて施封する、といった施封処理を行うようになっている。
【０１４６】
［２−１．紙幣入出金機における各種処理］
次に、図６と対応する図１５に示すように紙幣入出金機１１０を模式化した上で、該紙幣入出金機１１０における紙幣の搬送を伴う種々の処理について、それぞれ詳細に説明する。この図１５では、図６の場合と同様に、各モジュールや各搬送部を互いに接続する複数の搬送路をまとめて１つの搬送路としている。このうち搬送路Ｗ１２、Ｗ１３及びＷ１４は、それぞれ上後搬送部１１５における搬送路１５２、１５３及び１５４に相当する。その他の各搬送路については、図６と対応する箇所に同一の符号を付している。
【０１４７】
この紙幣入出金機１１０では、入金処理、収納処理、出金処理、並びに紙幣移動処理（後方紙幣移動処理及び前方紙幣移動処理）の各処理において、リジェクト転用モードも含めて、第１の実施の形態による紙幣入出金機１０の場合と同様の搬送経路により、それぞれ紙幣を搬送する（図７〜図１２）。また紙幣入出金機１１０では、上述した各処理において上後搬送部１１５の一時保留切替部５２及び一時保留部１６の間で紙幣を搬送する場合、第１の実施の形態における搬送路Ｗ３（図６）に代えて、搬送路Ｗ１２及びＷ１３（図１５）に沿って紙幣を搬送する。
【０１４８】
［２−２．束出金処理］
次に、紙幣入出金機１１０における束出金処理について説明する。この束出金処理は、所定枚数の紙幣を紙幣収納庫２２から施封ユニット１１０Ｓへ搬送し、該施封ユニット１１０Ｓにおいてこの紙幣を集積して施封することにより施封紙幣束を生成し、これを使用者に引き渡す処理である。
【０１４９】
具体的に紙幣入出金機１１０の紙幣制御部１１１は、現金自動預払機１０１の主制御部９（図１）と連携することにより、操作表示部６（図１）を介して使用者（すなわち金融機関の職員等）から金種や枚数と共に施封紙幣束の生成を指示する操作入力を受け付けると、束出金処理を開始する。このとき紙幣入出金機１１０は、図１６（Ａ）に示すように、指定された金種及び枚数に応じて、各紙幣収納庫２２の内部に集積された状態で収納されている紙幣を１枚ずつに分離しながら繰り出し、下流の搬送路Ｗ６に順次引き渡す。
【０１５０】
続いて紙幣入出金機１１０は、出金処理の場合（図８（Ａ））と同様に、矢印Ｒ９に沿って紙幣を搬送し、鑑別部１４を通過する際に鑑別させる。ここで紙幣制御部１１１は、鑑別部１４から得られる鑑別結果のうち主に走行状態を基に、正常な紙幣の搬送先を施封ユニット１１０Ｓに決定する一方、リジェクト紙幣の搬送先をリジェクト庫１７に決定する。
【０１５１】
紙幣入出金機１１０は、正常な紙幣を、矢印Ｒ３１として示すように、基幹搬送路ＷＰ並びに搬送路Ｗ２、Ｗ１２及びＷ１３に沿って該施封ユニット１１０Ｓへ搬送する。これに応じて施封ユニット１１０Ｓは、所定の枚数（例えば１００枚）ずつ紙幣を集積し、これに施封処理を行い施封紙幣束を生成して、使用者に引き渡す。また紙幣入出金機１１０は、リジェクト紙幣を、出金処理の場合（図８（Ａ））と同様に矢印Ｒ１１に沿ってリジェクト庫１７へ搬送して収納させる。
【０１５２】
因みに紙幣制御部１１１は、使用者に指定された枚数に加えてリジェクト紙幣の発生枚数と同数の紙幣を紙幣収納庫２２から余分に繰り出させることにより、指定された枚数の正常な紙幣を施封ユニット１１０Ｓへ搬送させるようになっている。
【０１５３】
ところで紙幣入出金機１１０では、この束出金処理において、使用者から予め紙幣の表裏を揃える指示を受け付けた場合、表裏を揃えた状態で紙幣を施封ユニット１１０Ｓへ搬送するようになっている。以下この指示を表裏統一指示と呼ぶ。
【０１５４】
具体的に紙幣制御部１１１は、例えば鑑別部１４における下方を基準方向とし、搬送される紙幣の両紙面をそれぞれ撮像した画像を基に、この紙幣が鑑別部１４を通過した時点で表面又は裏面の何れが基準方向を向いているかを判定する。説明の都合上、以下では表面が基準方向を向いていた紙幣を表向紙幣と呼び、裏面が基準方向を向いていた紙幣を裏向紙幣と呼ぶ。
【０１５５】
その上で紙幣制御部１１１は、搬送状態が正常な紙幣のうち表向紙幣の搬送先を施封ユニット１１０Ｓに設定し、裏向紙幣の搬送先を接客部１２に決定し、リジェクト紙幣の搬送先をリジェクト庫１７に決定する。
【０１５６】
紙幣入出金機１１０は、表向紙幣を、上述した矢印Ｒ３１に沿って施封ユニット１１０Ｓへ搬送する一方、裏向紙幣を、矢印Ｒ３２として示すように、搬送路Ｗ４に沿って接客部１２の放出部３１Ｅへ搬送して収容器３１の内部へ放出させる。このとき裏向紙幣は、収容器３１内において紙幣の裏面を後方に向けると共に表面を前方に向けた姿勢で、順次集積される。
【０１５７】
続いて紙幣入出金機１１０は、図１６（Ｂ）に示すように、接客部１２の収容器３１内から、表面を前方に向けた紙幣を分離部３１Ｓにより１枚ずつ分離して取り込ませ、入金処理の場合（図７（Ａ））と同様の矢印Ｒ１に沿って鑑別部１４へ搬送する。これを換言すれば、接客部１２は、収容器３１内において、紙幣を放出部３１Ｅから分離部３１Ｓへ、仮想的な搬送路Ｗ１１に沿って紙幣を搬送しており、この途中において紙幣の進行方向を反転させている。
【０１５８】
ここで鑑別部１４に到達した紙幣は、何れも収容器３１内において表面を前方に向けていたため、矢印Ｒ１に沿った搬送経路の構造により、この表面を下方（すなわち基準方向）に向けた姿勢の表向紙幣となる。すなわち紙幣入出金機１１０は、搬送路Ｗ１１を含む上環状搬送路ＷＣＵに沿って紙幣を１周搬送することにより、紙幣の表裏を反転させることができる。
【０１５９】
その後、紙幣入出金機１１０は、鑑別部１４から得られる鑑別結果を基に、搬送状態が正常であった表向紙幣を、図１６（Ａ）の矢印Ｒ３１に沿って施封ユニット１１０Ｓへ搬送する。因みに紙幣入出金機１１０は、鑑別部１４において搬送状態が正常ではなかった紙幣を、表裏に拘わらずにリジェクト紙幣とし、出金処理の場合（図８（Ａ））と同様の矢印Ｒ１１に沿ってリジェクト庫１７へ搬送して収納させる。
【０１６０】
かくして紙幣入出金機１１０は、表裏統一指示の有無に応じて適宜表裏を反転させながら、紙幣収納庫２２から紙幣を施封ユニット１１０Ｓへ搬送することにより、該施封ユニット１１０Ｓにおいて紙幣を束ねて施封紙幣束を生成し、これを使用者に引き渡す。
【０１６１】
［２−３．整理施封処理］
次に、紙幣入出金機１１０における整理施封処理について説明する。この束出金処理は、使用者により接客部１２の収容器３１へ投入された紙幣を施封ユニット１１０Ｓへ搬送し、該施封ユニット１１０Ｓにおいてこの紙幣を集積して施封することにより施封紙幣束を生成して、これを使用者に引き渡す処理である。
【０１６２】
具体的に紙幣入出金機１１０の紙幣制御部１１１は、現金自動預払機１０１の主制御部９（図１）と連携することにより、操作表示部６（図１）を介して使用者（すなわち金融機関の職員等）から整理施封処理の実行を指示する操作入力を受け付けると、整理施封処理を開始する。
【０１６３】
このとき紙幣入出金機１１０は、入金処理の場合（図７（Ａ））と同様に、使用者に収容器３１内へ紙幣を投入させ、この紙幣を分離部３１Ｓにより１枚ずつに分離して搬送路Ｗ１に順次引き渡す。続いて紙幣入出金機１１０は、図１７に示すように、矢印Ｒ１に沿って紙幣を搬送し、鑑別部１４を通過する際に鑑別させる。
【０１６４】
ここで紙幣制御部１１１は、鑑別部１４から得られる鑑別結果を基に、使用者により予め紙幣の金種が指定されていた場合、走行状態等に問題が無く、且つ指定された金種の紙幣を正常と判断し、その搬送先を施封ユニット１１０Ｓに決定する一方、他の紙幣を使用者に返却するべき返却紙幣と判断して、その搬送先を一時保留部１６に決定する。
【０１６５】
紙幣入出金機１１０は、正常な紙幣を、施封ユニット１１０Ｓへ搬送して施封させ、また返却紙幣を、矢印Ｒ３３として示すように、搬送路Ｗ１３に沿って一時保留部１６へ搬送して収納させる。
【０１６６】
このとき紙幣入出金機１１０は、使用者から予め表裏統一指示を受け付けていた場合、束出金処理の場合と同様、表向紙幣のみを矢印Ｒ３１に沿って施封ユニット１１０Ｓへ搬送する一方、裏向紙幣を矢印Ｒ３２に沿って搬送し、集積搬送部３５を介して接客部１２へ戻す。
【０１６７】
これにより裏向紙幣は、収容器３１内において、裏面を後方に向けると共に表面を前方に向けた姿勢となる。その後、紙幣入出金機１１０は、この紙幣を再び矢印Ｒ１に沿って搬送し、鑑別部１４から得られる鑑別結果を基に、搬送状態が正常な紙幣を表向紙幣として施封ユニット１１０Ｓへ搬送する一方、搬送状態が正常で無い紙幣を一時保留部１６へ搬送する。
【０１６８】
一時保留部１６に搬送された紙幣は、接客部１２の収容器３１内に投入された全ての紙幣が分離して繰り出された後に、搬送路Ｗ１３、Ｗ１４及びＷ４に沿って接客部１２の収容器３１内へ搬送され、使用者に返却される。
【０１６９】
かくして紙幣入出金機１１０は、整理施封処理において、使用者により接客部１２に投入された紙幣を、表裏統一指示に応じて適宜表裏を反転させながら施封ユニット１１０Ｓへ搬送することにより、該施封ユニット１１０Ｓにおいて施封紙幣束を生成し、これを使用者に引き渡す。
【０１７０】
［２−４．効果等］
以上の構成において、第２の実施の形態による現金自動預払機１０１の紙幣入出金機１１０は、第１の実施の形態による紙幣入出金機１０と同様に、基幹搬送路ＷＰを互いに共有する上環状搬送路ＷＣＵ及び下環状搬送路ＷＣＬを形成した（図１５）。
【０１７１】
これにより紙幣入出金機１１０は、第１の実施の形態による紙幣入出金機１０と同様、入金処理、収納処理及び出金処理といった各処理において、紙幣をそれぞれの搬送先へ円滑に搬送することができる（図７及び図８）。また紙幣入出金機１１０は、やはり第１の実施の形態と同様、紙幣移動処理を行うことにより、前側の紙幣収納庫２２Ａ及び２２Ｂと後側の紙幣収納庫２２Ｃ及び２２Ｄとの間で、鑑別部１４を経由する搬送経路に沿って、紙幣を連続的に効率良く搬送できる（図９及び図１０）。
【０１７２】
さらに紙幣入出金機１１０は、上部ユニット１１０Ｕの上側に施封ユニット１１０Ｓを設けると共に（図１３）、上後搬送部１１５に施封切替部１５１や搬送路１５４等を設けた（図１４）。これにより紙幣入出金機１１０は、紙幣収納庫２２に収納されている紙幣を施封ユニット１１０Ｓへ搬送して施封する束出金処理（図１６）と、使用者により接客部１２に投入された紙幣を施封ユニット１１０Ｓへ搬送して施封する整理施封処理（図１７）とを行うこともできる。
【０１７３】
そのうえ紙幣入出金機１１０は、束出金処理及び整理施封処理において使用者から表裏統一指示を受け付けた場合、鑑別部１４から得られる鑑別結果を基に、表向紙幣を施封ユニット１１０Ｓへ搬送する一方、裏向紙幣を接客部１２へ搬送し上環状搬送路ＷＣＵに沿って１周させる。ここで紙幣入出金機１１０は、接客部１２の収容器３１内に形成される仮想的な搬送路Ｗ１１において、紙幣の進行方向を逆転させて先頭及び末尾を入れ替えるため、鑑別部１４を再び通過する段階で、この紙幣の表裏を反転させて表向紙幣とすることができる。この結果、紙幣入出金機１１０は、施封ユニット１１０Ｓにおいて、紙幣の表裏を揃えた状態の施封紙幣束を生成することができる。
【０１７４】
これを換言すれば、紙幣入出金機１１０は、上環状搬送路ＷＣＵにおける収容器３１内の搬送路Ｗ１１において、紙幣の搬送方向を逆転させているため、専用の反転機構等を設ける必要がなく、該上環状搬送路ＷＣＵに沿って紙幣を１周搬送させるだけで、その表裏を反転させることができる。
【０１７５】
また紙幣入出金機１１０（図１３）は、第１の実施の形態による紙幣入出金機１０（図２）と比較して、紙幣制御部１１及び上後搬送部１５に代わる紙幣制御部１１１及び上後搬送部１１５を設けると共に施封ユニット１１０Ｓを設ける一方、他の部分を同一の構成とした。さらに上後搬送部１１５（図１４）は、第１の実施の形態による上後搬送部１５（図４（Ｂ））と比較して、搬送路５８に代わる搬送路１５２及び１５３を設けると共に、施封切替部１５１及び搬送路１５４を設ける一方、他の部分を同一の構成とした。このうち搬送路１５２及び１５３は、実質的に搬送路５８と同等の箇所を通過するようにした。
【０１７６】
このため紙幣入出金機１１０は、第１の実施の形態による紙幣入出金機１０と比較して、施封ユニット１１０Ｓに直接関係しない部分を中心に、極めて多くの部品を共通化でき、設計や製造、或いは保守等において、コストの低廉化を図ることができる。
【０１７７】
さらに紙幣入出金機１１０は、上後搬送部１１５（図１４）において、施封切替部１５１を上環状搬送路ＷＣＵ上では無く、該上環状搬送路ＷＣＵから分岐した搬送路Ｗ１５２及び搬送路Ｗ１５３の接続箇所に、すなわち第１の実施の形態における搬送路５８（図４（Ｂ））の途中に配置した。
【０１７８】
このため紙幣入出金機１１０は、入金処理（図７（Ａ））における入金リジェクト紙幣や出金処理（図８（Ａ））における正常な紙幣のように、上環状搬送路ＷＣＵに沿って搬送される紙幣に施封切替部１５１を通過させる必要が無く、紙幣制御部１１１により第１の実施の形態と同様に各切替部を制御すれば良い。すなわち紙幣入出金機１１０は、第１の実施の形態による紙幣入出金機１０と比較して、入金リジェクト紙幣や正常な紙幣の出金における搬送経路を同一とすることができ、切替部の増加や搬送経路の変更に伴う搬送異常の増加等を未然に回避できる。
【０１７９】
その他の点においても、紙幣入出金機１１０は、第１の実施の形態による紙幣入出金機１０と同様の作用効果を奏し得る。
【０１８０】
以上の構成によれば、第２の実施の形態による現金自動預払機１０１の紙幣入出金機１１０は、鑑別部１４を通過する基幹搬送路ＷＰを共有するように上環状搬送路ＷＣＵ及び下環状搬送路ＷＣＬをそれぞれ形成した。さらに紙幣入出金機１１０は、第１の実施の形態による紙幣入出金機１０の構成に加えて、上後搬送部１１５に施封切替部１５１や搬送路１５４等を設けると共に、施封ユニット１１０Ｓを設けた。このため紙幣入出金機１１０は、第１の実施の形態による紙幣入出金機１０と極めて多くの部品を共通化し、同様の入金処理等を行い得ると共に、束出金処理や整理施封処理を行うこともできる。
【０１８１】
［３．第３の実施の形態］
第３の実施の形態による現金自動預払機２０１（図１）は、第１の実施の形態による現金自動預払機１と比較して、紙幣入出金機１０に代わる紙幣入出金機２１０を有する点において相違するものの、他の点については同様に構成されている。
【０１８２】
紙幣入出金機２１０は、図２と対応する図１８に示すように、第１の実施の形態による紙幣入出金機１０の紙幣入出金機フレーム１０Ｆ、上部ユニット１０Ｕ及び下部ユニット１０Ｌとそれぞれ対応する紙幣入出金機フレーム２１０Ｆ、上部ユニット２１０Ｕ及び下部ユニット２１０Ｌにより構成されている。
【０１８３】
［３−１．上部ユニットの構成］
図４（Ａ）と対応する図１９に示すように、上部ユニット２１０Ｕは、第１の実施の形態による上部ユニット１０Ｕと比較して、紙幣制御部１１及び上前搬送部１３に代わる紙幣制御部２１１及び上前搬送部２１３を有する点において相違するものの、他の点については同様に構成されている。
【０１８４】
紙幣制御部２１１は、第１の実施の形態による紙幣制御部１１と同様、図示しないＣＰＵやＲＯＭ、ＲＡＭ及びフラッシュメモリを有しており、紙幣の搬送先を決定する処理や各部の動作を制御する処理等、種々の処理を行い、また種々の情報を記憶する。
【０１８５】
上前搬送部２１３は、第１の実施の形態における上前搬送部１３（図４（Ａ））と比較して、前方へ大きく延長された形状となっており、上前切替部４１及び搬送路４４に代わる上前切替部２４１及び搬送路２４４を有する点において相違するものの、搬送路４２及び４３並びに搬送ローラ対４５については同様に構成されている。
【０１８６】
上前切替部２４１は、搬送路４２の前側且つ搬送路４３よりも上側に設けられており、第１の実施の形態における上前切替部４１（図４（Ａ））よりも前上側に位置している。この上前切替部２４１は、上前切替部４１と同様、２ウェイブレードとなっている。搬送路２４４は、上前切替部２４１から前方へ向けて進行した後、下方へ屈曲する経路を形成しており、その下端が上部ユニット前受渡口Ｔ１１となっている。
【０１８７】
この上前切替部２４１は、紙幣制御部２１１の制御に基づき、上側の搬送路４２及び後側の搬送路４３を接続する搬送経路と、後側の搬送路４３及び前側の搬送路２４４を接続する搬送経路とを切り替えることができる。
【０１８８】
このため上前搬送部２１３は、第１の実施の形態による上前搬送部１３と同様に、複数通りの搬送経路に沿って紙幣を搬送することができる。具体的に上前搬送部２１３は、接客部１２の搬送路３３から鑑別部１４へ紙幣を搬送でき、また鑑別部１４から下側の下部ユニット２１０Ｌ（図１８）へ搬送でき、或いは下部ユニット２１０Ｌから鑑別部１４へ紙幣を搬送できる。
【０１８９】
［３−２．下部ユニットの構成］
図５と対応する図２０に示すように、下部ユニット２１０Ｌは、第１の実施の形態における下部フレーム２０及び下搬送部２１に代わる下部フレーム２２０及び下搬送部２２１により構成されている。
【０１９０】
下部フレーム２２０は、前後方向に沿って５個の空間に仕切られ、５箇所の装填空間が形成されている。下部フレーム２２０における前側の３箇所の装填空間には、第１の実施の形態と同様に３個の紙幣収納庫２２Ａ、２２Ｂ及び２２Ｃがそれぞれ装填されている。この紙幣収納庫２２（２２Ａ、２２Ｂ及び２２Ｃ）は、何れも第１の実施の形態と同様に構成されている。
【０１９１】
下部フレーム２２０における前側から４番目の装填空間は、他よりもやや大きく（すなわち前後方向に長く）形成されており、補充回収庫２２４及び補充リジェクト庫２２５が一体化された補充回収カセット２２６が装填される。また下部フレーム２２０における最も後側の装填空間は、他よりもやや小さく（すなわち前後方向に短く）形成されており、第２区別収納庫としての取忘収納庫２２７が装填される。
【０１９２】
［３−２−１．補充回収庫、補充リジェクト庫及び取忘収納庫の構成］
補充区別収納庫としての補充リジェクト庫２２５は、紙幣収納庫２２Ｃの後側且つ補充回収庫２２４の前側に配置されており、該紙幣収納庫２２Ｃと比較して、上下方向及び左右方向の長さが同等である一方、前後方向の長さが１／３ないし１／４程度に短くなっている。この補充リジェクト庫２２５は、リジェクト庫１７（図１９等）と同様の機能を有しており、下搬送部２２１から受け取った紙幣を内部に収納する機能を有する一方、内部に収納されている紙幣を１枚ずつに分離して繰り出す分離機能を有していない。因みに補充リジェクト庫２２５における紙幣の最大収納枚数は、リジェクト庫１７（図１９等）と同程度となっている。また取忘収納庫２２７は、補充リジェクト庫２２５と概ね同様に構成されている。
【０１９３】
分岐収納庫及び補充回収庫としての補充回収庫２２４は、補充リジェクト庫２２５の後側に配置され、第１の実施の形態による紙幣収納庫２２と概ね同様に構成されている。すなわち補充回収庫２２４は、全体として直方体状に形成され、その内部に収納空間、分離放出部及び収納庫搬送部等が設けられている。このため補充回収庫２２４は、紙幣制御部２１１の制御に基づき、紙幣を収納する収納処理や紙幣を繰り出す繰出処理を行うことができる。
【０１９４】
因みに補充回収庫２２４は、紙幣制御部２１１の制御に基づき、各紙幣収納庫２２に補充するための紙幣を収納し、また各紙幣収納庫２２から回収した紙幣を収納する補充回収モードと、各紙幣収納庫２２と同様に金種が割り当てられて再利用が可能な紙幣を収納する紙幣収納モードとを切り替えることができる。
【０１９５】
ところで補充回収カセット２２６は、図２１に示すように、補充回収庫２２４の前面及び補充リジェクト庫２２５の後面における一辺、例えば右辺の近傍に蝶番（図示せず）が設けられており、この蝶番により補充回収庫２２４に対し補充リジェクト庫２２５を回動させ得るようになっている。すなわち補充回収カセット２２６は、下部ユニット２１０Ｌに装填される場合には、図２１（Ａ）に示したように補充回収庫２２４の前面及び補充リジェクト庫２２５の後面を互いに重ねて、１個の直方体状となる。
【０１９６】
一方、補充回収カセット２２６は、保守作業等において下部ユニット２１０Ｌから取り出された上で、図２１（Ｂ）に示すように、蝶番において補充回収庫２２４に対し補充リジェクト庫２２５を回動させると、補充回収庫２２４の前面及び補充リジェクト庫２２５の後面を互いに引き離すことができる。以下、この状態を開いた状態と呼ぶ。さらに補充回収カセット２２６には、補充回収庫２２４の前面及び補充リジェクト庫２２５の後面の間に、回動可能な内扉２２６Ｄが設けられている。
【０１９７】
このため補充回収カセット２２６では、図２１（Ｂ）に示したように、開いた状態において補充回収庫２２４の収納空間にアクセスすること、すなわち紙幣の取出又は装填を行うことができる。また補充回収カセット２２６では、図２１（Ｃ）に示すように、開いた状態において内扉２２６Ｄを補充回収庫２２４側へ回動させることにより、補充リジェクト庫２２５の収納空間から紙幣を取り出すことができる。
【０１９８】
因みに紙幣入出金機２１０では、下部ユニット２１０Ｌに対し、紙幣収納庫２２（２２Ａ〜２２Ｃ）を極力着脱せず、主に補充回収カセット２２６を着脱させることにより、紙幣の補充や回収を行うことが想定されている。
【０１９９】
［３−２−２．下搬送部の構成］
下搬送部２２１（図２０）は、その内部における前側から後側へ向けて離散的な位置に、切替部６１、６２、２６３、２６５、６６及び２６７が順次配置されている。このうち切替部６１及び６２は、紙幣収納庫２２Ａ及び２２Ｂのほぼ真上にそれぞれ配置されており、何れも第１の実施の形態と同様に構成されている。また切替部６１及び６２の周囲には、第１の実施の形態と同様の搬送路７１、７２、７３、７４及び７５がそれぞれ設けられている。
【０２００】
搬送路７５の後側に接続されている切替部２６３は、第１の実施の形態における切替部６３と対応し、紙幣収納庫２２Ｃのほぼ真上に位置しているものの、３ウェイでは無く、切替部６２と同様の２ウェイとなっている。切替部２６３の周囲には、搬送路７５に加えて、下方へ向かい紙幣収納庫２２Ｃと接続された搬送路７６、及び後方へ向かい切替部２６５に接続された搬送路２７７が設けられている。この切替部２６３は、前側の搬送路７５及び下側の搬送路７６を接続する搬送経路と、前側の搬送路７５及び後側の搬送路２７７を接続する搬送経路とを切り替えることができる。
【０２０１】
補充区別収納切替部としての切替部２６５は、補充リジェクト庫２２５のほぼ真上に位置しており、切替部６２等と同様に２ウェイとなっている。切替部２６５の周囲には、搬送路２７７に加えて、下方へ向かい補充リジェクト庫２２５と接続された搬送路２７８、及び後方へ向かい切替部６６に接続された搬送路２８０が設けられている。この切替部２６５は、前側の搬送路２７７及び下側の搬送路２７８を接続する搬送経路と、前側の搬送路２７７及び後側の搬送路２８０を接続する搬送経路とを切り替えることができる。
【０２０２】
切替部６６は、切替部２６５の後側に配置されており、第１の実施の形態と同様に構成されている。切替部６６の周囲には、搬送路２８０に加えて、上方へ向かう搬送路７９、及び後方へ向かい切替部２６７に接続された短い搬送路２８１が設けられている。この切替部６６は、前側の搬送路２８０及び後側の搬送路２８１を接続する搬送経路と、前側の搬送路２８０及び上側の搬送路７９を接続する搬送経路と、後側の搬送路２８１及び上側の搬送路７９を接続する搬送経路とを切り替えることができる。
【０２０３】
切替部２６７は、補充回収庫２２４のほぼ真上に位置しており、切替部６２等と同様に２ウェイとなっている。切替部２６７の周囲には、搬送路２８１に加えて、下方へ向かい補充回収庫２２４と接続された搬送路２８２、及び後下方へ向かい取忘収納庫２２７に接続された搬送路２８３が設けられている。この切替部２６７は、前側の搬送路２８１及び下側の搬送路２８２を接続する搬送経路と、前側の搬送路２８１及び後側の搬送路２８３を接続する搬送経路とを切り替えることができる。
【０２０４】
かかる構成により下搬送部２２１は、例えば上部ユニット２１０Ｕ（図１９）から下部ユニット前受渡口Ｔ２１を介して紙幣が搬送されてきた場合、この紙幣を紙幣収納庫２２Ａ、２２Ｂ若しくは２２Ｃ、補充リジェクト庫２２５、補充回収庫２２４又は取忘収納庫２２７へ搬送して収納させることができる。また下搬送部２２１は、この紙幣を下部ユニット後受渡口Ｔ２２から上部ユニット２１０Ｕへ戻すこともできる。さらに下搬送部２２１は、紙幣収納庫２２Ａ、２２Ｂ若しくは２２Ｃ、又は補充回収庫２２４から紙幣を受け取った場合、これを下部ユニット前受渡口Ｔ２１へ搬送して上部ユニット２１０Ｕに引き渡すこともできる。
【０２０５】
また下搬送部２２１は、例えば上部ユニット２１０Ｕから下部ユニット後受渡口Ｔ２２を介して紙幣が搬送されてきた場合、この紙幣を補充回収庫２２４又は取忘収納庫２２７へ搬送して収納させることができる。さらに下搬送部２２１は、補充回収庫２２４から紙幣を受け取った場合、これを下部ユニット後受渡口Ｔ２２へ搬送して上部ユニット２１０Ｕに引き渡すこともできる。
【０２０６】
［３−３．紙幣入出金機における各種処理］
次に、図６等と対応する図２２に示すように紙幣入出金機２１０を模式化した上で、該紙幣入出金機２１０における紙幣の搬送を伴う種々の処理について、それぞれ詳細に説明する。この図２２では、図６等の場合と同様に、各モジュールや各搬送部を互いに接続する複数の搬送路をまとめて１つの搬送路としている。
【０２０７】
このうち搬送路Ｗ２５は、上前搬送部２１３の搬送路２４４及び下搬送部２２１の搬送路７１に相当する。搬送路Ｗ２６Ａ、Ｗ２６Ｂ、Ｗ２６Ｃ、Ｗ２６Ｅ、Ｗ２６Ｆ及びＷ２６Ｇは、それぞれ下搬送部２２１の搬送路７２、７４、７６、２７８、２８２及び２８３に相当する。またこの搬送路Ｗ２６Ａ、Ｗ２６Ｂ、Ｗ２６Ｃ、Ｗ２６Ｅ、Ｗ２６Ｆ及びＷ２６Ｇをまとめて搬送路Ｗ２６とも呼ぶ。
【０２０８】
搬送路Ｗ２７Ａ、Ｗ２７Ｂ、Ｗ２７Ｃ及びＷ２７Ｅは、それぞれ下搬送部２２１の搬送路７３、７５、２７７及び２８０に相当する。またこの搬送路Ｗ２７Ａ、Ｗ２７Ｂ、Ｗ２７Ｃ及びＷ２７Ｅをまとめて搬送路Ｗ２７とも呼ぶ。搬送路Ｗ３１は、下搬送部２２１の搬送路２８１と対応する。また第３の実施の形態では、搬送路Ｗ２７を振分搬送路とも呼び、搬送路Ｗ３１、Ｗ２６Ｆ及びＷ２６Ｇをまとめて分岐搬送路とも呼ぶ。なお図２２におけるその他の各搬送路及び各接続口については、図６と対応する箇所に同一の符号を付している。
【０２０９】
［３−３−１．入金処理及び収納処理］
紙幣入出金機２１０は、入金処理において、第１の実施の形態による紙幣入出金機１０の場合と同様の搬送経路により紙幣を搬送する（図７（Ａ））。その後、紙幣入出金機２１０は、使用者により入金取引の継続が指示された場合、図２３に示すように、収納処理を開始する。具体的に紙幣入出金機２１０は、一時保留部１６に収納している紙幣（入金受入紙幣）を順次繰り出し、第１の実施の形態における収納処理（図８（Ｂ））と同様の矢印Ｒ４として示すように、搬送路Ｗ３及びＷ２並びに基幹搬送路ＷＰに沿って鑑別部１４へ搬送し、順次鑑別させる。
【０２１０】
このとき紙幣制御部２１１は、鑑別部１４から得られる鑑別結果を基に、損傷の程度が大きいリジェクト紙幣についてはリジェクト庫１７を、正常であり再利用可能な紙幣については金種ごとの各紙幣収納庫２２（２２Ａ〜２２Ｃ）又は紙幣収納モードで動作する補充回収庫２２４を、それぞれ搬送先として決定する。
【０２１１】
続いて紙幣入出金機２１０は、正常な紙幣を、矢印Ｒ４１として示すように、基幹搬送路ＷＰ及び搬送路Ｗ５に沿って搬送し、さらに搬送路Ｗ２６、Ｗ２７及びＷ３１の一部に沿って紙幣収納庫２２（２２Ａ〜２２Ｃ）又は補充回収庫２２４へ搬送して収納させる。また紙幣入出金機２１０は、リジェクト紙幣を、矢印Ｒ４１に沿って切替部６６まで搬送した後、第１の実施の形態（図８（Ｂ））と同様の矢印Ｒ６のように、搬送路Ｗ８及びＷ９に沿ってリジェクト庫１７へ搬送して収納させる。
【０２１２】
［３−３−２．出金処理］
紙幣入出金機２１０は、出金処理において、図８（Ａ）と対応する図２４に示すように、第１の実施の形態と比較して、紙幣収納庫２２Ｄ並びに搬送路Ｗ６及びＷ７をそれぞれ補充回収庫２２４並びに搬送路Ｗ２６、Ｗ２７及びＷ３１に置き換えたような搬送経路により、紙幣を搬送する。
【０２１３】
すなわち紙幣入出金機２１０の紙幣制御部２１１は、出金額に応じた紙幣の金種及び枚数を決定した上で、決定した金種及び枚数に応じて、各紙幣収納庫２２（２２Ａ〜２２Ｃ）又は紙幣収納モードの補充回収庫２２４に収納されている紙幣を１枚ずつに分離しながら繰り出し、下流の搬送路Ｗ２６に順次引き渡す。
【０２１４】
続いて紙幣入出金機２１０は、矢印Ｒ４２のように、紙幣を搬送路Ｗ２６、Ｗ３１及びＷ２７の一部に沿って搬送し、さらに搬送路Ｗ２５及び基幹搬送路ＷＰに沿って鑑別部１４へ搬送する。ここで紙幣制御部２１１は、鑑別部１４から得られる鑑別結果のうち主に走行状態を基に、正常な紙幣の搬送先を接客部１２に決定する一方、リジェクト紙幣の搬送先をリジェクト庫１７に決定する。
【０２１５】
紙幣入出金機２１０は、正常な紙幣を、第１の実施の形態と同様に矢印Ｒ１０に沿って接客部１２へ搬送し、収容器３１の内部に放出して集積させ、またリジェクト紙幣を、矢印Ｒ１１に沿ってリジェクト庫１７へ搬送し、その内部に収納させる。
【０２１６】
［３−３−３．補充処理］
次に、紙幣入出金機２１０における補充処理について説明する。紙幣入出金機２１０では、上述したように、下部フレーム２２０（図２０）に紙幣収納庫２２を装填したまま、補充回収カセット２２６を着脱させることにより、装置外から紙幣を内部へ補充することが想定されている。この場合、紙幣入出金機２１０では、補充回収庫２２４を上述した補充回収モードで動作させ、各紙幣収納庫２２（２２Ａ〜２２Ｃ）にのみ再利用可能な紙幣を収納する。
【０２１７】
紙幣入出金機２１０は、金融機関の職員等により、下部フレーム２２０から補充回収カセット２２６が取り外され、補充回収庫２２４に新たな紙幣が収納された後、再び該補充回収カセット２２６が下部フレーム２２０に装着される。この状態で紙幣入出金機２１０は、使用者（金融機関の職員等）から補充先の紙幣収納庫２２及び移動する紙幣の枚数等の操作指示を受け付けると、補充回収庫２２４から鑑別部１４を経由して各紙幣収納庫２２（２２Ａ〜２２Ｃ）へ紙幣を搬送して補充する補充処理を行う。
【０２１８】
具体的に紙幣入出金機２１０は、まず補充回収庫２２４に収納されている紙幣を１枚ずつに分離しながら繰り出して搬送路Ｗ２６Ｆに順次引き渡し、この紙幣を搬送路Ｗ３１、Ｗ８及びＷ１０並びに基幹搬送路ＷＰに沿って搬送して、鑑別部１４を通過する際に鑑別させる。
【０２１９】
紙幣制御部２１１は、鑑別部１４から得られる鑑別結果を基に、紙幣の走行状態に問題が無く、金種が補充先の紙幣収納庫２２に設定された金種と一致し、且つ損傷の程度が小さければ、これを再利用可能な紙幣と判断し、その搬送先を補充先の紙幣収納庫２２に決定する。また紙幣制御部２１１は、これ以外の紙幣を補充リジェクト紙幣と判断し、その搬送先を補充リジェクト庫２２５に決定する。
【０２２０】
紙幣入出金機２１０は、再利用可能な紙幣を、矢印Ｒ４４として示すように、基幹搬送路ＷＰ並びに搬送路Ｗ５に沿って搬送し、搬送路Ｗ２７及びを搬送路Ｗ２６の一部に沿って補充先である紙幣収納庫２２（２２Ａ〜２２Ｃ）へ搬送して収納させる。また紙幣入出金機２１０は、補充リジェクト紙幣を、矢印Ｒ４４に沿って切替部２６３まで搬送した後、矢印Ｒ４５として示すように、搬送路Ｗ２７Ｃ及びＷ２６Ｅに沿って補充リジェクト庫２２５へ搬送し、収納させる。
【０２２１】
ところで紙幣入出金機２１０では、入金処理や補充処理等において鑑別部１４を通過する経路に沿って搬送され、該鑑別部１４から得られた鑑別結果を基に真偽等に問題が無いと判断された紙幣を、自らの管理下にある紙幣として取り扱い、紙幣収納庫２２等において他の紙幣と混在させて収納する。特に紙幣入出金機２１０では、損傷の程度が大きく再利用すべきで無い紙幣をリジェクト紙幣としてリジェクト庫１７に収納しているが、このリジェクト紙幣であっても、真偽等には問題が無く、自らの管理下にある紙幣として取り扱っている。
【０２２２】
その一方で紙幣入出金機２１０では、入金された紙幣や補充回収カセット２２６が装着された直後の段階で補充回収庫２２４に収納されている紙幣など、装置内に存在する紙幣であっても、鑑別部１４を未だに通過していない紙幣については、自らの管理外にある紙幣として取り扱う。
【０２２３】
このため紙幣入出金機２１０では、補充処理において正常でないと判断した紙幣（すなわち補充リジェクト紙幣）については、自らの管理下にあるリジェクト紙幣が収納されるリジェクト庫１７では無く、専用の補充リジェクト庫２２５に搬送することにより、これらの紙幣との混在を防止するようになっている。
【０２２４】
［３−３−４．回収処理］
次に、紙幣入出金機２１０における回収処理について説明する。紙幣入出金機２１０では、上述したように、下部フレーム２２０（図２０）に紙幣収納庫２２を装填したまま、補充回収カセット２２６を着脱させることにより、装置内の紙幣を外部へ持ち出す（すなわち回収する）ことが想定されている。この場合にも紙幣入出金機２１０では、補充回収庫２２４を上述した補充回収モードで動作させ、各紙幣収納庫２２（２２Ａ〜２２Ｃ）にのみ再利用可能な紙幣を収納することになる。
【０２２５】
紙幣入出金機２１０は、使用者（金融機関の職員等）により操作表示部６（図１）を介して、補充先の紙幣収納庫２２及び移動する紙幣の枚数等の操作指示を受け付けると、各紙幣収納庫２２（２２Ａ〜２２Ｃ）から鑑別部１４を経由して補充回収庫２２４へ紙幣を搬送して回収する回収処理を行う。
【０２２６】
まず紙幣入出金機２１０は、図２６に示す矢印Ｒ４６のように、回収元である紙幣収納庫２２（２２Ａ〜２２Ｃ）に収納されている紙幣を１枚ずつに分離しながら繰り出し、搬送路Ｗ２６Ａ〜Ｗ２６Ｃに順次引き渡していく。続いて紙幣入出金機２１０は、紙幣を必要に応じて搬送路Ｗ２７の一部に沿って搬送した上で、搬送路Ｗ２５及び基幹搬送路ＷＰに沿って搬送し、鑑別部１４を通過する際に鑑別させる。紙幣制御部２１１は、鑑別部１４から得られる鑑別結果を基に、紙幣の走行状態を判断し、正常な紙幣の搬送先を補充回収庫２２４に決定する一方、正常で無い紙幣をリジェクト紙幣と判断し、その搬送先をリジェクト庫１７に決定する。
【０２２７】
紙幣入出金機２１０は、正常な紙幣であれば、矢印Ｒ４７として示すように、基幹搬送路ＷＰ及び搬送路Ｗ１０、Ｗ８、Ｗ３１及びＷ２６Ｆに沿って補充回収庫２２４へ搬送し、その内部に収納させる。また紙幣入出金機２１０は、リジェクト紙幣であれば、矢印Ｒ４７に沿って区別切替部５３まで搬送した後、矢印Ｒ４８として示すように、搬送路Ｗ９に沿ってリジェクト庫１７へ搬送し、その内部に収納させる。
【０２２８】
因みにこの場合のリジェクト紙幣は、走行状態に問題があると判断されたものの、これよりも前の段階において、鑑別部１４からの鑑別結果を基に正常であり再利用可能と判断されて紙幣収納庫２２に収納されていた紙幣であり、紙幣入出金機２１０の管理下にあったものである。このため紙幣入出金機２１０では、このリジェクト紙幣を、他のリジェクト紙幣と同様にリジェクト庫１７へ搬送して収納させる。
【０２２９】
［３−３−５．紙幣移動処理］
次に、紙幣入出金機２１０において、紙幣収納庫２２（２２Ａ〜２２Ｃ）及び紙幣収納モードの補充回収庫２２４の間で紙幣を移動させる紙幣移動処理について説明する。本実施の形態における紙幣移動処理では、まず移動元から一時保留部１６へ紙幣を搬送する前段の紙幣移動処理を行い、次に該一時保留部１６から移動先へ紙幣を搬送する後段の紙幣移動処理を行うようになっている。
【０２３０】
具体的に紙幣入出金機２１０は、使用者（金融機関の職員等）により操作表示部６（図１）を介して移動元及び移動先となる紙幣収納庫２２又は補充回収庫２２４、並びに移動する紙幣の枚数等の指示を受け付けると、図２７に示すように、前段の紙幣移動処理を開始する。まず紙幣入出金機２１０は、出金処理（図２４）の場合と同様に、移動元として指定された紙幣収納庫２２（２２Ａ〜２２Ｃ）又は補充回収庫２２４から、内部に集積された状態で収納されている紙幣を１枚ずつに分離しながら繰り出し、搬送路Ｗ２６に順次引き渡す。
【０２３１】
続いて紙幣入出金機２１０は、やはり出金処理（図２４）の場合と同様の矢印Ｒ４２に沿って紙幣を搬送し、鑑別部１４を通過する際に鑑別させる。ここで紙幣制御部２１１は、鑑別部１４から得られる鑑別結果のうち主に走行状態を基に、正常な紙幣の搬送先を接客部１２に決定し、リジェクト紙幣の搬送先をリジェクト庫１７に決定する。
【０２３２】
紙幣入出金機２１０は、正常な紙幣を、矢印Ｒ４９のように、基幹搬送路ＷＰ並びに搬送路Ｗ２及びＷ３に沿って一時保留部１６へ搬送して順次収納させ、リジェクト紙幣を、矢印Ｒ４９に沿って上後切替部５１まで搬送した後、出金処理の場合と同様の矢印Ｒ１１に沿ってリジェクト庫１７へ搬送して収納させる。
【０２３３】
やがて紙幣入出金機２１０は、一時保留部１６に収納可能な最大枚数（例えば２００枚）の紙幣を搬送し終え、或いは指定された枚数の紙幣を搬送し終えると、前段の紙幣移動処理を終了する共に、後段の紙幣移動処理を開始する。
【０２３４】
具体的に紙幣入出金機２１０は、図２３に示した収納処理の場合と同様、一時保留部１６に収納している紙幣を順次繰り出し、矢印Ｒ４に沿って鑑別部１４へ搬送し、順次鑑別させる。このとき紙幣制御部２１１は、鑑別部１４から得られる鑑別結果を基に、正常であり再利用可能な紙幣の搬送先を、移動先である紙幣収納庫２２（２２Ａ〜２２Ｃ）又は補充回収庫２２４に決定し、リジェクト紙幣の搬送先をリジェクト庫１７に決定する。
【０２３５】
続いて紙幣入出金機２１０は、正常な紙幣を矢印Ｒ４１に沿って移動先である紙幣収納庫２２又は補充回収庫２２４へ搬送して収納させる一方、リジェクト紙幣を該矢印Ｒ４１に沿って切替部６６まで搬送した後、矢印Ｒ６に沿ってリジェクト庫１７へ搬送して収納させる。
【０２３６】
因みに紙幣入出金機２１０では、上述したように、紙幣収納庫２２及び補充回収庫２２４における収納可能な紙幣の最大枚数が例えば数千枚であるのに対し、一時保留部１６における収納可能な紙幣の最大枚数が例えば２００枚程度となっている。このため紙幣入出金機２１０は、移動すべき紙幣の枚数が２００枚を越える場合には、上述した前段及び後段の紙幣移動処理を繰り返すことにより、指定された枚数の紙幣を順次移動させる。
【０２３７】
［３−３−６．取込処理］
ところで紙幣入出金機２１０では、出金取引等において紙幣の取忘が発生した場合、第１の実施の形態と同様に、取忘紙幣を取り込むようになっている。また紙幣入出金機２１０（図２０）には、上述したように、リジェクト庫１７とは別に、下部ユニット２１０Ｌ内に取忘収納庫２２７が設けられている。
【０２３８】
このため紙幣入出金機２１０では、取忘紙幣を紙幣収納庫２２の紙幣とは区別して保管する区別取込処理において、該取忘紙幣をリジェクト庫１７では無く取忘収納庫２２７へ搬送して収納する。具体的に紙幣入出金機２１０は、区別取込処理において、図２８に示す矢印Ｒ５０のように、搬送路Ｗ１、基幹搬送路ＷＰ、並びに搬送路Ｗ１０、Ｗ８、Ｗ３１及びＷ２６Ｇに沿って紙幣を搬送することにより、各紙幣を取忘収納庫２２７に収納させる。
【０２３９】
一方、紙幣入出金機２１０では、第１の実施の形態と同様に、取忘紙幣を取り込んで再利用する再利用取込処理も行い得るようになっている。この再利用取込処理を行う場合、紙幣入出金機２１０では、取忘収納庫２２７に取忘紙幣を収納する必要が無くなるため、この取忘収納庫２２７を第２のリジェクト庫とみなし、リジェクト紙幣を搬送して収納させる。因みにここでは、補充回収庫２２４が紙幣収納モードで動作し、再利用可能な紙幣を収納する場合を想定する。
【０２４０】
具体的に紙幣入出金機２１０は、図２９（Ａ）に示すように、入金処理の場合（図７（Ａ））と同様の矢印Ｒ１に沿って紙幣を鑑別部１４へ搬送し、鑑別させる。紙幣制御部２１１は、鑑別部１４から得られる鑑別結果を基に、正常であり再利用が可能な紙幣の搬送先を一時保留部１６に決定し、リジェクト紙幣の搬送先を取忘収納庫２２７に決定する。
【０２４１】
続いて紙幣入出金機２１０は、正常な紙幣を、矢印Ｒ２に沿って一時保留部１６へ搬送して収納させ、リジェクト紙幣を、矢印Ｒ２に沿って上後切替部５１まで搬送した後、矢印Ｒ５１のように搬送路Ｗ１０、Ｗ８、Ｗ３１及びＷ２６Ｇに沿って取忘収納庫２２７へ搬送して収納させる。
【０２４２】
さらに紙幣入出金機２１０は、図２９（Ｂ）に示すように、入金取引における収納処理の場合（図２３）と概ね同様に紙幣を搬送する。すなわち紙幣入出金機２１０は、矢印Ｒ４に沿って紙幣を鑑別部１４へ搬送する。このとき紙幣制御部２１１は、得られた鑑別結果を基に、正常な紙幣の搬送先を金種に応じて紙幣収納庫２２又は補充回収庫２２４に決定し、リジェクト紙幣の搬送先を取忘収納庫２２７に決定する。
【０２４３】
続いて紙幣入出金機２１０は、正常な紙幣を矢印Ｒ４１に沿って紙幣収納庫２２又は補充回収庫２２４へ搬送して収納させ、リジェクト紙幣を矢印Ｒ４１に沿って切替部２６７まで搬送した後、矢印Ｒ５２のように搬送路Ｗ２６Ｇに沿って取忘収納庫２２７へ搬送して収納させる。
【０２４４】
［３−４．効果等］
以上の構成において、第３の実施の形態による現金自動預払機２０１の紙幣入出金機２１０は、第１の実施の形態による紙幣入出金機１０と同様に、基幹搬送路ＷＰを互いに共有する上環状搬送路ＷＣＵ及び下環状搬送路ＷＣＬを形成した（図２２）。これにより紙幣入出金機２１０は、第１の実施の形態による紙幣入出金機１０と同様、入金処理、収納処理及び出金処理といった各処理において、紙幣をそれぞれの搬送先へ円滑に搬送することができる（図２３及び図２４）。
【０２４５】
また紙幣入出金機２１０は、第１の実施の形態による紙幣入出金機１０と比較して、紙幣収納庫２２Ｄを省略する一方、補充回収庫２２４、補充リジェクト庫２２５及び取忘収納庫２２７を設けた（図１８及び図２０）。紙幣入出金機２１０は、補充回収庫２２４を紙幣収納モードで動作させる場合、該補充回収庫２２４を第１の実施の形態における紙幣収納庫２２Ｄと同様に取り扱うことができ、再利用可能な紙幣を収納し又は繰り出すことにより、収納処理や出金処理等を円滑に行い得る。
【０２４６】
これに加えて紙幣入出金機２１０は、補充回収庫２２４を補充回収モードで動作させる場合、紙幣を該補充回収庫２２４から鑑別部１４を経由して紙幣収納庫２２へ搬送する補充処理（図２５）、及び紙幣を該紙幣収納庫２２から鑑別部１４を経由して補充回収庫２２４へ搬送する回収処理（図２６）を行うことができる。これにより紙幣入出金機２１０では、紙幣収納庫２２Ａ〜２２Ｃの下部フレーム２２０に対する着脱や運搬等の作業を行わせる必要が無く、補充回収庫２２４を含む補充回収カセット２２６のみについて着脱や運搬等の作業を行わせれば良い。
【０２４７】
これを他の観点から見ると、紙幣入出金機２１０（図２２）では、下環状搬送路ＷＣＬに対し、３ウェイの切替部６６を介して、搬送路Ｗ３１及びＷ２６Ｆ並びに補充回収庫２２４を接続している、と見なし得る。これにより紙幣入出金機２１０では、補充回収庫２２４から繰り出され搬送路Ｗ２６Ｆ及びＷ３１を通過し切替部６６に到達した紙幣を、下環状搬送路ＷＣＬに沿って、時計回り又は反時計回りの何れの方向へも搬送することができる。これと共に紙幣入出金機２１０では、下環状搬送路ＷＣＬに沿って、時計回り又は反時計回りの何れの方向から切替部６６へ搬送されてきた紙幣についても、搬送路Ｗ２６Ｆ及びＷ３１を介して補充回収庫２２４へ搬送して収納させることができる。
【０２４８】
さらに別の観点から見ると、紙幣入出金機２１０（図２２）では、紙幣収納庫２２（２２Ａ〜２２Ｃ）と補充回収庫２２４との間に補充リジェクト庫２２５を配置した。このため紙幣入出金機２１０では、補充リジェクト紙幣を他の正常な紙幣と同様の搬送経路に沿って切替部２６３まで搬送し、該切替部２６３を搬送路Ｗ２７Ｃ側へ切り替えるだけで、補充リジェクト庫２２５へ搬送することができる。このとき紙幣入出金機２１０は、補充リジェクト紙幣の搬送経路を他の正常な紙幣の搬送経路と重複させることが無いため、効率良く短時間で搬送することができる。
【０２４９】
これに加えて紙幣入出金機２１０では、補充回収庫２２４の前側に隣接する箇所に補充リジェクト庫２２５を配置し、且つ該補充回収庫２２４及び補充リジェクト庫２２５を一体化して補充回収カセット２２６を形成するようにした（図２０及び図２１）。このため紙幣入出金機２１０では、下部フレーム２２０（図２０）に対し補充回収カセット２２６を着脱させるだけで、補充回収庫２２４及び補充リジェクト庫２２５を何れも装着又は離脱させることができる。
【０２５０】
すなわち紙幣入出金機２１０では、搬送経路上において補充処理（図２５）及び回収処理（図２６）に適した位置に補充回収庫２２４を接続し、且つ補充リジェクト紙幣の効率的な搬送に適した位置に補充リジェクト庫２２５を接続しながら、両者を一体の補充回収カセット２２６として運用時の作業効率を高めることができる。
【０２５１】
さらに紙幣入出金機２１０は、リジェクト庫１７とは別に、取忘紙幣を収納するための取忘収納庫２２７を設けた（図２０及び図２２等）。これにより紙幣入出金機２１０では、紙幣の取忘が発生した場合に取忘紙幣を取忘収納庫２２７へ搬送して収納することができるので（図２８）、該取忘紙幣を紙幣収納庫２２の再利用可能な紙幣や、リジェクト庫１７のリジェクト紙幣と区別した状態で保管できる。
【０２５２】
その一方で紙幣入出金機２１０は、取忘紙幣を積極的に再利用する再利用取込処理を行うこともできる（図２９（Ａ）及び（Ｂ））。このとき紙幣入出金機２１０は、取忘収納庫２２７をもう一つのリジェクト庫と位置づけてリジェクト紙幣を収納することができる。これにより紙幣入出金機２１０は、リジェクト庫１７に収納可能な最大枚数のリジェクト紙幣が既に収納された状態であっても、新たに発生したリジェクト紙幣の搬送先を取忘収納庫２２７に切り替えることにより、リジェクト紙幣の回収作業を行わせること無く、運用を継続することができる。
【０２５３】
また紙幣入出金機２１０（図１８〜図２０）では、第１の実施の形態による紙幣入出金機１０（図２、図４及び図５）と比較して、接客部１２、鑑別部１４、上後搬送部１５、一時保留部１６、リジェクト庫１７並びに紙幣収納庫２２（２２Ａ〜２２Ｃ）の各部を同一の構成とした。さらに紙幣入出金機２１０では、例えば上前搬送部２１３（図１９）において、第１の実施の形態における上前搬送部１３（図４）との間で、搬送路４２及び４３を構成する搬送ガイド（図示せず）や搬送ローラ対４５等のように、部品単位で構成や配置を共通化した。これにより紙幣入出金機２１０は、紙幣入出金機１０との間で多くの部品を共通化でき、その設計や製造、或いは保守等に要するコストを低廉化できる。
【０２５４】
その他の点においても、紙幣入出金機２１０は、第１の実施の形態による紙幣入出金機１０と同様の作用効果を奏し得る。
【０２５５】
以上の構成によれば、第３の実施の形態による現金自動預払機２０１の紙幣入出金機２１０は、鑑別部１４を通過する基幹搬送路ＷＰの上側及び下側に上環状搬送路ＷＣＵ及び下環状搬送路ＷＣＬをそれぞれ形成した。さらに紙幣入出金機２１０は、下部ユニット２１０Ｌから紙幣収納庫２２Ｄを省略する一方、補充回収庫２２４及び補充リジェクト庫２２５を一体化した補充回収カセット２２６等を設けた。このため紙幣入出金機２１０では、第１の実施の形態による紙幣入出金機１０と極めて多くの部品を共通化できると共に、入金処理や出金処理等に加えて、補充処理及び回収処理においても、紙幣を効率良く円滑に搬送することができる。
【０２５６】
［４．第４の実施の形態］
第４の実施の形態による現金自動預払機３０１（図１）は、第１の実施の形態による現金自動預払機１と比較して、紙幣入出金機１０に代わる紙幣入出金機３１０を有する点において相違するものの、他の点については同様に構成されている。
【０２５７】
紙幣入出金機３１０は、図２と対応する図３０に示すように、第１の実施の形態による紙幣入出金機１０の紙幣入出金機フレーム１０Ｆ、上部ユニット１０Ｕ及び下部ユニット１０Ｌとそれぞれ対応する紙幣入出金機フレーム３１０Ｆ、上部ユニット３１０Ｕ及び下部ユニット３１０Ｌにより構成されている。
【０２５８】
［４−１．上部ユニットの構成］
図４（Ａ）と対応する図３１に示すように、上部ユニット３１０Ｕは、第１の実施の形態による上部ユニット１０Ｕと比較して、紙幣制御部１１、上前搬送部１３、上後搬送部１５及びリジェクト庫１７に代わる紙幣制御部３１１、上前搬送部３１３、上後搬送部３１５及び取忘収納庫３１７を有する点において相違する。その一方で上部ユニット３１０Ｕは、他の点において上部ユニット１０Ｕと同様に構成されている。
【０２５９】
紙幣制御部３１１は、紙幣制御部１１と同様、図示しないＣＰＵやＲＯＭ、ＲＡＭ及びフラッシュメモリを有しており、紙幣の搬送先を決定する処理や各部の動作を制御する処理等、種々の処理を行い、また種々の情報を記憶する。取忘収納庫３１７は、構造としては第１の実施の形態におけるリジェクト庫１７（図４）と同様であるものの、リジェクト紙幣では無く、取忘紙幣が収納されるようになっている。
【０２６０】
［４−１−１．上前搬送部の構成］
上前搬送部３１３は、第３の実施の形態による上前搬送部２１３（図１９）がさらに前方へ延長されたような形状となっている。具体的に上前搬送部３１３は、第１の実施の形態による上前搬送部１３（図４（Ａ））と比較して、上前切替部４１及び搬送路４４に代わる上前切替部２４１及び搬送路３４４を有する点において相違するものの、搬送路４２及び４３並びに搬送ローラ対４５については同様に構成されている。
【０２６１】
上前切替部２４１は、第３の実施の形態と同様に構成されている。搬送路３４４は、上前切替部２４１から前方へ向けて進行した後、下方へ屈曲する経路を形成しており、その下端が上部ユニット前受渡口Ｔ１１となっている。換言すれば、搬送路３４４は、前後方向に沿った部分における前後方向の長さが、第３の実施の形態による搬送路２４４よりも延長されている。
【０２６２】
このため上前切替部２４１は、紙幣制御部３１１の制御に基づき、上側の搬送路４２及び後側の搬送路４３を接続する搬送経路と、後側の搬送路４３及び前側の搬送路３４４を接続する搬送経路とを切り替えることができる。これに伴い上前搬送部２１３は、第１の実施の形態による上前搬送部１３と同様に、複数通りの搬送経路に沿って紙幣を搬送することができる。
【０２６３】
［４−１−２．上後搬送部の構成］
上後搬送部３１５は、第１の実施の形態による上後搬送部１５（図４（Ａ）及び（Ｂ））と比較して、前後方向にやや延長されると共に反転部３１９が追加された点において大きく相違し、また各切替部及び各搬送路の配置や搬送経路が一部相違している。
【０２６４】
すなわち上後搬送部３１５には、第１の実施の形態における上後切替部５１、一時保留切替部５２及び区別切替部５３とそれぞれ対応する上後切替部３５１、一時保留切替部３５２及び区別切替部３５３が設けられている。また上後搬送部３１５には、搬送路５４、５５、５６、５７、５８、５９及び６０とそれぞれ対応する搬送路３５４、３５５、３５６、３５７、３５８、３５９及び３６０がそれぞれ設けられている。
【０２６５】
かかる構成により上後搬送部３１５は、第１の実施の形態と同様、前下側の鑑別部１４から紙幣が搬送されてきた場合、この紙幣を前上側の接客部１２、後上側の一時保留部１６、後下側の取忘収納庫３１７、又は下側の下部ユニット３１０Ｌ（図３０）に引き渡すことができる。また上後搬送部３１５は、後上側の一時保留部１６から紙幣が搬送されてきた場合、この紙幣を前下側の鑑別部１４、前上側の接客部１２、後下側の取忘収納庫３１７、又は下側の下部ユニット３１０Ｌ（図３０）に引き渡すことができる。さらに上後搬送部３１５は、下側の下部ユニット３１０Ｌ（図３０）から紙幣が搬送されてきた場合、この紙幣を前下側の鑑別部１４、前上側の接客部１２、後上側の一時保留部１６、又は後下側の取忘収納庫３１７に引き渡すことができる。
【０２６６】
これに加えて上後搬送部３１５には、搬送路３５７上に反転部３１９が設けられている。反転部３１９の内部には、複数の搬送ローラ対や搬送ガイド、並びに切替部等が組み込まれている。具体的に反転部３１９は、搬送路３５７の一部であり後側及び前側を直線的に結ぶ前後方向に沿った搬送経路に加えて、後側及び上側を結ぶ搬送経路と、上側及び前側を結ぶ搬送経路とを有している。
【０２６７】
また反転部３１９は、維持モード及び反転モードといった２つの動作モードを有しており、紙幣制御部３１１の制御に従い、この何れかの動作モードで紙幣を後側から前側へ搬送するようになっている。すなわち反転部３１９は、維持モードにおいて、後側から搬送されてきた紙幣を搬送路３５７に沿って直線的に前方へ搬送することにより、該紙幣の表裏を維持したまま進行させる。また反転部３１９は、反転モードにおいて、後側から搬送されてきた紙幣を一度上方へ進行させて停止させ、今度は進行方向を上下反対に切り替えて下方へ進行させてから前方へ進行させることにより、該紙幣の表裏を反転させて進行させる。
【０２６８】
［４−２．下部ユニットの構成］
図５と対応する図３２に示すように、下部ユニット３１０Ｌは、第１の実施の形態における下部フレーム２０及び下搬送部２１に代わる下部フレーム３２０及び下搬送部３２１により構成されている。
【０２６９】
［４−２−１．下部フレームの構成］
下部フレーム３２０の内部には、前側から後側へ向けて、４個の紙幣収納庫２２Ａ、２２Ｂ、２２Ｃ及び２２Ｄ、補充リジェクト庫２２５、補充回収庫２２４、並びに２個のリジェクト庫３２７及び３２８が順次配置されている。
【０２７０】
このうち紙幣収納庫２２（２２Ａ〜２２Ｄ）は、第１の実施の形態と同様に構成されている。また補充回収庫２２４及び補充リジェクト庫２２５は、何れも第３の実施の形態と同様に構成されており、一体の補充回収カセット２２６（図２１）を形成している。
【０２７１】
第２区別収納庫としてのリジェクト庫３２７及び３２８は、何れも補充リジェクト庫２２５と同様に構成されており、内部に紙幣を収納する収納空間や、該収納空間内へ紙幣を放出する放出機構等を有している。このリジェクト庫３２７及び３２８は、何れも紙幣収納庫２２よりも格段に少ない枚数の紙幣（リジェクト紙幣）を収納できる。
【０２７２】
ところで下部フレーム３２０は、図３３（Ａ）及び（Ｂ）に斜視図を示すように、前側の主フレーム３９１及び後側の後フレーム３９２により構成されている。第１装填部としての主フレーム３９１は、前後方向に十分な長さを有する中空の直方体状でなり、上面が開放されると共にその内部が前後方向に沿って複数に仕切られ、４個のスロットが形成されている。これらのスロットには、紙幣収納庫２２Ａ〜２２Ｄがそれぞれ装填される。
【０２７３】
第２装填部としての後フレーム３９２は、前後方向に比較的短い中空の直方体状でなり、上面が開放されると共にその内部が前後方向に沿って複数に仕切られ、３個のスロットが形成されている。このスロットには、前側から順に、補充回収カセット２２６（図２１）、リジェクト庫３２７及び３２８がそれぞれ装填される。
【０２７４】
下搬送部３２１は、前後方向に長く上下方向に短い直方体状に構成された筐体の内部に搬送ローラ対や搬送ガイド等が組み込まれており、主フレーム３９１に対し、右側に設けられた蝶番３９３を介して回動可能に取り付けられている。このため下搬送部３２１は、主フレーム３９１に対し回動されることにより、該主フレーム３９１及び後フレーム３９２の各スロットを開放又は閉塞することができる。
【０２７５】
さらに後フレーム３９２は、主フレーム３９１に対しスライドレール３９４を介して取り付けられている。このスライドレール３９４は、前後方向に沿ってスライドし得るように構成されており、主フレーム３９１に対し後フレーム３９２を前方向又は後方向へ移動させることができる。
【０２７６】
すなわち後フレーム３９２は、前方向へ移動された場合には、図３３（Ａ）及び（Ｂ）に示したように、その前面を主フレーム３９１に近接させると共にその後面を下搬送部３２１の後面とほぼ揃えた後フレーム収納状態となる。一方、後フレーム３９２は、後方向へ移動された場合には、図３３（Ｃ）に示すように、その前面を主フレーム３９１から引き離して下搬送部３２１の後面よりも後側に位置させた後フレーム引出状態となる。
【０２７７】
このため下部ユニット３１０Ｌでは、現金自動預払機３０１（図１）の後扉（図示せず）が開放されていれば、該下部ユニット３１０Ｌが紙幣入出金機フレーム３１０Ｆの内部に収納された状態（図３０）であっても、後フレーム３９２を後フレーム引出状態（図３３（Ｃ））とすることにより、補充回収カセット２２６等を着脱させることができる。
【０２７８】
［４−２−２．下搬送部の構成］
下搬送部３２１（図３２）は、その内部における前側から後側へ向けて離散的な位置に、切替部６１、６２、３６３、３６４、３６５、６６、３６７及び３６８が順次配置されている。このうち切替部６１及び６２は、紙幣収納庫２２Ａ及び２２Ｂのほぼ真上にそれぞれ配置されており、何れも第１の実施の形態と同様に構成されている。また切替部６１及び６２の周囲には、第１の実施の形態と同様の搬送路７１、７２、７３、７４及び７５がそれぞれ設けられている。
【０２７９】
搬送路７５の後側に接続されている切替部３６３は、第１の実施の形態における切替部６３と対応し、紙幣収納庫２２Ｃのほぼ真上に位置し、第３の実施の形態における切替部２６３（図２０）と同様、３ウェイでは無く２ウェイとなっている。切替部３６３の周囲には、搬送路７５に加えて、下方へ向かい紙幣収納庫２２Ｃと接続された搬送路７６、及び後方へ向かい切替部３６４に接続された搬送路３７７が設けられている。この切替部３６３は、前側の搬送路７５及び下側の搬送路７６を接続する搬送経路と、前側の搬送路７５及び後側の搬送路３７７を接続する搬送経路とを切り替えることができる。
【０２８０】
切替部３６４は、紙幣収納庫２２Ｄのほぼ真上に位置しており、切替部６２等と同様に２ウェイとなっている。切替部３６４の周囲には、搬送路３７７に加えて、下方へ向かい紙幣収納庫２２Ｄと接続された搬送路３７８、及び後方へ向かい切替部３６５に接続された搬送路３７９が設けられている。この切替部３６４は、前側の搬送路３７７及び下側の搬送路３７８を接続する搬送経路と、前側の搬送路３７７及び後側の搬送路３７９を接続する搬送経路とを切り替えることができる。
【０２８１】
切替部３６５は、補充リジェクト庫２２５のほぼ真上に位置しており、切替部６２等と同様に２ウェイとなっている。切替部３６５の周囲には、搬送路３７９に加えて、該切替部３６５から下方へ向かい補充リジェクト庫２２５と接続された搬送路３８１、及び該切替部３６５から後方へ向かい切替部６６に接続された搬送路３８２が設けられている。この切替部３６５は、前側の搬送路３７９及び下側の搬送路３８１を接続する搬送経路と、前側の搬送路３７９及び後側の搬送路３８２を接続する搬送経路とを切り替えることができる。
【０２８２】
切替部６６は、切替部３６５の後側に配置されており、第１の実施の形態と同様に構成されている。切替部６６の周囲には、搬送路３８２に加えて、上方へ向かう搬送路７９、及び後方へ向かい切替部３６７に接続された短い搬送路３８３が設けられている。この切替部６６は、前側の搬送路３８２及び後側の搬送路３８３を接続する搬送経路と、前側の搬送路３８２及び上側の搬送路７９を接続する搬送経路と、後側の搬送路３８３及び上側の搬送路７９を接続する搬送経路とを切り替えることができる。
【０２８３】
切替部３６７は、補充回収庫２２４のほぼ真上に位置しており、切替部６２等と同様に２ウェイとなっている。切替部３６７の周囲には、搬送路３８３に加えて、下方へ向かい補充回収庫２２４と接続された搬送路３８４、及び後方へ向かい切替部３６８に接続された搬送路３８５が設けられている。この切替部３６７は、前側の搬送路３８３及び下側の搬送路３８４を接続する搬送経路と、前側の搬送路３８３及び後側の搬送路３８５を接続する搬送経路とを切り替えることができる。
【０２８４】
切替部３６８は、リジェクト庫３２７のほぼ真上に位置しており、切替部６２等と同様に２ウェイとなっている。切替部３６８の周囲には、搬送路３８５に加えて、下方へ向かいリジェクト庫３２７と接続された搬送路３８６、及び後下方へ向かいリジェクト庫３２８と接続された搬送路３８７が設けられている。この切替部３６８は、前側の搬送路３８５及び下側の搬送路３８６を接続する搬送経路と、前側の搬送路３８５及び後側の搬送路３８７を接続する搬送経路とを切り替えることができる。
【０２８５】
かかる構成により下搬送部３２１は、例えば上部ユニット３１０Ｕ（図３１）から下部ユニット前受渡口Ｔ２１を介して紙幣が搬送されてきた場合、この紙幣を紙幣収納庫２２Ａ、２２Ｂ、２２Ｃ若しくは２２Ｄ、補充リジェクト庫２２５、補充回収庫２２４、又はリジェクト庫３２７若しくは３２８へ搬送して収納させることができる。また下搬送部３２１は、この紙幣を下部ユニット後受渡口Ｔ２２から上部ユニット３１０Ｕへ戻すこともできる。さらに下搬送部３２１は、紙幣収納庫２２Ａ、２２Ｂ、２２Ｃ若しくは２２Ｄ、又は補充回収庫２２４から紙幣を受け取った場合、これを下部ユニット前受渡口Ｔ２１へ搬送して上部ユニット３１０Ｕに引き渡すこともできる。
【０２８６】
また下搬送部３２１は、例えば上部ユニット３１０Ｕから下部ユニット後受渡口Ｔ２２を介して紙幣が搬送されてきた場合、この紙幣を補充回収庫２２４又はリジェクト庫３２７若しくは３２８へ搬送して収納させることができる。さらに下搬送部３２１は、補充回収庫２２４から紙幣を受け取った場合、これを下部ユニット後受渡口Ｔ２２へ搬送して上部ユニット３１０Ｕに引き渡すこともできる。
【０２８７】
［４−３．紙幣入出金機における各種処理］
次に、図６等と対応する図３４に示すように紙幣入出金機３１０を模式化した上で、該紙幣入出金機３１０における紙幣の搬送を伴う種々の処理について、それぞれ詳細に説明する。この図３４では、図６等の場合と同様に、各モジュールや各搬送部を互いに接続する複数の搬送路をまとめて１つの搬送路としている。
【０２８８】
このうち搬送路Ｗ３２は、上後搬送部３１５の搬送路３５５に相当する。搬送路Ｗ３３は、上後搬送部３１５の搬送路３５８に相当する。搬送路Ｗ３４は、上後搬送部３１５の搬送路３５７及び接客部１２の搬送路３４に相当する。
【０２８９】
搬送路Ｗ３５は、上前搬送部３１３の搬送路３４４及び下搬送部３２１の搬送路７１に相当する。搬送路Ｗ３６Ａ、Ｗ３６Ｂ、Ｗ３６Ｃ、Ｗ３６Ｄ、Ｗ３６Ｅ及びＷ３６Ｆ、Ｗ３６Ｇ及びＷ３６Ｈは、それぞれ下搬送部３２１の搬送路７２、７４、７６、３７８、３８１，３８４、３８６及び３８７に相当する。またこの搬送路Ｗ３６Ａ、Ｗ３６Ｂ、Ｗ３６Ｃ、Ｗ３６Ｄ、Ｗ３６Ｅ、Ｗ３６Ｆ、Ｗ３６Ｇ及びＷ３６Ｈをまとめて搬送路Ｗ３６とも呼ぶ。
【０２９０】
搬送路Ｗ３７Ａ、Ｗ３７Ｂ、Ｗ３７Ｃ、Ｗ３７Ｄ及びＷ３７Ｅは、それぞれ下搬送部３２１の搬送路７３、７５、３７７、３７９及び３８２に相当する。またこの搬送路Ｗ３７Ａ、Ｗ３７Ｂ、Ｗ３７Ｃ、Ｗ３７Ｄ及びＷ３７Ｅをまとめて搬送路Ｗ３７とも呼ぶ。搬送路Ｗ４１Ｆ及びＷ４１Ｇは、それぞれ搬送路３８３及び３８５に相当する。さらに第４の実施の形態では、搬送路Ｗ３７を振分搬送路とも呼び、搬送路Ｗ４１Ｆ、Ｗ４１Ｇ、Ｗ３６Ｆ、Ｗ３６Ｇ及びＷ３６Ｈをまとめて分岐搬送路とも呼ぶ。
【０２９１】
搬送路Ｗ３８は、下搬送部３２１の搬送路７９及び上後搬送部３１５の搬送路３５９に相当する。搬送路Ｗ３９は、上後搬送部３１５の搬送路３６０に相当する。搬送路Ｗ４０は、上後搬送部３１５の搬送路３５６に相当する。図３４におけるその他の各搬送路については、図６と対応する箇所に同一の符号を付している。
【０２９２】
［４−３−１．入金処理及び収納処理］
紙幣入出金機３１０は、入金処理において、第１の実施の形態における入金処理の場合（図７（Ａ））に相当する搬送経路に沿って紙幣を搬送し、収納処理において、リジェクト転用モードでの収納処理の場合（図７（Ｃ））に相当する搬送経路に沿って紙幣を搬送するようになっている。
【０２９３】
具体的に紙幣入出金機３１０は、入金処理において、使用者により接客部１２の収容器３１内へ紙幣が投入されると、図３５（Ａ）に示すように、分離部３１Ｓにより当該収容器３１内の紙幣を１枚ずつに分離し、その下流側に位置する搬送路Ｗ１に順次引き渡す。続いて紙幣入出金機３１０は、矢印Ｒ６１として示すように、紙幣を搬送路Ｗ１及び基幹搬送路ＷＰに沿って搬送することにより、鑑別部１４において該紙幣を鑑別させる。
【０２９４】
紙幣制御部３１１は、鑑別部１４から得られる鑑別結果を基に、正常と判断した入金受入紙幣の搬送先を一時保留部１６に決定すると共に、正常で無いと判断した入金リジェクト紙幣の搬送先を接客部１２に決定する。これに応じて紙幣入出金機３１０は、入金受入紙幣を、矢印Ｒ６２として示すように基幹搬送路ＷＰ、搬送路Ｗ３２及びＷ３３に沿って搬送し、一時保留部１６に引き渡して収納させる。
【０２９５】
また紙幣入出金機３１０は、入金リジェクト紙幣を、矢印Ｒ６２に沿って一時保留切替部３５２まで搬送した後、矢印Ｒ６３として示すように、搬送路Ｗ３４に沿って搬送し、接客部１２の集積搬送部３５に集積させておく。やがて後紙幣入出金機３１０は、使用者に投入された紙幣を全て分離部３１Ｓから取り込んだ後、集積搬送部３５に集積された紙幣の束を収容器３１内へ搬送して使用者に返却する。
【０２９６】
続いて紙幣入出金機３１０は、収納処理において、図３５（Ｂ）に示すように、一時保留部１６に収納している紙幣（入金受入紙幣）を順次繰り出し、矢印Ｒ６４のように搬送路Ｗ３３及びＷ３２並びに基幹搬送路ＷＰに沿って鑑別部１４へ搬送し、順次鑑別させる。このとき紙幣制御部３１１は、鑑別部１４から得られる鑑別結果を基に、正常であり再利用可能な紙幣については金種ごとの各紙幣収納庫２２（２２Ａ〜２２Ｄ）を、損傷の程度が大きいリジェクト紙幣についてはリジェクト庫３２７又は３２８を、それぞれ搬送先として決定する。
【０２９７】
続いて紙幣入出金機３１０は、正常な紙幣を、矢印Ｒ６５として示すように、基幹搬送路ＷＰ並びに搬送路Ｗ３５、Ｗ３６及びＷ３７の一部に沿って搬送先である紙幣収納庫２２（２２Ａ〜２２Ｄ）へ搬送して、収納させる。また紙幣入出金機３１０は、リジェクト紙幣を、矢印Ｒ６５に沿って切替部３６４まで搬送した後、矢印Ｒ６６のように搬送路Ｗ３７及びＷ４１に沿って切替部３６８まで搬送し、さらに搬送路Ｗ３６Ｇ又はＷ３６Ｈに沿ってリジェクト庫３２７又は３２８へ搬送し、収納させる。
【０２９８】
［４−３−２．出金処理］
紙幣入出金機３１０は、出金処理において、第１の実施の形態におけるリジェクト転用モードでの出金処理の場合（図８（Ｂ））に相当する搬送経路に沿って紙幣を搬送する。また紙幣入出金機３１０は、使用者から所定の表裏指示を受けた場合、紙幣の表裏を揃えた状態で出金するようになっている。
【０２９９】
具体的に紙幣入出金機３１０の紙幣制御部３１１は、出金額に応じた紙幣の金種及び枚数を決定した上で、決定した金種及び枚数に応じて、各紙幣収納庫２２（２２Ａ〜２２Ｄ）に収納されている紙幣を１枚ずつに分離しながら繰り出し、下流の搬送路Ｗ３６に順次引き渡す。
【０３００】
続いて紙幣入出金機３１０は、図３６に示す矢印Ｒ６７のように、紙幣を搬送路Ｗ３６及びＷ３７の一部に沿って搬送し、さらに搬送路Ｗ３５及び基幹搬送路ＷＰに沿って搬送して、鑑別部１４により鑑別させる。ここで紙幣制御部３１１は、鑑別部１４から得られる鑑別結果のうち主に走行状態を基に、問題が無ければ搬送先を接客部１２に決定し、問題があれば搬送先をリジェクト庫３２７又は３２８に決定する。
【０３０１】
紙幣入出金機３１０は、正常な紙幣を、矢印Ｒ６８のように基幹搬送路ＷＰ並びに搬送路Ｗ３２及びＷ３４に沿って接客部１２へ搬送し、収容器３１の内部に放出して集積させる。ここで紙幣制御部３１１は、予め使用者から表裏指示を受け付けていた場合、鑑別結果を基に表裏を判断し、何れか一方の紙幣（例えば裏向きであった紙幣）を搬送路Ｗ３４上の反転部３１９において反転させることにより、収容器３１内へ放出される紙幣の表裏を統一させる。
【０３０２】
また紙幣入出金機３１０は、リジェクト紙幣を、矢印Ｒ６８に沿って上後切替部３５１まで搬送し、矢印Ｒ６９として示すように、搬送路Ｗ４０、Ｗ３９、Ｗ３８及びＷ４１並びに搬送路Ｗ３６の一部に沿ってリジェクト庫３２７又は３２８へ搬送し、収納させる。
【０３０３】
［４−３−３．補充処理］
紙幣入出金機３１０は、補充処理において、下部フレーム３２０（図３３）から補充回収カセット２２６が取り外され、該補充回収カセット２２６の補充回収庫２２４に新たな紙幣が収納された後、再び該補充回収カセット２２６が下部フレーム２２０に装着される。この状態で紙幣入出金機３１０は、使用者（金融機関の職員等）から操作表示部６（図１）を介して補充先の紙幣収納庫２２及び移動する紙幣の枚数等の指示を受け付けると、第３の実施の形態における補充処理の場合（図２５）に相当する搬送経路に沿って紙幣を搬送する。
【０３０４】
具体的に紙幣入出金機３１０は、図３７に示すように、まず補充回収庫２２４に収納されている紙幣を１枚ずつに分離しながら繰り出し、搬送路Ｗ３６Ｆに順次引き渡していく。続いて紙幣入出金機３１０は、矢印Ｒ７０のように、紙幣を搬送路Ｗ３６Ｆ、Ｗ４１Ｆ、Ｗ３８及びＷ４０並びに基幹搬送路ＷＰに沿って搬送し、鑑別部１４を通過する際に鑑別させる。紙幣制御部３１１は、鑑別部１４から得られる鑑別結果を基に、再利用可能な紙幣の搬送先を補充先である紙幣収納庫２２に決定する一方、これ以外の紙幣を補充リジェクト紙幣と判断し、その搬送先を補充リジェクト庫２２５に決定する。
【０３０５】
紙幣入出金機３１０は、再利用可能な紙幣を、収納処理の場合（図３５（Ｂ））と同様に、矢印Ｒ６５に沿って補充先である紙幣収納庫２２（２２Ａ〜２２Ｄ）へ搬送して収納させる。また紙幣入出金機３１０は、補充リジェクト紙幣を、矢印Ｒ６５に沿って切替部３６４まで搬送した後、矢印Ｒ７１として示すように、搬送路Ｗ３７Ｄ及びＷ３６Ｅに沿って補充リジェクト庫２２５へ搬送し、収納させる。
【０３０６】
［４−３−４．回収処理］
紙幣入出金機３１０は、回収処理において、使用者（金融機関の職員等）から操作表示部６（図１）を介して回収元の紙幣収納庫２２及び移動する紙幣の枚数等の指示を受け付けると、第３の実施の形態における回収処理の場合（図２６）に相当する搬送経路に沿って紙幣を搬送する。
【０３０７】
具体的に紙幣入出金機３１０は、図３８に示すように、まず出金処理の場合（図３６）と同様の矢印Ｒ６７に沿って、回収元である紙幣収納庫２２（２２Ａ〜２２Ｄ）から鑑別部１４へ搬送して鑑別させる。紙幣制御部３１１は、鑑別部１４から得られる鑑別結果を基に、紙幣の走行状態を判断し、正常な紙幣の搬送先を補充回収庫２２４に決定する一方、正常で無い紙幣をリジェクト紙幣と判断し、その搬送先をリジェクト庫３２７又は３２８に決定する。
【０３０８】
続いて紙幣入出金機３１０は、正常な紙幣を、矢印Ｒ７２として示すように、基幹搬送路ＷＰ及び搬送路Ｗ４０、Ｗ３８、Ｗ４１Ｆ及びＷ３６Ｆに沿って補充回収庫２２４へ搬送して収納させる。また紙幣入出金機３１０は、リジェクト紙幣を、矢印Ｒ７２に沿って切替部３６７まで搬送した後、矢印Ｒ７３として示すように、搬送路Ｗ４１Ｇ及び搬送路Ｗ３６の一部に沿ってリジェクト庫３２７又は３２８へ搬送して収納させる。
【０３０９】
［４−３−５．後フレーム引出状態における収納処理］
紙幣入出金機３１０では、上述した補充処理及び回収処理等において、下部フレーム３２０から補充回収カセット２２６を取り外す場合、図３３（Ｃ）に示したように、後フレーム３９２を主フレーム３９１から引き離して後方へ引き出した状態となる。このとき紙幣入出金機３１０では、図３９に示すように、補充回収庫２２４、補充リジェクト庫２２５、並びにリジェクト庫３２７及び３２８が、搬送路Ｗ３６Ｆ、Ｗ３６Ｅ、Ｗ３６Ｇ及びＷ３６Ｈからそれぞれ切り離された状態となる。
【０３１０】
この場合、紙幣入出金機３１０では、紙幣収納庫２２（２２Ａ〜２２Ｄ）が搬送路Ｗ３６（Ｗ３６Ａ〜Ｗ３６Ｄ）とそれぞれ接続されているため、該紙幣収納庫２２に対する紙幣の収納や該紙幣収納庫２２からの紙幣の繰出を正常に行い得る一方、リジェクト紙幣をリジェクト庫３２７及び３２８へ搬送して収納させることができない。
【０３１１】
そこで紙幣入出金機３１０では、後フレーム引出状態（図３３（Ｃ））において収納処理を行う場合、取忘収納庫３１７にリジェクト紙幣を搬送するようになっている。この場合、紙幣入出金機３１０は、第１の実施の形態における収納処理の場合（図７（Ｂ））に相当する搬送経路に沿って紙幣を搬送することになる。因みに紙幣入出金機３１０では、運用手順等により、後フレーム３９２を後方へ引き出す前に、予め取忘収納庫３１７から取忘紙幣を取り出して空の状態にするよう、取り決められている。
【０３１２】
具体的に紙幣入出金機３１０は、通常の収納処理の場合（図３５（Ｂ））と同様、矢印Ｒ６４に沿って紙幣を一時保留部１６から鑑別部１４へ搬送して鑑別させる。このとき紙幣制御部３１１は、鑑別部１４から得られる鑑別結果を基に、正常であり再利用可能な紙幣については金種ごとの各紙幣収納庫２２（２２Ａ〜２２Ｄ）を、損傷の程度が大きいリジェクト紙幣については取忘収納庫３１７を、それぞれ搬送先として決定する。
【０３１３】
続いて紙幣入出金機３１０は、正常な紙幣を矢印Ｒ６５に沿って紙幣収納庫２２（２２Ａ〜２２Ｄ）へ搬送して収納させる。また紙幣入出金機３１０は、リジェクト紙幣を、矢印Ｒ６５に沿って切替部３６４まで搬送した後、矢印Ｒ７４のように搬送路Ｗ３７の一部、搬送路Ｗ３８及びＷ３９に沿って取忘収納庫３１７へ搬送して収納させる。
【０３１４】
［４−３−６．後フレーム引出状態における出金処理］
また紙幣入出金機３１０では、後フレーム引出状態（図３３（Ｃ））において出金処理を行う場合にも、取忘収納庫３１７にリジェクト紙幣を搬送するようになっている。この場合、紙幣入出金機３１０は、第１の実施の形態における出金処理の場合（図８（Ａ））に相当する搬送経路に沿って紙幣を搬送することになる。
【０３１５】
具体的に紙幣入出金機３１０は、図４０に示すように、通常の出金処理の場合（図３６）と同様、矢印Ｒ６７に沿って紙幣を各紙幣収納庫２２（２２Ａ〜２２Ｄ）から鑑別部１４へ搬送して鑑別させる。このとき紙幣制御部３１１は、鑑別部１４から得られる鑑別結果を基に、正常な紙幣については接客部１２を、走行状態に問題があるリジェクト紙幣については取忘収納庫３１７を、それぞれ搬送先として決定する。
【０３１６】
続いて紙幣入出金機３１０は、正常な紙幣を矢印Ｒ６８に沿って接客部１２の収容器３１へ搬送して収納させる。このとき紙幣入出金機３１０は、予め使用者から表裏指示を受け付けていた場合、搬送路Ｗ３４上の反転部３１９により紙幣の表裏を適宜反転させ、収容器３１内へ放出される紙幣の表裏を統一する。また紙幣入出金機３１０は、リジェクト紙幣を、矢印Ｒ６８に沿って上後切替部３５１まで搬送した後、矢印Ｒ７５として示すように搬送路Ｗ４０及びＷ３９に沿って取忘収納庫３１７へ搬送して収納させる。
【０３１７】
［４−３−７．紙幣移動処理］
紙幣入出金機３１０では、第３の実施の形態と同様に、一時保留部１６を介して紙幣収納庫２２同士の間で紙幣を移動させる紙幣移動処理を行い得るようになっている。この場合、紙幣入出金機３１０は、一時保留部１６へ紙幣を搬送する前段の紙幣移動処理において、図２７に相当する搬送経路に沿って紙幣を搬送し、該一時保留部１６から紙幣を搬送する後段の紙幣移動処理において、図２３に相当する搬送経路に沿って紙幣を搬送する。
【０３１８】
具体的に紙幣入出金機３１０は、使用者（金融機関の職員等）により操作表示部６（図１）を介して移動元及び移動先となる紙幣収納庫２２（２２Ａ〜２２Ｄ）及び移動する紙幣の枚数等の指示を受け付けると、前段の紙幣移動処理を開始する。まず紙幣入出金機３１０は、図４１に示すように、出金処理（図３６）の場合と同様に、移動元として指定された紙幣収納庫２２（２２Ａ〜２２Ｄ）から紙幣を繰り出し、矢印Ｒ６７に沿って鑑別部１４へ搬送する。
【０３１９】
ここで紙幣制御部３１１は、鑑別部１４から得られる鑑別結果のうち主に走行状態を基に、正常な紙幣の搬送先を一時保留部１６に決定し、問題があるリジェクト紙幣の搬送先をリジェクト庫３２７又は３２８に決定する。紙幣入出金機３１０は、正常な紙幣を、矢印Ｒ７６のように基幹搬送路ＷＰ並びに搬送路Ｗ３２及びＷ３３に沿って一時保留部１６へ搬送して収納させる。また紙幣入出金機３１０は、リジェクト紙幣を、矢印Ｒ６８に沿って上後切替部３５１まで搬送し、矢印Ｒ６９に沿ってリジェクト庫３２７又は３２８へ搬送して収納させる。
【０３２０】
その後、紙幣入出金機３１０は、後段の移動処理において、収納処理の場合（図３５（Ｂ））と同様の搬送経路に従って紙幣を搬送する。すなわち紙幣入出金機３１０は、矢印Ｒ６４に沿って紙幣を一時保留部１６から鑑別部１４へ搬送し、正常な紙幣を矢印Ｒ６５に沿って移動先の紙幣収納庫２２へ搬送して収納させ、リジェクト紙幣をさらに矢印Ｒ６６に沿ってリジェクト庫３２７又は３２８へ搬送して収納させる。
【０３２１】
［４−３−８．取込処理］
紙幣入出金機３１０では、出金取引等において紙幣の取忘が発生した場合、第３の実施の形態と同様に、取忘紙幣を紙幣収納庫２２の紙幣とは区別して保管する区別取込処理と、取忘紙幣を取り込んで再利用する再利用取込処理とを行い得るようになっている。
【０３２２】
紙幣入出金機３１０は、区別取込処理を行う場合、図４２に示す矢印Ｒ７７のように、取忘紙幣を接客部１２の収容器３１から搬送路Ｗ１、基幹搬送路ＷＰ、搬送路Ｗ４０及びＷ３９に沿って取忘収納庫３１７へ搬送し、収納させる。
【０３２３】
また紙幣入出金機３１０は、再利用取込処理を行う場合、まず図４３（Ａ）に示すように、入金処理の場合（図３５（Ａ））と同様に矢印Ｒ６１に沿って取忘紙幣を接客部１２の収容器３１から鑑別部１４へ搬送して鑑別させる。このとき紙幣制御部２１１は、鑑別部１４から得られる鑑別結果を基に、正常であり再利用が可能な紙幣の搬送先を一時保留部１６に決定する一方、他の紙幣の搬送先を取忘収納庫３１７に決定する。続いて紙幣入出金機３１０は、正常な紙幣を、入金処理の場合（図３５（Ａ））と同様に、矢印Ｒ６２に沿って一時保留部１６へ搬送して収納させる。また紙幣入出金機３１０は、正常で無い紙幣を、矢印Ｒ６２に沿って上後切替部３５１まで搬送した後、矢印Ｒ７８として示すように、搬送路Ｗ４０及びＷ３９に沿って取忘収納庫３１７へ搬送して収納させる。
【０３２４】
次に紙幣入出金機３１０は、図４３（Ｂ）に示すように、一時保留部１６に収納した紙幣を、入金取引における収納処理の場合（図３５（Ｂ））と同様に、矢印Ｒ６４に沿って鑑別部１４へ搬送して鑑別させる。このとき紙幣制御部３１１は、鑑別部１４から得られる鑑別結果を基に、正常であり再利用が可能な紙幣の搬送先を、金種に応じて各紙幣収納庫２２（２２Ａ〜２２Ｄ）に決定する一方、他の紙幣の搬送先を取忘収納庫３１７に決定する。続いて紙幣入出金機３１０は、正常な紙幣を、収納処理の場合（図３５（Ｂ））と同様に、矢印Ｒ６５に沿って搬送先である紙幣収納庫２２へ搬送して収納させる。また紙幣入出金機３１０は、正常で無い紙幣を、矢印Ｒ６５に沿って切替部３６４まで搬送した後、矢印Ｒ７９として示すように、搬送路Ｗ３７の一部、搬送路Ｗ３８及びＷ３９に沿って取忘収納庫３１７へ搬送し、収納させる。
【０３２５】
［４−４．効果等］
以上の構成において、第４の実施の形態による現金自動預払機３０１の紙幣入出金機３１０は、第１の実施の形態による紙幣入出金機１０と同様に、基幹搬送路ＷＰを互いに共有する上環状搬送路ＷＣＵ及び下環状搬送路ＷＣＬを形成した（図３４）。これにより紙幣入出金機３１０は、第１の実施の形態による紙幣入出金機１０と同様、入金処理、収納処理及び出金処理といった各処理において、紙幣をそれぞれの搬送先へ円滑に搬送することができる（図３５及び図３６）。
【０３２６】
また紙幣入出金機３１０は、第１の実施の形態による紙幣入出金機１０と比較して、リジェクト庫１７に代わる取忘収納庫３１７を設けると共に、補充回収庫２２４、補充リジェクト庫２２５並びにリジェクト庫３２７及び３２８を設けた（図３０〜図３２）。このため紙幣入出金機３１０は、第３の実施の形態と同様、紙幣を該補充回収庫２２４から鑑別部１４を経由して紙幣収納庫２２へ搬送する補充処理（図２５）、及び紙幣を該紙幣収納庫２２から鑑別部１４を経由して補充回収庫２２４へ搬送する回収処理（図２６）を行うことができる。これにより紙幣入出金機３１０では、紙幣収納庫２２Ａ〜２２Ｄの下部フレーム２２０に対する着脱や運搬等の作業を行わせる必要が無く、補充回収庫２２４を含む補充回収カセット２２６のみについて着脱や運搬等の作業を行わせれば良い。
【０３２７】
さらに紙幣入出金機３１０は、図３３に示したように、下部フレーム３２０において主フレーム３９１に対して後フレーム３９２を分離可能に構成し、後フレーム引出状態において補充回収カセット２２６を着脱し得るようにした。これにより紙幣入出金機３１０は、運用を継続したまま、すなわち使用者との間で入金取引や出金取引を行いながら、補充回収カセット２２６を着脱することができる。
【０３２８】
そのうえ紙幣入出金機３１０は、リジェクト庫３２７及び３２８を補充回収庫２２４の後側に配置し、後フレーム３９２に装填するようにした。このため紙幣入出金機３１０は、運用を継続したまま後フレーム３９２を後フレーム引出状態（図３３（Ｃ））とし、補充回収カセット２２６の着脱により紙幣の補充又は回収が行われるときに、リジェクト庫３２７及び３２８からのリジェクト紙幣の回収も行わせることができる。
【０３２９】
他の観点から見ると、紙幣入出金機３１０（図３４）は、第３の実施の形態による紙幣入出金機２１０（図２２）と同様、下環状搬送路ＷＣＬに対し、３ウェイブレードである切替部６６を介して、搬送路Ｗ３７Ｆ及びＷ３６Ｆ並びに補充回収庫２２４を接続していると見なし得る。また紙幣入出金機３１０は、やはり紙幣入出金機２１０と同様に、紙幣収納庫２２（２２Ａ〜２２Ｄ）と補充回収庫２２４との間に補充リジェクト庫２２５を配置した。このため紙幣入出金機３１０は、補充回収庫２２４及び補充リジェクト庫２２５に関して、第３の実施の形態と同様の作用効果を奏し得る。
【０３３０】
さらに紙幣入出金機３１０は、上後搬送部３１５における搬送路３５７上に反転部３１９を設けた（図３１）。これにより紙幣入出金機３１０は、出金処理等において、予め使用者から表裏指示を受け付けていた場合等に、接客部１２の収容器３１内において表裏が揃った状態で集積された紙幣を出金することができる。
【０３３１】
ところで紙幣入出金機３１０（図３０〜図３２）では、第１の実施の形態による紙幣入出金機１０（図２、図４及び図５）と比較して、接客部１２、鑑別部１４、一時保留部１６及び紙幣収納庫２２（２２Ａ〜２２Ｄ）の各部を同一の構成とした。また紙幣入出金機３１０では、取忘収納庫３１７を、第１の実施の形態におけるリジェクト庫１７と同一の構成とした。さらに紙幣入出金機３１０では、補充回収カセット２２６を第３の実施の形態と同一の構成とした。そのうえ紙幣入出金機３１０では、例えば上前搬送部３１３（図１９）において、第３の実施の形態と同様に、第１の実施の形態における上前搬送部１３（図４）との間で、搬送路４２及び４３を構成する搬送ガイド（図示せず）や搬送ローラ対４５等のように、可能な部分については部品単位で構成や配置を共通化した。これにより紙幣入出金機３１０は、第１の実施の形態による紙幣入出金機１０や第３の実施の形態による紙幣入出金機２１０との間で多くの部品を共通化でき、その設計や製造、或いは保守等に要するコストを低廉化することができる。
【０３３２】
その他の点においても、紙幣入出金機３１０は、第１の実施の形態による紙幣入出金機１０と同様の作用効果を奏し得る。
【０３３３】
以上の構成によれば、第４の実施の形態による現金自動預払機３０１の紙幣入出金機３１０は、鑑別部１４を通過する基幹搬送路ＷＰの上側及び下側に上環状搬送路ＷＣＵ及び下環状搬送路ＷＣＬをそれぞれ形成した。さらに紙幣入出金機３１０は、下部ユニット２１０Ｌの後方へ引き出し得る後フレーム３９２に補充回収カセット２２６等を着脱させるようにした。これにより紙幣入出金機３１０は、第１の実施の形態による紙幣入出金機１０と極めて多くの部品を共通化できると共に、入金処理や出金処理等に加えて補充処理及び回収処理においても紙幣を効率良く円滑に搬送でき、運用状態を継続したまま紙幣の補充や回収を行うこともできる。
【０３３４】
［５．他の実施の形態］
なお上述した第１の実施の形態においては、下搬送部２１の切替部６６（すなわち振分切替部）を３ウェイの切替部として構成する場合について述べた（図５及び図６等）。しかしながら本発明はこれに限らず、例えば紙幣移動処理（図９及び図１０）を行わない場合に、切替部６６を２ウェイとして構成し、前側の搬送路７７及び後側の搬送路７８を接続する搬送経路と、前側の搬送路７７及び上側の搬送路７９を接続する搬送経路とを切り替えるようにしても良い。さらには、切替部６３を切替部６２と同様の２ウェイとして構成しても良い。或いは、切替部６１及び６２のうち少なくとも一方を、切替部６３と同様の３ウェイとして構成しても良い。第２〜第４の実施の形態についても同様である。
【０３３５】
また上述した第２の実施の形態においては、施封切替部１５１（図１４）を一時保留切替部５２及び一時保留部１６の間に、すなわち上環状搬送路ＷＣＵ（図１５）から外れた箇所に配置する場合について述べた。しかしながら本発明はこれに限らず、例えば施封切替部１５１を一時保留切替部５２及び接客部１２の間に、すなわち上環状搬送路ＷＣＵ上に配置する等、他の種々の箇所に配置しても良い。
【０３３６】
さらに上述した第２の実施の形態においては、上環状搬送路ＷＣＵを利用して一部の紙幣の表裏を反転させることにより、施封ユニット１１０Ｓへ搬送する紙幣の表裏を揃える場合について述べた。しかしながら本発明はこれに限らず、例えば上後搬送部１１５において施封ユニット１１０Ｓと接続された搬送路１５４上などに、第４の実施の形態と同様の反転部を設けて紙幣を反転させても良い。
【０３３７】
さらに上述した第３の実施の形態においては、補充回収庫２２４及び補充リジェクト庫２２５を一体化して補充回収カセット２２６を構成する場合について述べた（図２１）。しかしながら本発明はこれに限らず、補充回収庫２２４及び補充リジェクト庫２２５を互いに独立した構成としても良い。さらにこの場合、補充リジェクト庫２２５を必ずしも補充回収庫２２４の直前に配置する必要は無く、例えば紙幣収納庫２２Ａの前側等、様々な箇所に配置しても良い。この場合、該補充リジェクト庫２２５に紙幣を分岐させるための切替部２６５を下環状搬送路ＷＣＬ上における切替部６６よりも前側に配置することが望ましい。第４の実施の形態についても同様である。
【０３３８】
さらに上述した第３の実施の形態においては、下部ユニット２１０Ｌに補充リジェクト庫２２５及び取忘収納庫２２７を設ける場合について述べた（図２０）。しかしながら本発明はこれに限らず、例えば下部ユニット２１０Ｌから補充リジェクト庫２２５及び取忘収納庫２２７の少なくとも一方を省略しても良い。第４の実施の形態における補充リジェクト庫２２５並びにリジェクト庫３２７及び３２８についても同様である。
【０３３９】
さらに上述した第３の実施の形態においては、上部ユニット２１０Ｕ側のリジェクト庫１７にリジェクト紙幣を搬送して収納させると共に、下部ユニット２１０Ｌ側の取忘収納庫２２７に取忘紙幣を搬送して収納させる場合について述べた（図１９、図２０、図２３及び図２８等）。しかしながら本発明はこれに限らず、例えば第４の実施の形態と同様に、上部ユニット２１０Ｕ側に取忘収納庫を設けると共に、下部ユニット２１０Ｌ側にリジェクト庫を設けても良い。また第４の実施の形態では、第３の実施形態と同様に、上部ユニット３１０Ｕ側にリジェクト庫１７を設けると共に、下部ユニット３１０Ｌ側に取忘収納庫を設けても良い。
【０３４０】
さらに上述した第４の実施の形態においては、下部フレーム３２０を主フレーム３９１及び後フレーム３９２に分割し、該主フレーム３９１に対し該後フレーム３９２を近接または離隔させる方向へ、すなわち前後方向へ移動させ得るように構成する場合について述べた（図３３）。しかしながら本発明はこれに限らず、例えば下部フレーム３２０を一体に構成しても良く、或いは後フレーム３９２をさらに前後方向に分割して補充回収カセット２２６を装填させる部分から独立してリジェクト庫３２７及び３２８を装填させる部分を前後方向へ移動させ得るようにしても良い。また第３の実施の形態においても、下部フレーム２２０（図２０）を、紙幣収納庫２２Ａ〜２２Ｃを装填する部分に対して、補充回収カセット２２６及び取忘収納庫２２７を装填する部分を分離して前後方向へ移動させ得るように構成しても良い。
【０３４１】
さらに上述した第４の実施の形態においては、上後搬送部３１５に反転部３１９を設ける場合について述べた（図３１）。しかしながら本発明はこれに限らず、例えば上後搬送部３１５から反転部３１９を省略しても良い。この場合、上後搬送部３１５を第１の実施の形態による上後搬送部１５と同様に構成しても良く、これにより部品の共通化の度合をさらに高めることができる。
【０３４２】
さらに上述した第４の実施の形態においては、紙幣収納庫２２の後側において、前側から補充リジェクト庫２２５、補充回収庫２２４、リジェクト庫３２７及び３２８の順に配置する場合について述べた（図３２）。しかしながら本発明はこれに限らず、例えば紙幣収納庫２２の後側にリジェクト庫３２７及び３２８、補充リジェクト庫２２５、並びに補充回収庫２２４の順に配置しても良い。この場合、切替部６６は、補充回収庫２２４のほぼ真上に位置する切替部３６７と、補充リジェクト庫２２５のほぼ真上に位置する切替部３６５との間に位置していれば良い。
【０３４３】
さらに上述した第１の実施の形態においては、接客部１２（図４）の搬送路３４上に集積搬送部３５を設ける場合について述べた。しかしながら本発明はこれに限らず、例えば接客部１２から集積搬送部３５を省略しても良い。この場合、例えば収容器３１内に収容空間を前後方向に仕切るとともに前後方向へ移動可能な仕切板を設けるなどして、投入された紙幣と放出部３１Ｅから放出された紙幣とを区別し得るようにしても良い。第２〜第４の実施の形態についても同様である。
【０３４４】
さらに上述した第１の実施の形態においては、鑑別部１４（図４）に真偽センサ４９Ａ、イメージセンサ４９Ｂ及び走行センサ４９Ｃを設ける場合について述べた。しかしながら本発明はこれに限らず、これらのうち一部のセンサを省略しても良く、また他のセンサを追加しても良い。要は、紙幣の真偽、金種、損傷の程度や搬送の状態（重送の有無やスキューの有無等）、さらには表裏を鑑別することができれば良い。第２〜第４の実施の形態についても同様である。
【０３４５】
さらに上述した第１の実施の形態においては、一時保留部１６（図４）をいわゆるドラム方式とし、紙幣をテープと共にドラムの周側面に巻き付けて収納し、又はテープを巻き戻すことにより紙幣を繰り出すようにした場合について述べた。しかしながら本発明はこれに限らず、例えば一時保留部１６を紙幣収納庫２２等と同様の集積方式とし、内部に収納空間や分離集積機構等を設けて該収納空間内に放出した紙幣を集積して収納し、またこの紙幣を１枚ずつに分離して繰り出すようにしても良い。
【０３４６】
さらに上述した第１の実施の形態においては、下部ユニット１０Ｌに４個の紙幣収納庫２２を設ける場合について述べた。しかしながら本発明はこれに限らず、例えば３個以下又は５個以上の紙幣収納庫２２を設けても良い。第２〜第４の実施の形態についても同様である。
【０３４７】
さらに上述した第１の実施の形態においては、紙幣入出金機１０を下搬送部２１の上側を分割線として、上部ユニット１０Ｕ及び下部ユニット１０Ｌに分割し得るようにした場合について述べた（図２及び図３）。しかしながら本発明はこれに限らず、他の種々の分割線により紙幣入出金機１０を２以上のユニットに分割しても良い。例えば、下搬送部２１の下側、すなわち紙幣収納庫２２との境界部分に分割線を設定することにより、上部ユニット１０Ｕから下搬送部２１までを上側のユニットとし、紙幣収納庫２２を下側のユニットとするように分割しても良い。第２〜第４の実施の形態についても同様である。
【０３４８】
さらに上述した第１の実施の形態においては、顧客との間で媒体としての紙幣に関する取引処理を行う現金自動預払機１の紙幣入出金機１０に本発明を適用する場合について述べた。しかしながら本発明はこれに限らず、例えば各種金券や証券等、或いは入場券や乗車券のような種々の紙葉状の媒体を取り扱う種々の装置に本発明を適用しても良い。第２〜第４の実施の形態についても同様である。
【０３４９】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０３５０】
さらに上述した第１の実施の形態においては、媒体入出部としての接客部１２と、鑑別部としての鑑別部１４と、第１搬送路としての上環状搬送路ＷＣＵと、第２搬送路としての下環状搬送路ＷＣＬと、一時保留部としての一時保留部１６と、一時保留切替部としての一時保留切替部５２と、収納庫としての紙幣収納庫２２と、振分搬送路としての搬送路Ｗ７と、第１接続口としての前接続口Ｃ１と、第２接続口としての後接続口Ｃ２と、区別収納庫としてのリジェクト庫１７と、区別収納切替部としての区別切替部５３と、制御部としての紙幣制御部１１とによって媒体処理装置としての紙幣入出金機１０を構成する場合について述べた。しかしながら本発明はこれに限らず、その他種々の構成でなる媒体入出部と、鑑別部と、第１搬送路と、第２搬送路と、一時保留部と、一時保留切替部と、収納庫と、振分搬送路と、第１接続口と、第２接続口と、区別収納庫と、区別収納切替部と、制御部とによって媒体処理装置を構成しても良い。
【産業上の利用可能性】
【０３５１】
本発明は、例えば使用者との間で紙幣に関する入金取引や出金取引を行う現金自動預払機に組み込まれる紙幣入出金機で利用できる。
【符号の説明】
【０３５２】
１、１０１、２０１、３０１……現金自動預払機、１０、１１０、２１０、３１０……紙幣入出金機、１０Ｆ、１１０Ｆ、２１０Ｆ、３１０Ｆ……紙幣入出金機フレーム、１０Ｌ、１１０Ｌ、２１０Ｌ、３１０Ｌ……下部ユニット、１０Ｕ、１１０Ｕ、２１０Ｕ、３１０Ｕ……上部ユニット、１１、１１１、２１１、３１１……紙幣制御部、１２……接客部、１３、２１３、３１３……上前搬送部、１４……鑑別部、１５、１１５、３１５……上後搬送部、１６……一時保留部、１７、３２７、３２８……リジェクト庫、２０、２２０、３２０……下部フレーム、２１、２２１、３２１……下搬送部、２２……紙幣収納庫、３１……収容器、３１Ｅ……放出部、３１Ｓ……分離部、３５……集積搬送部、４１、２４１……上前切替部、４８……鑑別搬送路、４９……センサ、５１、３５１……上後切替部、５２、３５２……一時保留切替部、５３、３５３……区別切替部、６１、６２、６３、６６、２６３、２６５、２６７、３６３、３６４、３６５、３６７、３６８……切替部、１５１……施封切替部、２２４……補充回収庫、２２５……補充リジェクト庫、２２６……補充回収カセット、２２７、３１７……取忘収納庫、３１９……反転部、３９１……主フレーム、３９２……後フレーム、Ｃ１……前接続口、Ｃ２……後接続口、Ｔ１１……上部ユニット前受渡口、Ｔ１２……上部ユニット後受渡口、Ｔ２１……下部ユニット前受渡口、Ｔ２２……下部ユニット後受渡口、Ｗ……搬送路、ＷＣＬ……下環状搬送路、ＷＣＵ……上環状搬送路、ＷＰ……基幹搬送路。
【図１】
2018124644.tif 000003
【図２】
2018124644.tif 000004
【図３】
2018124644.tif 000005
【図４】
2018124644.tif 000006
【図５】
2018124644.tif 000007
【図６】
2018124644.tif 000008
【図７】
2018124644.tif 000009
【図８】
2018124644.tif 000010
【図９】
2018124644.tif 000011
【図１０】
2018124644.tif 000012
【図１１】
2018124644.tif 000013
【図１２】
2018124644.tif 000014
【図１３】
2018124644.tif 000015
【図１４】
2018124644.tif 000016
【図１５】
2018124644.tif 000017
【図１６】
2018124644.tif 000018
【図１７】
2018124644.tif 000019
【図１８】
2018124644.tif 000020
【図１９】
2018124644.tif 000021
【図２０】
2018124644.tif 000022
【図２１】
2018124644.tif 000023
【図２２】
2018124644.tif 000024
【図２３】
2018124644.tif 000025
【図２４】
2018124644.tif 000026
【図２５】
2018124644.tif 000027
【図２６】
2018124644.tif 000028
【図２７】
2018124644.tif 000029
【図２８】
2018124644.tif 000030
【図２９】
2018124644.tif 000031
【図３０】
2018124644.tif 000032
【図３１】
2018124644.tif 000033
【図３２】
2018124644.tif 000034
【図３３】
2018124644.tif 000035
【図３４】
2018124644.tif 000036
【図３５】
2018124644.tif 000037
【図３６】
2018124644.tif 000038
【図３７】
2018124644.tif 000039
【図３８】
2018124644.tif 000040
【図３９】
2018124644.tif 000041
【図４０】
2018124644.tif 000042
【図４１】
2018124644.tif 000043
【図４２】
2018124644.tif 000044
【図４３】
2018124644.tif 000045